(57)【要約】  通信装置であるコントローラ（６９２１）は、無線通信を介して第一端末から受信したデータを他の通信装置に転送する機能を有する転送部（７０２１）と、転送部（７０２１）が受信したデータがマルチキャスト送信されるべきであることを示す第一情報が、データに含まれているか否かを判定する判定部（７０２２）とを備え、転送部（７０２１）は、さらに、第一情報が上記データに含まれていると判定部（７０２２）が判定した場合には、第一端末とは異なる第二端末に上記データをマルチキャストで送信する。
2019151164.tif 000002
【特許請求の範囲】
【請求項１】
通信装置であって、
無線通信を介して第一端末から受信したデータを他の通信装置に転送する機能を有する転送部と、
前記転送部が受信した前記データがマルチキャスト送信されるべきであることを示す第一情報が、前記データに含まれているか否かを判定する判定部とを備え、
前記転送部は、さらに、
前記第一情報が前記データに含まれていると前記判定部が判定した場合には、前記第一端末とは異なる第二端末に前記データをマルチキャストで送信する
通信装置。
【請求項２】
前記判定部は、さらに、
前記転送部が受信した前記データが前記他の通信装置に転送されるべきであることを示す第二情報が前記データに含まれているか否かを判定し、
前記転送部は、
前記第二情報が前記データに含まれていないと前記判定部が判定した場合には、前記データを前記他の通信装置に転送することを禁止する
請求項１に記載の通信装置。
【請求項３】
前記通信装置は、さらに、記憶部を備え、
前記転送部は、間欠モードで前記転送をする機能を有し、
前記間欠モードでは、前記転送部は、受信した前記データを前記記憶部に格納し、所定の条件が成立したときに前記記憶部に格納されている複数のデータを読み出し、読み出した前記複数のデータをまとめて前記他の通信装置に送信する
請求項１又は２に記載の通信装置。
【請求項４】
前記転送部は、中継モードで前記転送をする機能を有し、
前記中継モードでは、前記転送部は、受信した前記データを前記記憶部に格納することなく、前記他の通信装置に送信し、
前記転送部は、さらに、前記間欠モードと前記中継モードとを切り替える
請求項３に記載の通信装置。
【請求項５】
前記転送部は、さらに、
中継モードで前記転送をする機能を有し、
前記中継モードでは、前記転送部は、受信した前記データを前記記憶部に格納することなく、前記他の通信装置に送信し、
前記第一端末のうちの一の第一端末から受信した前記データを前記中継モードで転送し、前記第一端末のうちの前記一の第一端末とは異なる他の第一端末から受信した前記データを前記間欠モードで転送する
請求項３に記載の通信装置。
【請求項６】
前記他の通信装置は、衛星通信システムに含まれる通信装置である
請求項１〜５のいずれか１項に記載の通信装置。
【請求項７】
無線通信を介して第一端末から受信したデータを他の通信装置に転送する機能を有する転送部を備える通信装置の制御方法であって、
前記転送部で受信した前記データがマルチキャスト送信されるべきであることを示す第一情報が、前記データに含まれているか否かを判定する判定ステップと、
前記第一情報が前記データに含まれていると前記判定ステップで判定された場合には、
前記第一端末とは異なる第二端末に前記データをマルチキャストで送信する送信ステップとを含む
制御方法。
【発明の詳細な説明】
【技術分野】
【０００１】
本発明は、通信装置、及び、通信装置の制御方法に関する。
【背景技術】
【０００２】
従来、複数アンテナを用いた通信方法として、例えば、ＭＩＭＯ（Multiple-Input Multiple-Out）と呼ばれる通信方法がある。ＭＩＭＯに代表されるマルチアンテナ通信では、複数ストリームの送信データを変調し、各変調信号を異なるアンテナから同一周波数（共通の周波数）を用い、同時に送信することで、データの受信品質を高め、および／または、（単位時間当たりの）データの通信速度を高めることができる。【０００３】
また、複数アンテナ通信において、マルチキャスト／ブロードキャスト通信を行う場合、送信装置が、空間の広い方向にわたりほぼ一定のアンテナ利得を有する疑似オムニパターンのアンテナが用いられることがある。例えば、特許文献１では、疑似オムニパターンのアンテナを用いて送信装置が変調信号を送信することが述べられている。
【先行技術文献】
【特許文献】
【０００４】
【特許文献１】国際公開第２０１１／０５５５３６号
【発明の概要】
【発明が解決しようとする課題】
【０００５】
通信端末が接続されるネットワークを構成する通信装置に関して、さらなる改善が要望されている。
【課題を解決するための手段】
【０００６】
本開示の一態様の通信装置は、無線通信を介して第一端末から受信したデータを他の通信装置に転送する機能を有する転送部と、前記転送部が受信した前記データがマルチキャスト送信されるべきであることを示す第一情報が、前記データに含まれているか否かを判定する判定部とを備え、前記転送部は、さらに、前記第一情報が前記データに含まれていると前記判定部が判定した場合には、前記第一端末とは異なる第二端末に前記データをマルチキャストで送信する。【０００７】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【０００８】
本開示によれば、通信端末が接続されるネットワークを構成する通信装置に関して、さらなる改善がなされる可能性がある。
【図面の簡単な説明】
【０００９】
【図１】図１は、基地局の構成の一例を示す図である。
【図２】図２は、基地局のアンテナ部の構成の一例を示す図である。
【図３】図３は、基地局の構成の一例を示す図である。
【図４】図４は、端末の構成の一例を示す図である。
【図５】図５は、端末のアンテナ部の構成の一例を示す図である。
【図６】図６は、端末の構成の一例を示す図である。
【図７】図７は、基地局と端末の間の通信状態の一例を示す図である。
【図８】図８は、複数ストリームの関係を説明するための図である。
【図９】図９は、フレーム構成の一例を示す図である。
【図１０】図１０は、フレーム構成の一例を示す図である。
【図１１】図１１は、シンボル構成の一例を示す図である。
【図１２】図１２は、基地局と端末の間の通信状態の一例を示す図である。
【図１３】図１３は、複数の変調信号の関係を示す図である。
【図１４】図１４は、フレーム構成の一例を示す図である。
【図１５】図１５は、フレーム構成の一例を示す図である。
【図１６】図１６は、シンボル構成の一例を示す図である。
【図１７】図１７は、基地局と端末の間の通信状態の一例を示す図である。
【図１８】図１８は、基地局と端末の間の通信状態の一例を示す図である。
【図１９】図１９は、基地局と端末の間の通信状態の一例を示す図である。
【図２０】図２０は、基地局と端末の間の通信状態の一例を示す図である。
【図２１】図２１は、複数の変調信号の関係を示す図である。
【図２２】図２２は、基地局と端末の間の通信状態の一例を示す図である。
【図２３】図２３は、基地局と端末の通信を行う手順を示す図である。
【図２４】図２４は、基地局及び端末が送信するシンボルの一例を示す図である。
【図２５】図２５は、基地局が送信するシンボルの一例を示す図である。
【図２６】図２６は、基地局と端末の間の通信状態の一例を示す図である。
【図２７】図２７は、基地局が送信するシンボルの一例を示す図である。
【図２８】図２８は、基地局と端末の通信を行う手順を示す図である。
【図２９】図２９は、基地局と端末の間の通信状態の一例を示す図である。
【図３０】図３０は、基地局と端末の通信を行う手順を示す図である。
【図３１】図３１は、基地局が送信するシンボルの一例を示す図である。
【図３２】図３２は、基地局が送信するシンボルの一例を示す図である。
【図３３】図３３は、基地局と端末の通信を行う手順を示す図である。
【図３４】図３４は、基地局と端末の通信を行う手順を示す図である。
【図３５】図３５は、基地局が送信するシンボルの一例を示す図である。
【図３６】図３６は、基地局と端末の通信を行う手順を示す図である。
【図３７】図３７は、基地局の構成の一例を示す図である。
【図３８】図３８は、フレーム構成の一例を示す図である。
【図３９】図３９は、フレーム構成の一例を示す図である。
【図４０】図４０は、フレーム構成の一例を示す図である。
【図４１】図４１は、フレーム構成の一例を示す図である。
【図４２】図４２は、シンボル領域の端末への割り当ての一例を示す図である。
【図４３】図４３は、シンボル領域の端末への割り当ての一例を示す図である。
【図４４】図４４は、基地局の構成の一例を示す図である。
【図４５】図４５は、ネットワークの構成の一例を示す図である。
【図４６】図４６は、周波数の設定方法の一例を示す図である。
【図４７】図４７は、通信装置の配置の一例を示す図である。
【図４８】図４８は、通信装置の配置の一例を示す図である。
【図４９】図４９は、通信装置の配置の一例を示す図である。
【図５０】図５０は、通信装置の配置の一例を示す図である。
【図５１】図５１は、フレーム構成の一例を示す図である。
【図５２】図５２は、フレーム構成の一例を示す図である。
【図５３】図５３は、通信装置の構成の一例を示す図である。
【図５４】図５４は、通信ネットワークの構成の一例を示す図である。
【図５５】図５５は、通信シーケンスの一例を示す図である。
【図５６】図５６は、通信シーケンスの一例を示す図である。
【図５７】図５７は、通信装置及び送電装置などの構成の一例を示す図である。
【図５８】図５８は、通信装置及び送電装置などの構成の一例を示す図である。
【図５９】図５９は、通信シーケンスの一例を示す図である。
【図６０】図６０は、通信シーケンスの一例を示す図である。
【図６１】図６１は、通信用アンテナ配置の一例を示す図である。
【図６２】図６２は、通信用アンテナ配置の一例を示す図である。
【図６３】図６３は、通信用アンテナ配置の一例を示す図である。
【図６４】図６４は、通信用アンテナ配置の一例を示す図である。
【図６５】図６５は、通信用アンテナ配置の一例を示す図である。
【図６６】図６６は、通信用アンテナ配置の一例を示す図である。
【図６７】図６７は、通信用アンテナ配置の一例を示す図である。
【図６８】図６８は、通信用アンテナ配置の一例を示す図である。
【図６９】図６９は、ネットワークの構成の一例を示す図である。
【図７０】図７０は、コントローラの機能ブロックを示す図である。
【図７１】図７１は、コントローラによるデータの送信の一例を示す図である。
【図７２】図７２は、コントローラによるデータの送信の一例を示す図である。
【図７３】図７３は、ネットワークの構成の変形例を示す図である。
【図７４】図７４は、マルチキャスト転送の一例を示す図である。
【図７５】図７５は、マルチキャスト転送の一例を示す図である。
【図７６】図７６は、マルチキャスト転送の一例を示す図である。
【図７７】図７７は、マルチキャスト転送の一例を示す図である。
【図７８】図７８は、マルチキャスト転送の一例を示す図である。
【図７９】図７９は、コントローラの処理を示す図である。
【図８０】図８０は、ネットワークの構成の一例を示す図である。
【図８１】図８１は、フレーム構成の一例を示す図である。
【発明を実施するための形態】
【００１０】
このような問題を解決するために、本発明の一態様に係る通信装置は、無線通信を介して第一端末から受信したデータを他の通信装置に転送する機能を有する転送部と、前記転送部が受信した前記データがマルチキャスト送信されるべきであることを示す第一情報が、前記データに含まれているか否かを判定する判定部とを備え、前記転送部は、さらに、前記第一情報が前記データに含まれていると前記判定部が判定した場合には、前記第一端末とは異なる第二端末に前記データをマルチキャストで送信する。
【００１１】
上記態様によれば、通信装置は、端末が取得したデータのうち他の１以上の端末に送信すべきデータを、他の通信装置を介さずに他の１以上の端末に送信することができる。仮にこのデータを他の通信装置に一旦送信し、他の通信装置から再び送信されてくるデータを他の１以上の端末に送信するとすれば、通信遅延が発生し得る。上記のように他の通信装置を介さずに送信することで、通信遅延が発生することを未然に回避できる。このように、通信装置は、通信品質を改善することができる。
【００１２】
例えば、前記判定部は、さらに、前記転送部が受信した前記データが前記他の通信装置に転送されるべきであることを示す第二情報が前記データに含まれているか否かを判定し、前記転送部は、前記第二情報が前記データに含まれていないと前記判定部が判定した場合には、前記データを前記他の通信装置に転送することを禁止してもよい。
【００１３】
上記態様によれば、通信装置は、上記の他の１以上の端末にデータを送信するときに、他の通信装置にデータを転送することを禁止する。これにより、他の通信装置へのデータ送信に要する時間及び消費電力を削減することができる。よって、通信装置は、データ送信に要する時間及び消費電力を削減しながら、通信品質を改善することができる。
【００１４】
例えば、前記通信装置は、さらに、記憶部を備え、前記転送部は、間欠モードで前記転送をする機能を有し、前記間欠モードでは、前記転送部は、受信した前記データを前記記憶部に格納し、所定の条件が成立したときに前記記憶部に格納されている複数のデータを読み出し、読み出した前記複数のデータをまとめて前記他の通信装置に送信してもよい。
【００１５】
上記態様によれば、通信装置は、間欠モードにより、端末から受信したデータを複数まとめて他の通信装置に送信する。データを複数まとめて制御情報を付すことにより、データ１つ１つに個別に制御情報を付すのに比べて、制御情報の量を削減することができる。制御情報の量が削減されることで、データの送信に要する時間及び消費電力が削減される。よって、通信装置は、他の通信装置へのデータ送信に要する時間及び消費電力を削減しながら、通信品質を改善することができる。
【００１６】
例えば、前記転送部は、中継モードで前記転送をする機能を有し、前記中継モードでは、前記転送部は、受信した前記データを前記記憶部に格納することなく、前記他の通信装置に送信し、前記転送部は、さらに、前記間欠モードと前記中継モードとを切り替えてもよい。
【００１７】
上記態様によれば、通信装置は、中継モードにより、端末から受信したデータを遅延させることなく他の通信装置に送信する。通信装置は、間欠モードと中継モードとを切り替えることで、遅延が許容されるデータは間欠モードで送信し、遅延が許容されないデータは中継モードで送信するなど、適切な使い分けを行うことができる。よって、通信装置は、他の通信装置へのデータ送信に要する時間及び消費電力を削減しながら、必要に応じて遅延を低減させることによって通信品質を改善することができる。
【００１８】
例えば、前記転送部は、さらに、中継モードで前記転送をする機能を有し、前記中継モードでは、前記転送部は、受信した前記データを前記記憶部に格納することなく、前記他の通信装置に送信し、前記第一端末のうちの一の第一端末から受信した前記データを前記中継モードで転送し、前記第一端末のうちの前記一の第一端末とは異なる他の第一端末から受信した前記データを前記間欠モードで転送してもよい。
【００１９】
上記態様によれば、通信装置は、間欠モードと中継モードとを、端末ごとに切り替えることで、遅延が許容されるデータは間欠モードで送信し、遅延が許容されないデータは中継モードで送信するなど、適切な使い分けを行うことができる。よって、通信装置は、他の通信装置へのデータ送信に要する時間及び消費電力を削減しながら、必要に応じて遅延を低減させることによって通信品質を改善することができる。
【００２０】
例えば、前記他の通信装置は、衛星通信システムに含まれる通信装置であってもよい。
【００２１】
上記態様によれば、通信装置は、端末が取得したデータを衛星通信システムに送信する際の通信の通信品質を改善することができる。
【００２２】
また、本発明の一態様に係る通信装置の制御方法は、無線通信を介して第一端末から受信したデータを他の通信装置に転送する機能を有する転送部を備える通信装置の制御方法であって、前記転送部で受信した前記データがマルチキャスト送信されるべきであることを示す第一情報が、前記データに含まれているか否かを判定する判定ステップと、前記第一情報が前記データに含まれていると前記判定ステップで判定された場合には、前記第一端末とは異なる第二端末に前記データをマルチキャストで送信する送信ステップとを含む。
【００２３】
上記態様によれば、上記通信装置と同様の効果を奏する。
【００２４】
以降において、通信端末が接続されるネットワークを構成する通信装置について説明する。具体的には、実施の形態１〜１０では、複数のアンテナを用いる通信方法についての性能改善を目的とする技術を説明する。実施の形態１１では、１以上のアンテナを用いる通信装置についての改善を目的とする技術を説明する。
【００２５】
（実施の形態１）
図１は、本実施の形態における基地局（または、アクセスポイントなど）の構成の一例を示している。
【００２６】
１０１−１は＃１情報、１０１−２は＃２情報、・・・、１０１−Ｍは＃Ｍ情報を示している。１０１−ｉは、＃ｉ情報を示している。ｉは１以上Ｍ以下の整数とする。なお、Ｍは２以上の整数とする。なお、＃１情報から＃Ｍ情報までのすべてが存在する必要はない。
【００２７】
信号処理部１０２は、＃１情報１０１−１、＃２情報１０１−２、・・・、＃Ｍ情報１０１−Ｍ、および、制御信号１５９を入力とする。信号処理部１０２は、制御信号１５９に含まれる、「誤り訂正符号化の方法（符号化率、符号長（ブロック長））に関する情報」「変調方式に関する情報」、「プリコーディングに関する情報」、「送信方法（多重化方法）」、「マルチキャスト用の送信を行うか／ユニキャスト用の送信を行うか（マルチキャスト用の送信、ユニキャスト用の送信を同時に実現してもよい）」、「マルチキャストを行うときの送信ストリーム数」、「マルチキャスト用の変調信号を送信する場合の送信方法（この点については、後で詳しく説明する）」などの情報に基づき、信号処理を行い、信号処理後の信号１０３−１、信号処理後の信号１０３−２、・・・、信号処理後の信号１０３−Ｍ、つまり、信号処理後の信号１０３−ｉを出力する。なお、信号処理後の信号＃１から信号処理後の信号＃Ｍまでのすべてが存在する必要はない。このとき、＃ｉ情報１０１−ｉに対し、誤り訂正符号化を行い、その後、設定した変調方式によるマッピングを行う。これにより、ベースバンド信号を得る。
【００２８】
そして、各情報に対応するベースバンド信号を集め、プリコーディングを行う。また、例えば、ＯＦＤＭ（Orthogonal Frequency Division Multiplexing）を適用してもよい。
【００２９】
無線部１０４−１は、信号処理後の信号１０３−１、制御信号１５９を入力とし、制御信号１５９に基づいて、帯域制限、周波数変換、増幅などの処理を行い、送信信号１０５−１を出力する。そして、送信信号１０５−１は、アンテナ部１０６−１から電波として出力される。
【００３０】
同様に、無線部１０４−２は、信号処理後の信号１０３−２、制御信号１５９を入力とし、制御信号１５９に基づいて、帯域制限、周波数変換、増幅などの処理を行い、送信信号１０５−２を出力する。そして、送信信号１０５−２は、アンテナ部１０６−２から電波として出力される。無線部１０４−３から無線部１０４−（Ｍ−１）までの説明は省略する。
【００３１】
無線部１０４−Ｍは、信号処理後の信号１０３−Ｍ、制御信号１５９を入力とし、制御信号１５９に基づいて、帯域制限、周波数変換、増幅などの処理を行い、送信信号１０５−Ｍを出力する。そして、送信信号１０５−Ｍは、アンテナ部１０６−Ｍから電波として出力される。
【００３２】
なお、各無線部は、信号処理後の信号が存在していない場合は、上記処理を行わなくてもよい。
【００３３】
無線部群１５３は、受信アンテナ群１５１で受信した受信信号群１５２を入力とし、周波数変換等の処理を行い、ベースバンド信号群１５４を出力する。
【００３４】
信号処理部１５５は、ベースバンド信号群１５４を入力し、復調、誤り訂正復号を行う、つまり、時間同期、周波数同期、チャネル推定などの処理も行う。このとき、信号処理部１５５は、一つ以上の端末が送信した変調信号を受信し、処理を行っているため、各端末が送信したデータと、各端末が送信した制御情報を得る。したがって、信号処理部１５５は、一つ以上の端末に対応するデータ群１５６、および、一つ以上の端末に対応する制御情報群１５７を出力する。
【００３５】
設定部１５８は、制御情報群１５７、設定信号１６０を入力とし、制御情報群１５７に基づき、「誤り訂正符号化の方法（符号化率、符号長（ブロック長））」、「変調方式」、「プリコーディング方法」、「送信方法」、「アンテナの設定」、「マルチキャスト用の送信を行うか／ユニキャスト用の送信を行うか（マルチキャスト及びユニキャストの送信を同時に実現してもよい）」、「マルチキャストを行うときの送信ストリーム数」、「マルチキャスト用の変調信号を送信する場合の送信方法」などを決定し、これらの決定した情報を含んだ制御信号１５９を出力する。
【００３６】
アンテナ部１０６−１、１０６−２、・・・、１０６−Ｍは、制御信号１５９を入力としている。このときの動作について、図２を用いて説明する。
【００３７】
図２は、アンテナ部１０６−１、１０６−２、・・・、１０６−Ｍの構成の一例を示している。各アンテナ部は、図２のように複数のアンテナを具備している。なお、図２では、アンテナを４つ描いているが、各アンテナ部は、複数のアンテナを具備していればよい。なお、アンテナの本数は４に限ったものではない。
【００３８】
図２は、アンテナ部１０６−ｉの構成となる。ｉは１以上Ｍ以下の整数である。
【００３９】
分配部２０２は、送信信号２０１（図１の送信信号１０５−ｉに相当）を入力とし、送信信号２０１を分配し、信号２０３−１、２０３−２、２０３−３、２０３−４を出力する。
【００４０】
乗算部２０４−１は、信号２０３−１、および、制御信号２００（図１の制御信号１５９に相当）を入力とし、制御信号２００に含まれる乗算係数の情報に基づき、信号２０３−１に対し、係数Ｗ１を乗算し、乗算後の信号２０５−１を出力する。なお、係数Ｗ１は複素数で定義する。したがって、Ｗ１は実数をとることもできる。したがって、信号２０３−１をｖ１（ｔ）とすると、乗算後の信号２０５−１はＷ１×ｖ１（ｔ）とあらわすことができる（ｔは時間）。そして、乗算後の信号２０５−１は、アンテナ２０６−１から電波として出力される。
【００４１】
同様に、乗算部２０４−２は、信号２０３−２、および、制御信号２００を入力とし、制御信号２００に含まれる乗算係数の情報に基づき、信号２０３−２に対し、係数Ｗ２を乗算し、乗算後の信号２０５−２を出力する。なお、係数Ｗ２は複素数で定義する。したがって、Ｗ２は実数をとることもできる。したがって、信号２０３−２をｖ２（ｔ）とすると、乗算後の信号２０５−２はＷ２×ｖ２（ｔ）とあらわすことができる（ｔは時間）。そして、乗算後の信号２０５−２は、アンテナ２０６−２から電波として出力される。
【００４２】
乗算部２０４−３は、信号２０３−３、および、制御信号２００を入力とし、制御信号２００に含まれる乗算係数の情報に基づき、信号２０３−３に対し、係数Ｗ３を乗算し、乗算後の信号２０５−３を出力する。なお、係数Ｗ３は複素数で定義する。したがって、Ｗ３は実数をとることもできる。したがって、信号２０３−３をｖ３（ｔ）とすると、乗算後の信号２０５−３はＷ３×ｖ３（ｔ）とあらわすことができる（ｔは時間）。そして、乗算後の信号２０５−３は、アンテナ２０６−３から電波として出力される。
【００４３】
乗算部２０４−４は、信号２０３−４、および、制御信号２００を入力とし、制御信号２００に含まれる乗算係数の情報に基づき、信号２０３−４に対し、係数Ｗ４を乗算し、乗算後の信号２０５−４を出力する。なお、係数Ｗ４は複素数で定義する。したがって、Ｗ４は実数をとることもできる。したがって、信号２０３−４をｖ４（ｔ）とすると、乗算後の信号２０５−４はＷ４×ｖ４（ｔ）とあらわすことができる（ｔは時間）。そして、乗算後の信号２０５−４は、アンテナ２０６−４から電波として出力される。
【００４４】
なお、Ｗ１の絶対値、Ｗ２の絶対値、Ｗ３の絶対値、Ｗ４の絶対値が等しくてもよい。
【００４５】
図３は、本実施の形態における図１の基地局の構成とは異なる基地局の構成を示しており、図３において、図１と同様に動作するものについては、同一番号を付しており、以下では説明を省略する。
【００４６】
重みづけ合成部３０１は、変調信号１０５−１、変調信号１０５−２、・・・、変調信号１０５−Ｍ、および、制御信号１５９を入力とする。そして、重みづけ合成部３０１は、制御信号１５９に含まれる重みづけ合成に関する情報にもとづき、変調信号１０５−１、変調信号１０５−２、・・・、変調信号１０５−Ｍに対し、重みづけ合成を行い、重みづけ合成後の信号３０２−１、３０２−２、・・・、３０２−Ｋを出力する。Ｋは１以上の整数とする。そして、重みづけ合成後の信号３０２−１はアンテナ３０３−１から電波として出力され、重みづけ合成後の信号３０２−２はアンテナ３０３−２から電波として出力され、・・・、重みづけ合成後の信号３０２−Ｋはアンテナ３０３−Ｋから電波として出力される。
【００４７】
重みづけ合成後の信号ｙｉ（ｔ）３０２−ｉ（ｉは、１以上Ｋ以下の整数）は、以下のようにあらわされる（ｔは時間）。
【００４８】
【数１】
2019151164.tif 000003
【００４９】
なお、式（１）において、Ａｉｊは複素数で定義できる値であり、したがって、Ａｉｊは実数をとることもでき、ｘｊ（ｔ）は変調信号１０５−ｊとなる。ｊは１以上Ｍ以下の整数である。
【００５０】
図４は、端末の構成の一例を示している。アンテナ部４０１−１、４０１−２、・・・、４０１−Ｎは、制御信号４１０を入力としている。Ｎは１以上の整数である。
【００５１】
無線部４０３−１は、アンテナ部４０１−１で受信した受信信号４０２−１、および、制御信号４１０を入力とし、制御信号４１０に基づき、受信信号４０２−１に対し、周波数変換等の処理を施し、ベースバンド信号４０４−１を出力する。
【００５２】
同様に、無線部４０３−２は、アンテナ部４０１−２で受信した受信信号４０２−２、および、制御信号４１０を入力とし、制御信号４１０に基づき、受信信号４０２−２に対し、周波数変換等の処理を施し、ベースバンド信号４０４−２を出力する。なお、無線部４０３−３から無線部４０３−（Ｎ−１）までの説明は省略する。
【００５３】
無線部４０３−Ｎは、アンテナ部４０１−Ｎで受信した受信信号４０２−Ｎ、および、制御信号４１０を入力とし、制御信号に基づき、受信信号４０２−Ｎに対し、周波数変換等の処理を施し、ベースバンド信号４０４−Ｎを出力する。
【００５４】
ただし、無線部４０３−１、４０３−２、・・・、４０３−Ｎはすべてが動作しなくてもよい。したがって、ベースバンド信号４０４−１、４０４−２、・・・、４０４−Ｎがすべて存在しているとは限らない。
【００５５】
信号処理部４０５は、ベースバンド信号４０４−１、４０４−２、・・・、４０４−Ｎ、および、制御信号４１０を入力とし、制御信号４１０に基づいて、復調、誤り訂正復号の処理を行い、データ４０６、送信用制御情報４０７、制御情報４０８を出力する。つまり、信号処理部４０５は、時間同期、周波数同期、チャネル推定などの処理も行う。
【００５６】
設定部４０９は、制御情報４０８を入力とし、受信方法に関する設定を行い、制御信号４１０を出力する。
【００５７】
信号処理部４５２は、情報４５１、送信用制御情報４０７を入力とし、誤り訂正符号化、設定した変調方式によるマッピングなどの処理を行い、ベースバンド信号群４５３を出力する。
【００５８】
無線部群４５４は、ベースバンド信号群４５３を入力とし、帯域制限、周波数変換、増幅等の処理を行い、送信信号群４５５を出力し、送信信号群４５５は、送信アンテナ群４５６から、電波として出力される。
【００５９】
図５は、アンテナ部４０１−１、４０１−２、・・・、４０１−Ｎの構成の一例を示している。各アンテナ部は、図５のように複数のアンテナを具備している。なお、図５では、アンテナを４つ描いているが、各アンテナ部は、複数のアンテナを具備していればよい。なお、アンテナ部は、アンテナの本数は４に限ったものではない。
【００６０】
図５は、アンテナ部４０１−ｉの構成となる。ｉは１以上Ｎ以下の整数である。
【００６１】
乗算部５０３−１は、アンテナ５０１−１で受信した受信信号５０２−１、および、制御信号５００（図４の制御信号４１０に相当）を入力とし、制御信号５００に含まれる乗算係数の情報に基づき、受信信号５０２−１に対し、係数Ｄ１を乗算し、乗算後の信号５０４−１を出力する。なお、係数Ｄ１は複素数で定義できる。したがって、Ｄ１は実数をとることもできる。したがって、受信信号５０２−１をｅ１（ｔ）とすると、乗算後の信号５０４−１はＤ１×ｅ１（ｔ）とあらわすことができる（ｔは時間）。
【００６２】
同様に、乗算部５０３−２は、アンテナ５０１−２で受信した受信信号５０２−２、および、制御信号５００を入力とし、制御信号５００に含まれる乗算係数の情報に基づき、受信信号５０２−２に対し、係数Ｄ２を乗算し、乗算後の信号５０４−２を出力する。なお、係数Ｄ２は複素数で定義できる。したがって、Ｄ２は実数をとることもできる。したがって、受信信号５０２−２をｅ２（ｔ）とすると、乗算後の信号５０４−２はＤ２×ｅ２（ｔ）とあらわすことができる（ｔは時間）。
【００６３】
乗算部５０３−３は、アンテナ５０１−３で受信した受信信号５０２−３、および、制御信号５００を入力とし、制御信号５００に含まれる乗算係数の情報に基づき、受信信号５０２−３に対し、係数Ｄ３を乗算し、乗算後の信号５０４−３を出力する。なお、係数Ｄ３は複素数で定義できる。したがって、Ｄ３は実数をとることもできる。したがって、受信信号５０２−３をｅ３（ｔ）とすると、乗算後の信号５０４−３はＤ３×ｅ３（ｔ）とあらわすことができる（ｔは時間）。
【００６４】
乗算部５０３−４は、アンテナ５０１−４で受信した受信信号５０２−４、および、制御信号５００を入力とし、制御信号５００に含まれる乗算係数の情報に基づき、受信信号５０２−４に対し、係数Ｄ４を乗算し、乗算後の信号５０４−４を出力する。なお、係数Ｄ４は複素数で定義できる。したがって、Ｄ４は実数をとることもできる。したがって、受信信号５０２−４をｅ４（ｔ）とすると、乗算後の信号５０４−４はＤ４×ｅ４（ｔ）とあらわすことができる（ｔは時間）。
【００６５】
合成部５０５は、乗算後の信号５０４−１、５０４−２、５０４−３、５０４−４を入力とし、乗算後の信号５０４−１、５０４−２、５０４−３、５０４−４を加算し、合成後の信号５０６（図４の受信信号４０２−ｉに相当する）を出力とする。したがって、合成後の信号５０６は、Ｄ１×ｅ１（ｔ）＋Ｄ２×ｅ２（ｔ）＋Ｄ３×ｅ３（ｔ）＋Ｄ４×ｅ４（ｔ）とあらわされる。
【００６６】
図６は、本実施の形態における図４の端末の構成とは異なる端末の構成を示しており、図６において、図４と同様に動作するものについては、同一番号を付しており、以下では説明を省略する。
【００６７】
乗算部６０３−１は、アンテナ６０１−１で受信した受信信号６０２−１、および、制御信号４１０を入力とし、制御信号４１０に含まれる乗算係数の情報に基づき、受信信号６０２−１に対し、係数Ｇ１を乗算し、乗算後の信号６０４−１を出力する。なお、係数Ｇ１は複素数で定義できる。したがって、Ｇ１は実数をとることもできる。したがって、受信信号６０２−１をｃ１（ｔ）とすると、乗算後の信号６０４−１はＧ１×ｃ１（ｔ）とあらわすことができる（ｔは時間）。
【００６８】
同様に、乗算部６０３−２は、アンテナ６０１−２で受信した受信信号６０２−２、および、制御信号４１０を入力とし、制御信号４１０に含まれる乗算係数の情報に基づき、受信信号６０２−２に対し、係数Ｇ２を乗算し、乗算後の信号６０４−２を出力する。なお、係数Ｇ２は複素数で定義できる。したがって、Ｇ２は実数をとることもできる。したがって、受信信号６０２−２をｃ２（ｔ）とすると、乗算後の信号６０４−２はＧ２×ｃ２（ｔ）とあらわすことができる（ｔは時間）。乗算部６０３−３から乗算部６０３−（Ｌ−１）までの説明は省略する。
【００６９】
乗算部６０３−Ｌは、アンテナ６０１−Ｌで受信した受信信号６０２−Ｌ、および、制御信号４１０を入力とし、制御信号４１０に含まれる乗算係数の情報に基づき、受信信号６０２−Ｌに対し、係数ＧＬを乗算し、乗算後の信号６０４−Ｌを出力する。なお、係数ＧＬは複素数で定義できる。したがって、ＧＬは実数をとることもできる。したがって、受信信号６０２−ＬをｃＬ（ｔ）とすると、乗算後の信号６０４−ＬはＧＬ×ｃＬ（ｔ）とあらわすことができる（ｔは時間）。
【００７０】
したがって、乗算部６０３−ｉは、アンテナ６０１−ｉで受信した受信信号６０２−ｉ、および、制御信号４１０を入力とし、制御信号４１０に含まれる乗算係数の情報に基づき、受信信号６０２−ｉに対し、係数Ｇｉを乗算し、乗算後の信号６０４−ｉを出力する。なお、係数Ｇｉは複素数で定義できる。したがって、Ｇｉは実数をとることもできる。したがって、受信信号６０２−ｉをｃｉ（ｔ）とすると、乗算後の信号６０４−ｉはＧｉ×ｃｉ（ｔ）とあらわすことができる（ｔは時間）。なお、ｉは１以上Ｌ以下の整数とし、Ｌは２以上の整数である。
【００７１】
処理部６０５は、乗算後の信号６０４−１、乗算後の信号６０４−２、・・・、乗算後の信号６０４−Ｌ、および、制御信号４１０を入力とし、制御信号４１０に基づき、信号処理を行い、処理後の信号６０６−１、６０６−２、・・・、６０６−Ｎを出力する。Ｎは２以上の整数とする。このとき、乗算後の信号６０４−ｉをｐｉ（ｔ）とあらわす。ｉは１以上Ｌ以下の整数とする。すると、処理後の信号６０６−ｊ（ｒｊ（ｔ））は、以下のようにあらわされる（ｊは１以上Ｎ以下の整数）。
【００７２】
【数２】
2019151164.tif 000004
【００７３】
なお、式（２）において、Ｂｊｉは複素数で定義できる値である。したがって、Ｂｊｉは実数をとることもできる。
【００７４】
図７は、基地局と端末の通信状態の一例を示している。なお、基地局は、アクセスポイント、放送局などと呼ぶことがある。
【００７５】
基地局７００は、複数のアンテナを具備し、送信用のアンテナ７０１から、複数の送信信号を送信する。このとき、基地局７００は、例えば、図１、図３のような構成で構成されており、信号処理部１０２（および／または、重み付け合成部３０１）において、プリコーディング（重み付け合成）を行うことで、送信ビームフォーミング（指向性制御）を行う。
【００７６】
そして、図７は、ストリーム１のデータを伝送するための送信ビーム７０２−１、ストリーム１のデータを伝送するための送信ビーム７０２−２、ストリーム１のデータを伝送するための送信ビーム７０２−３を示す。
【００７７】
図７は、ストリーム２のデータを伝送するための送信ビーム７０３−１、ストリーム２のデータを伝送するための送信ビーム７０３−２、ストリーム２のデータを伝送するための送信ビーム７０３−３を示す。
【００７８】
なお、図７では、ストリーム１のデータを伝送するための送信ビームの数を３、ストリーム２のデータを伝送するための送信ビームの数を３としているが、これに限ったものではなく、ストリーム１のデータを伝送するための送信ビームが複数、ストリーム２のデータを伝送するための送信ビームが複数であればよい。
【００７９】
図７は、端末７０４−１、７０４−２、７０４−３、７０４−４、７０４−５を含み、例えば、図４、図５に示す端末と同じ構成である。
【００８０】
例えば、端末７０４−１は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−１、および、受信指向性７０６−１を形成する。そして、受信指向性７０５−１により、端末７０４−１は、ストリーム１のデータを伝送するための送信ビーム７０２−１の受信及び復調が可能となり、受信指向性７０６−１により、端末７０４−１は、ストリーム２のデータを伝送するための送信ビーム７０３−１の受信及び復調が可能となる。
【００８１】
同様に、端末７０４−２は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−２、および、受信指向性７０６−２を形成する。そして、受信指向性７０５−２により、端末７０４−２は、ストリーム１のデータを伝送するための送信ビーム７０２−１の受信及び復調が可能となり、受信指向性７０６−２により、端末７０４−２は、ストリーム２のデータを伝送するための送信ビーム７０３−１の受信及び復調が可能となる。
【００８２】
端末７０４−３は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−３、および、受信指向性７０６−３を形成する。
【００８３】
そして、受信指向性７０５−３により、端末７０４−３は、ストリーム１のデータを伝送するための送信ビーム７０２−２の受信及び復調が可能となり、受信指向性７０６−３により、端末７０４−３は、ストリーム２のデータを伝送するための送信ビーム７０３−２の受信及び復調が可能となる。
【００８４】
端末７０４−４は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−４、および、受信指向性７０６−４を形成する。そして、受信指向性７０５−４により、端末７０４−４は、ストリーム１のデータを伝送するための送信ビーム７０２−３の受信及び復調が可能となり、受信指向性７０６−４により、端末７０４−４は、ストリーム２のデータを伝送するための送信ビーム７０３−２の受信及び復調が可能となる。
【００８５】
端末７０４−５は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−５、および、受信指向性７０６−５を形成する。そして、受信指向性７０５−５により、端末７０４−５は、ストリーム１のデータを伝送するための送信ビーム７０２−３の受信及び復調が可能となり、受信指向性７０６−５により、端末７０４−５は、ストリーム２のデータを伝送するための送信ビーム７０３−３の受信及び復調が可能となる。
【００８６】
図７では、端末は、ストリーム１のデータを伝送するための送信ビーム７０２−１、７０２−２、７０２−３のうち、空間的な位置により、少なくとも一つの送信ビームを選択し、受信の指向性を向けることで、ストリーム１のデータを高い品質で得ることができ、また、端末は、ストリーム２のデータを伝送するための送信ビーム７０３−１、７０３−２、７０３−３のうち、空間的な位置により、少なくとも一つの送信ビームを選択し、受信の指向性を向けることで、ストリーム２のデータを高い品質で得ることができる。
【００８７】
なお、基地局７００は、ストリーム１のデータを伝送するための送信ビーム７０２−１とストリーム２のデータを伝送するための送信ビーム７０３−１とを、同一周波数（同一周波数帯）、同一時間を用いて、送信する。そして、基地局７００は、ストリーム１のデータを伝送するための送信ビーム７０２−２とストリーム２のデータを伝送するための送信ビーム７０３−２とを、同一周波数（同一周波数帯）、同一時間を用いて、送信する。また、基地局７００は、ストリーム１のデータを伝送するための送信ビーム７０２−３とストリーム２のデータを伝送するための送信ビーム７０３−３とを、同一周波数（同一周波数帯）、同一時刻を用いて、送信する。
【００８８】
また、ストリーム１のデータを伝送するための送信ビーム７０２−１、７０２−２、７０２−３は、同一周波数（同一周波数帯）のビームであってもよいし、それぞれ、異なる周波数（異なる周波数帯）のビームであってもよい。ストリーム２のデータを伝送するための送信ビーム７０３−１、７０３−２、７０３−３は、同一周波数（同一周波数帯）のビームであってもよいし、それぞれ、異なる周波数（異なる周波数帯）のビームであってもよい。
【００８９】
図１、図３における基地局の設定部１５８の動作について、説明する。
【００９０】
設定部１５８は、設定信号１６０を入力としている。設定信号１６０は、「マルチキャスト用の送信を行うか／ユニキャスト用の送信を行うか」の情報を含んでおり、図７のような送信を基地局が行う場合、設定信号１６０により「マルチキャスト用の送信を行う」という情報が、設定部１５８に入力される。
【００９１】
設定信号１６０は、「マルチキャストを行うときの送信ストリーム数」の情報を含んでおり、図７のような送信を基地局が行う場合、設定信号１６０により、「送信ストリーム数は２」という情報が、設定部１５８に入力される。
【００９２】
また、設定信号１６０は、「各ストリームをいくつの送信ビームで送信するか」の情報を含んでいてもよい。図７のような送信を基地局が行う場合、設定信号１６０により、「ストリーム１を送信する送信ビーム数は３、ストリーム２を送信する送信ビーム数は３」という情報が、設定部１５８に入力される。
【００９３】
なお、図１、図３の基地局は、データシンボルが「マルチキャスト用の送信であるか／ユニキャスト用の送信であるか」の情報、「マルチキャストを行うときの送信ストリーム数」の情報、「各ストリームをいくつの送信ビームで送信するか」の情報等を含んだ制御情報シンボルを送信してもよい。これにより、端末は、適切な受信が可能となる。制御情報シンボルの構成の詳細については、後で行う。
【００９４】
図８は、図１、図３の＃ｉ情報１０１−ｉと図７を用いて説明した「ストリーム１」「ストリーム２」の関係を説明するための図面である。例えば、＃１情報１０１−１に対して、誤り訂正符号化などの処理を施し、誤り訂正符号化後のデータを得る。この誤り訂正符号化後のデータを＃１送信データと名付ける。そして、＃１送信データに対してマッピングを行い、データシンボルを得るが、このデータシンボルをストリーム１用、ストリーム２用に振り分け、ストリーム１のデータシンボル（データシンボル群）、および、ストリーム２のデータシンボル（データシンボル群）を得る。そして、ストリーム１のシンボル群は、ストリーム１のデータシンボル（データシンボル群）を含み、ストリーム１のシンボル群は、図１、図３の基地局から送信される。また、ストリーム２のシンボル群は、ストリーム２のデータシンボル（データシンボル群）を含み、ストリーム２のシンボル群は、図１、図３の基地局から送信される。
【００９５】
図９は、横軸時間としたときのフレーム構成の一例を示している。
【００９６】
図９のストリーム１の＃１シンボル群９０１−１は、図７におけるストリーム１のデータを伝送するための送信ビーム７０２−１のシンボル群である。
【００９７】
図９のストリーム１の＃２シンボル群９０１−２は、図７におけるストリーム１のデータを伝送するための送信ビーム７０２−２のシンボル群である。
【００９８】
図９のストリーム１の＃３シンボル群９０１−３は、図７におけるストリーム１のデータを伝送するための送信ビーム７０２−３のシンボル群である。
【００９９】
図９のストリーム２の＃１シンボル群９０２−１は、図７におけるストリーム２のデータを伝送するための送信ビーム７０３−１のシンボル群である。
【０１００】
図９のストリーム２の＃２シンボル群９０２−２は、図７におけるストリーム２のデータを伝送するための送信ビーム７０３−２のシンボル群である。
【０１０１】
図９のストリーム２の＃３シンボル群９０２−３は、図７におけるストリーム２のデータを伝送するための送信ビーム７０３−３のシンボル群である。
【０１０２】
そして、ストリーム１の＃１シンボル群９０１−１、ストリーム１の＃２シンボル群９０１−２、ストリーム１の＃３シンボル群９０１−３、ストリーム２の＃１シンボル群９０２−１、ストリーム２の＃２シンボル群９０２−２、ストリーム２の＃３シンボル群９０２−３は、例えば、時間区間１に存在している。
【０１０３】
また、前にも記載したように、ストリーム１の＃１シンボル群９０１−１とストリーム２の＃２シンボル群９０２−１は、同一周波数（同一周波数帯）を用いて送信されており、ストリーム１の＃２シンボル群９０１−２とストリーム２の＃２シンボル群９０２−２は、同一周波数（同一周波数帯）を用いて送信されており、ストリーム１の＃３シンボル群９０１−３とストリーム２の＃３シンボル群９０２−３は、同一周波数（同一周波数帯）を用いて送信されている。
【０１０４】
例えば、図８の手順で、情報から「ストリーム１のデータシンボル群Ａ」および「ストリーム２のデータシンボル群Ａ」を生成した。そして、「ストリーム１のデータシンボル群Ａ」を構成するシンボルと同じシンボルで構成されたシンボル群「ストリーム１のデータシンボル群Ａ−１」、「ストリーム１のデータシンボル群Ａ」を構成するシンボルと同じシンボルで構成されたシンボル群「ストリーム１のデータシンボル群Ａ−２」、「ストリーム１のデータシンボル群Ａ」を構成するシンボルと同じシンボルで構成されたシンボル群「ストリーム１のデータシンボル群Ａ−３」を用意する。
【０１０５】
つまり、「ストリーム１のデータシンボル群Ａ−１」を構成するシンボルと「ストリーム１のデータシンボル群Ａ−２」を構成するシンボルと「ストリーム１のデータシンボル群Ａ−３」を構成するシンボルは同じである。
【０１０６】
このとき、図９のストリーム１の＃１シンボル群９０１−１は、「ストリーム１のデータシンボル群Ａ−１」を含んでおり、図９のストリーム１の＃２シンボル群９０１−２は、「ストリーム１のデータシンボル群Ａ−２」を含んでおり、図９のストリーム１の＃３シンボル群９０１−３は、「ストリーム１のデータシンボル群Ａ−３」を含んでいる。つまり、ストリーム１の＃１シンボル群９０１−１、ストリーム１の＃２シンボル群９０１−２、ストリーム１の＃３シンボル群９０１−３は、同一のデータシンボル群を含んでいる。
【０１０７】
また、「ストリーム２のデータシンボル群Ａ」を構成するシンボルと同じシンボルで構成されたシンボル群「ストリーム２のデータシンボル群Ａ−１」、「ストリーム２のデータシンボル群Ａ」を構成するシンボル群と同じシンボルで構成されたシンボル群「ストリーム２のデータシンボル群Ａ−２」、「ストリーム２のデータシンボル群Ａ」を構成するシンボル群と同じシンボルで構成されたシンボル群「ストリーム２のデータシンボル群Ａ−３」を用意する。
【０１０８】
つまり、「ストリーム２のデータシンボル群Ａ−１」を構成するシンボルと「ストリーム２のデータシンボル群Ａ−２」を構成するシンボルと「ストリーム２のデータシンボル群Ａ−３」を構成するシンボルは同じである。
【０１０９】
このとき、図９のストリーム２の＃１シンボル群９０２−１は、「ストリーム２のデータシンボル群Ａ−１」を含んでおり、図９のストリーム２の＃２シンボル群９０２−２は、「ストリーム２のデータシンボル群Ａ−２」を含んでおり、図９のストリーム２の＃３シンボル群９０２−３は、「ストリーム２のデータシンボル群Ａ−３」を含んでいる。つまり、ストリーム２の＃１シンボル群９０２−１、ストリーム２の＃２シンボル群９０２−２、ストリーム２の＃３シンボル群９０２−３は、同一のデータシンボル群を含んでいる。
【０１１０】
図１０は、図９で説明した「ストリームＸのシンボル群＃Ｙ」（Ｘ＝１，２；Ｙ＝１，２，３）のフレーム構成の一例を示している。図１０において、横軸時間であり、１００１は制御情報シンボル、１００２はストリームのデータシンボル群である。このとき、ストリームのデータシンボル群１００２は、図９を用いて説明した「ストリーム１のデータシンボル群Ａ」または「ストリーム２のデータシンボル群Ａ」を伝送するためのシンボルである。
【０１１１】
なお、図１０のフレーム構成において、ＯＦＤＭ（Orthogonal Frequency Division Multiplexing）方式などのマルチキャリア方式を用いてもよく、この場合、周波数軸方向にシンボルが存在していてもよい。また、各シンボルには、受信装置が時間及び周波数同期を行うためのリファレンスシンボル、受信装置が信号を検出するためのリファレンスシンボル、受信装置がチャネル推定を行うためのリファレンスシンボルなどが含まれていてもよい。そして、フレーム構成は図１０に限ったものではなく、制御情報シンボル１００１、ストリームのデータシンボル群１００２をどのように配置してもよい。なお、リファレンスシンボルは、プリアンブル、パイロットシンボルと呼ぶこともある。
【０１１２】
次に、制御情報シンボル１００１の構成について説明する。
【０１１３】
図１１は、図１０の制御情報シンボルとして送信するシンボルの構成の一例を示しており、横軸は時間である。図１１において、端末は、「端末が受信指向性制御を行うためのトレーニングシンボル」１１０１を受信することで、「信号処理部４０５」、および／または、「アンテナ４０１−１から４０１−Ｎ」、および／または、「乗算部６０３−１から６０３−Ｌ、および、処理部６０５」で実施する、受信時の指向性制御のための信号処理方法を決定する。
【０１１４】
端末は、「マルチキャストを行っているときの送信ストリーム数を通知するためのシンボル」１１０２を受信することで、端末は、得る必要があるストリーム数を知る。
【０１１５】
端末は、「ストリームのデータシンボルがどのストリームのデータシンボルであるかを通知するためのシンボル」１１０３を受信することで、端末は、基地局が送信しているストリームのうち、どのストリームを受信できているか、を知ることができる。
【０１１６】
上記についての例を説明する。
【０１１７】
図７のように、基地局がストリーム、送信ビームを送信している場合について説明する。そして、図９のストリーム１の＃１シンボル群９０１−１における制御情報シンボルの具体的な情報について説明する。
【０１１８】
図７の場合、基地局は「ストリーム１」および「ストリーム２」を送信しているため、「マルチキャストを行っているときの送信ストリーム数を通知するためのシンボル」１１０２の情報は「２」という情報となる。
【０１１９】
また、図９のストリーム１の＃１シンボル群９０１−１は、ストリーム１のデータシンボルを送信しているため、「ストリームのデータシンボルがどのストリームのデータシンボルであるかを通知するためのシンボル」１１０３の情報は「ストリーム１」という情報になる。
【０１２０】
例えば、端末が、図９のストリーム１の＃１シンボル群９０１−１を受信した場合について説明する。このとき、端末は、「マルチキャストを行っているときの送信ストリーム数を通知するためのシンボル」１１０２から「送信ストリーム数が２」、「ストリームのデータシンボル群がどのストリームのデータシンボルであるかを通知するためのシンボル」１１０３から「ストリーム１のデータシンボル」を得たことを認識する。
【０１２１】
その後、端末は、「送信ストリーム数が２」、得ているデータシンボルが「ストリーム１のデータシンボル」であると認識するため、「ストリーム２のデータシンボル」を得る必要があると認識する。よって、端末は、ストリーム２のシンボル群を探す作業を開始することができる。例えば、端末は、図９のストリーム２の＃１シンボル群９０２−１、ストリーム２の＃２シンボル群９０２−２、ストリーム２の＃３シンボル群９０２−３のいずれかの送信ビームを、探す。
【０１２２】
そして、端末は、ストリーム２の＃１シンボル群９０２−１、ストリーム２の＃２シンボル群９０２−２、ストリーム２の＃３シンボル群９０２−３のいずれかの送信ビームを得ることで、ストリーム１のデータシンボルとストリーム２のデータシンボルの両者のデータシンボルを得る。
【０１２３】
このように、制御情報シンボルを構成することで、端末は、的確にデータシンボルを得ることができるという効果を得る。
【０１２４】
以上のように、マルチキャスト伝送及びブロードキャストデータ伝送において、基地局が、データシンボルを複数の送信ビームを用いて送信し、端末は、複数の送信ビームから、品質のよい、ビームを選択的に受信することにより、基地局が送信した変調信号は、送信指向性制御、受信指向性制御を行っているため、高いデータの受信品質が得られるエリアを広くすることができるという効果を得る。
【０１２５】
また、上述の説明では、端末が、受信指向性制御を行っていることを説明したが、端末は、受信指向性制御を行わなくても、上述の効果を得ることは可能である。
【０１２６】
なお、図１０の「ストリームのデータシンボル群」１００２の変調方式は、どのような変調方式であってもよく、「ストリームのデータシンボル群」１００２の変調方式のマッピング方法は、シンボルごとに切り替わってもよい。つまり、マッピング後に同相Ｉ−直交Ｑ平面上において、コンスタレーションの位相が、シンボルごとに切り替わってもよい。
【０１２７】
図１２は、基地局と端末の通信状態の図７とは異なる例である。なお、図１２において、図７と同様に動作するものについては同一番号を付している。
【０１２８】
基地局７００は、複数のアンテナを具備し、送信用のアンテナ７０１から、複数の送信信号を送信する。このとき、基地局７００は、例えば、図１、図３のような構成で構成されており、信号処理部１０２、（および／または、重み付け合成部３０１）において、プリコーディング（重み付け合成）を行うことで、送信ビームフォーミング（指向性制御）を行う。
【０１２９】
そして、図１２は、「変調信号１」を伝送するための送信ビーム１２０２−１、「変調信号１」を伝送するための送信ビーム１２０２−２、「変調信号１」を伝送するための送信ビーム１２０２−３を示す。
【０１３０】
図１２は、「変調信号２」を伝送するための送信ビーム１２０３−１、「変調信号２」を伝送するための送信ビーム１２０３−２、「変調信号２」を伝送するための送信ビーム１２０３−３を示す。
【０１３１】
なお、図１２では、「変調信号１」を伝送するための送信ビームの数を３、「変調信号２」を伝送するための送信ビームの数を３としているが、これに限ったものではなく、「変調信号１」を伝送するための送信ビームが複数、「変調信号２」を伝送するための送信ビームが複数であればよい。そして、「変調信号１」、「変調信号２」については、後で、詳しく説明する。
【０１３２】
図１２は、端末７０４−１、７０４−２、７０４−３、７０４−４、７０４−５を含み、例えば、図４、図５における端末と同じ構成である。
【０１３３】
例えば、端末７０４−１は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−１、および、受信指向性７０６−１を形成する。そして、受信指向性７０５−１により、端末７０４−１は、「変調信号１」を伝送するための送信ビーム１２０２−１の受信及び復調が可能となり、受信指向性７０６−１により、端末７０４−１は、「変調信号２」を伝送するための送信ビー１２０３−１の受信及び復調が可能となる。
【０１３４】
同様に、端末７０４−２は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−２、および、受信指向性７０６−２を形成する。そして、受信指向性７０５−２により、端末７０４−２は、「変調信号１」を伝送するための送信ビーム１２０２−１の受信及び復調が可能となり、受信指向性７０６−２により、端末７０４−２は、「変調信号２」を伝送するための送信ビーム１２０３−１の受信及び復調が可能となる。
【０１３５】
端末７０４−３は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−３、および、受信指向性７０６−３を形成する。
【０１３６】
そして、受信指向性７０５−３により、端末７０４−３は、「変調信号１」を伝送するための送信ビーム１２０２−２の受信及び復調が可能となり、受信指向性７０６−３により、端末７０４−３は、「変調信号２」を伝送するための送信ビーム１２０３−２の受信及び復調が可能となる。
【０１３７】
端末７０４−４は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−４、および、受信指向性７０６−４を形成する。そして、受信指向性７０５−４により、端末７０４−４は、「変調信号１」を伝送するための送信ビーム１２０２−３の受信及び復調が可能となり、受信指向性７０６−４により、端末７０４−４は、「変調信号２」を伝送するための送信ビーム１２０３−２の受信及び復調が可能となる。
【０１３８】
端末７０４−５は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−５、および、受信指向性７０６−５を形成する。そして、受信指向性７０５−５により、端末７０４−５は、「変調信号１」を伝送するための送信ビーム１２０２−３の受信及び復調が可能となり、受信指向性７０６−５により、端末７０４−５は、「変調信号２」を伝送するための送信ビーム１２０３−３の受信及び復調が可能となる。
【０１３９】
図１２における特長的な点は、端末は、「変調信号１」を伝送するための送信ビーム１２０２−１、１２０２−２、１２０２−３のうち、空間的な位置により、少なくとも一つの送信ビームを選択し、受信の指向性を向けることで、「変調信号１」を高い品質で得ることができ、また、端末は、「変調信号２」を伝送するための送信ビーム１２０３−１、１２０３−２、１２０３−３のうち、空間的な位置により、少なくとも一つの送信ビームを選択し、受信の指向性を向けることで、「変調信号２」を高い品質でえることができる。
【０１４０】
なお、基地局７００は、「変調信号１」を伝送するための送信ビーム１２０２−１と「変調信号２」を伝送するための送信ビーム１２０３−１とを、同一周波数（同一周波数帯）、同一時間を用いて、送信する。そして、基地局７００は、「変調信号１」を伝送するための送信ビーム１２０２−２と「変調信号２」を伝送するための送信ビーム１２０３−２とを、同一周波数（同一周波数帯）、同一時間を用いて、送信する。また、基地局７００は、「変調信号１」を伝送するための送信ビーム１２０２−３と「変調信号２」を伝送するための送信ビーム１２０３−３とを、同一周波数（同一周波数帯）、同一時刻を用いて、送信する。
【０１４１】
また、「変調信号１」を伝送するための送信ビーム１２０２−１、１２０２−２、１２０２−３は、同一周波数（同一周波数帯）のビームであってもよいし、それぞれ、異なる周波数（異なる周波数帯）のビームであってもよい。「変調信号２」を伝送するための送信ビーム１２０３−１、１２０３−２、１２０３−３は、同一周波数（同一周波数帯）のビームであってもよいし、それぞれ、異なる周波数（異なる周波数帯）のビームであってもよい。
【０１４２】
図１、図３における基地局の設定部１５８の動作について、説明する。
【０１４３】
設定部１５８は、設定信号１６０を入力としている。設定信号１６０は、「マルチキャスト用の送信を行うか／ユニキャスト用の送信を行うか」の情報を含んでおり、図１２のような送信を基地局が行う場合、設定信号１６０により「マルチキャスト用の送信を行う」という情報が、設定部１５８に入力される。
【０１４４】
設定信号１６０は、「マルチキャストを行うときの送信変調信号数」の情報を含んでおり、図１２のような送信を基地局が行う場合、設定信号１６０により、「送信変調信号数は２」という情報が、設定部１５８に入力される。
【０１４５】
また、設定信号１６０は、「各変調信号をいくつの送信ビームで送信するか」の情報を含んでいてもよい。図１２のような送信を基地局が行う場合、設定信号１６０により、「変調信号１を送信する送信ビーム数は３、変調信号２を送信する送信ビーム数は３」という情報が、設定部１５８に入力される。
【０１４６】
なお、図１、図３の基地局は、データシンボルが「マルチキャスト用の送信であるか／ユニキャスト用の送信であるか」の情報、「マルチキャストを行うときの送信変調信号数」の情報、「各変調信号をいくつの送信ビームで送信するか」の情報等を含んだ制御情報シンボルを送信してもよい。これにより、端末は、適切な受信が可能となる。制御情報シンボルの構成の詳細については、後で行う。
【０１４７】
図１３は、図１、図３の＃ｉ情報１０１−ｉと図１２を用いて説明した「変調信号１」「変調信号２」の関係を説明するための図面である。
【０１４８】
例えば、＃１情報１０１−１に対して、誤り訂正符号化などの処理を施し、誤り訂正符号化後のデータを得る。この誤り訂正符号化後のデータを＃１送信データと名付ける。そして、＃１送信データに対してマッピングを行いデータシンボルを得るが、このデータシンボルをストリーム１用、ストリーム２用に振り分け、ストリーム１のデータシンボル（データシンボル群）、および、ストリーム２のデータシンボル（データシンボル群）を得る。このとき、シンボル番号ｉにおけるストリーム１のデータシンボルをｓ１（ｉ）、ストリーム２のデータシンボルをｓ２（ｉ）とする。すると、シンボル番号ｉにおける「変調信号１」ｔｘ１（ｉ）は、例えば、以下のようにあらわす。
【０１４９】
【数３】
2019151164.tif 000005
【０１５０】
そして、シンボル番号ｉにおける「変調信号２」ｔｘ２（ｉ）は、例えば、以下のようにあらわす。
【０１５１】
【数４】
2019151164.tif 000006
【０１５２】
なお、式（３）、式（４）において、α（ｉ）は複素数で定義することができ（したがって、実数であってもよい）、β（ｉ）は複素数で定義することができ（したがって、実数であってもよい）、γ（ｉ）は複素数で定義することができ（したがって、実数であってもよい）、δ（ｉ）は複素数で定義することができる（したがって、実数であってもよい）。また、α（ｉ）と記載しているが、シンボル番号ｉの関数でなくてもよく（固定の値であってもよい）、β（ｉ）と記載しているが、シンボル番号ｉの関数でなくてもよく（固定の値であってもよい）、γ（ｉ）と記載しているが、シンボル番号ｉの関数でなくてもよく（固定の値であってもよい）、δ（ｉ）と記載しているが、シンボル番号ｉの関数でなくてもよい（固定の値であってもよい）。
【０１５３】
そして、データシンボルから構成された「変調信号１のデータ伝送領域の信号」を含んだ「変調信号１のシンボル群」は、図１、図３の基地局から送信される。また、データシンボルから構成された「変調信号２のデータ伝送領域の信号」を含んだ「変調信号２のシンボル群」は、図１、図３の基地局から送信される。
【０１５４】
なお、「変調信号１」「変調信号２」に対して、位相変更やＣＤＤ(Cyclic Delay Diversity)等の信号処理を行ってもよい。ただし、信号処理の方法はこれに限ったものではない。
【０１５５】
図１４は、横軸時間としたときのフレーム構成の一例を示している。
【０１５６】
図１４の変調信号１の＃１シンボル群（１４０１−１）は、図１２における変調信号１のデータを伝送するための送信ビーム１２０２−１のシンボル群である。
【０１５７】
図１４の変調信号１の＃２シンボル群（１４０１−２）は、図１２における変調信号１のデータを伝送するための送信ビーム１２０２−２のシンボル群である。
【０１５８】
図１４の変調信号１の＃３シンボル群（１４０１−３）は、図１２における変調信号１のデータを伝送するための送信ビーム１２０２−３のシンボル群である。
【０１５９】
図１４の変調信号２の＃１シンボル群（１４０２−１）は、図１２における変調信号２のデータを伝送するための送信ビーム１２０３−１のシンボル群である。
【０１６０】
図１４の変調信号２の＃２シンボル群（１４０２−２）は、図１２における変調信号２のデータを伝送するための送信ビーム１２０３−２のシンボル群である。
【０１６１】
図１４の変調信号２の＃３シンボル群（１４０２−３）は、図１２における変調信号２のデータを伝送するための送信ビーム１２０３−３のシンボル群である。
【０１６２】
そして、変調信号１の＃１シンボル群（１４０１−１）、変調信号１の＃２シンボル群（１４０１−２）、変調信号１の＃３シンボル群（１４０１−３）、変調信号２の＃１シンボル群（１４０２−１）、変調信号２の＃２シンボル群（１４０２−２）、変調信号２の＃３シンボル群（１４０２−３）は、例えば、時間区間１に存在している。
【０１６３】
また、前にも記載したように、変調信号１の＃１シンボル群（１４０１−１）と変調信号２の＃１シンボル群（１４０２−１）は、同一周波数（同一周波数帯）を用いて送信されており、変調信号１の＃２シンボル群（１４０１−２）と変調信号２の＃２シンボル群（１４０２−２）は、同一周波数（同一周波数帯）を用いて送信されており、変調信号１の＃３シンボル群（１４０１−３）と変調信号２の＃３シンボル群（１４０２−３）は、同一周波数（同一周波数帯）を用いて送信されている。
【０１６４】
例えば、図１３の手順で、情報から「変調信号１のデータ伝送領域の信号Ａ」および「変調信号２のデータ伝送領域の信号Ａ」を生成した。
【０１６５】
そして、「変調信号１のデータ伝送領域の信号Ａ」を構成する信号と同等の信号で構成された信号「変調信号１のデータ伝送領域の信号Ａ−１」、「変調信号１のデータ伝送領域の信号Ａ」を構成する信号と同等の信号で構成された信号「変調信号１のデータ伝送領域の信号Ａ−２」、「変調信号１のデータ伝送領域の信号Ａ」を構成する信号と同等の信号で構成された信号「変調信号１のデータ伝送領域の信号Ａ−３」を用意する。（つまり、「変調信号１のデータ伝送領域の信号群Ａ−１」を構成する信号と「変調信号１のデータ伝送領域の信号Ａ−２」を構成する信号と「変調信号１のデータ伝送領域の信号Ａ−３」を構成する信号は同じである。）
【０１６６】
このとき、図１４の変調信号１の＃１シンボル群（１４０１−１）は、「変調信号１のデータ伝送領域の信号Ａ−１」を含んでおり、図１４の変調信号１の＃２シンボル群（１４０１−２）は、「変調信号１のデータ伝送領域の信号Ａ−２」を含んでおり、図１４の変調信号１の＃３シンボル群（１４０１−３）は、「変調信号１のデータ伝送領域の信号Ａ−３」を含んでいる。つまり、変調信号１の＃１シンボル群（１４０１−１）、変調信号１の＃２シンボル群（１４０１−２）、変調信号１の＃３シンボル群（１４０１−３）は、同等の信号を含んでいる。
【０１６７】
また、「変調信号２のデータ伝送領域の信号Ａ」を構成する信号と同等の信号で構成された信号「変調信号２のデータ伝送領域の信号Ａ−１」、「変調信号２のデータ伝送領域の信号Ａ」を構成する信号と同等の信号で構成された信号「変調信号２のデータ伝送領域の信号Ａ−２」、「変調信号２のデータ伝送領域の信号Ａ」を構成する信号と同等の信号で構成された信号「変調信号２のデータ伝送領域の信号Ａ−３」を用意する（つまり、「変調信号２のデータ伝送領域の信号Ａ−１」を構成する信号と「変調信号２のデータ伝送領域の信号Ａ−２」を構成する信号と「変調信号２のデータ伝送領域の信号Ａ−３」を構成する信号は同じである。）。
【０１６８】
このとき、図１４の変調信号２の＃１シンボル群（１４０２−１）は、「変調信号２のデータ伝送領域の信号Ａ−１」を含んでおり、図１４のストリーム２の＃２シンボル群（１４０２−２）は、「変調信号２のデータ伝送領域の信号Ａ−２」を含んでおり、図１４の変調信号２の＃３シンボル群（１４０２−３）は、「変調信号２のデータ伝送領域の信号Ａ−３」を含んでいる。つまり、変調信号２の＃１シンボル群（１４０２−１）、変調信号２の＃２シンボル群（１４０２−２）、変調信号２の＃３シンボル群（１４０２−３）は、同等の信号を含んでいる。
【０１６９】
図１５は、図１４で説明した「変調信号Ｘのシンボル群＃Ｙ」（Ｘ＝１，２；Ｙ＝１，２，３）のフレーム構成の一例を示している。図１５において、横軸時間であり、１５０１は制御情報シンボル、１５０２はデータ伝送用の変調信号送信領域である。このとき、データ伝送用の変調信号送信領域１５０２は、図１４を用いて説明した「変調信号１のデータ伝送領域の信号Ａ」または「変調信号２のデータ伝送領域の信号Ａ」を伝送するためのシンボルである。
【０１７０】
なお、図１５のフレーム構成において、ＯＦＤＭ（Orthogonal Frequency Division Multiplexing）方式などのマルチキャリア方式を用いてもよく、この場合、周波数軸方向にシンボルが存在していてもよい。また、各シンボルには、受信装置が時間及び周波数同期を行うためのリファレンスシンボル、受信装置が信号を検出するためのリファレンスシンボル、受信装置がチャネル推定を行うためのリファレンスシンボルなどが含まれていてもよい。そして、フレーム構成は図１５に限ったものではなく、制御情報シンボル１５０１、データ伝送用の変調信号送信領域１５０２をどのように配置してもよい。リファレンスシンボルは、例えば、プリアンブル、パイロットシンボルと呼んでも良い。
【０１７１】
次に、制御情報シンボル１５０１の構成について説明する。
【０１７２】
図１６は、図１５の制御情報シンボルとして送信するシンボルの構成の一例を示しており、横軸は時間である。図１６において、１６０１は、「端末が受信指向性制御を行うためのトレーニングシンボル」であり、端末は、「端末が受信指向性制御を行うためのトレーニングシンボル」１６０１を受信することで、「信号処理部４０５」、および／または、「アンテナ４０１−１から４０１−Ｎ」、および／または、「乗算部６０３−１から６０３−Ｌ、および、処理部６０５」で実施する、受信時の指向性制御のための信号処理方法を決定する。
【０１７３】
１６０２は、「マルチキャストを行っているときの送信変調信号数を通知するためのシンボル」であり、端末は、「マルチキャストを行っているときの送信変調信号数を通知するためのシンボル」１６０２を受信することで、端末は、得る必要がある変調信号数を知る。
【０１７４】
１６０３は、「変調信号のデータ伝送用の変調信号送信領域がどの変調信号のデータ伝送用の変調信号送信領域であるかを通知するためのシンボル」であり、端末は、「変調信号のデータ伝送用の変調信号送信領域がどの変調信号のデータ伝送用の変調信号送信領域であるかを通知するためのシンボル」１６０３を受信することで、端末は、基地局が送信している変調信号のうち、どの変調信号を受信できているか、を知ることができる。
【０１７５】
上記についての例を説明する。
【０１７６】
図１２のように、基地局が「変調信号」、送信ビームを送信している場合を考える。そして、図１４の変調信号１の＃１シンボル群１４０１−１における制御情報シンボルの具体的な情報について説明する。
【０１７７】
図１２の場合、基地局は「変調信号１」および「変調信号２」を送信しているため、「マルチキャストを行っているときの送信変調信号数を通知するためのシンボル」１６０２の情報は「２」という情報となる。
【０１７８】
また、図１４の変調信号１の＃１シンボル群１４０１−１は、変調信号１のデータ伝送領域の信号を送信しているため、「変調信号のデータ伝送用の変調信号送信領域がどの変調信号のデータ伝送用の変調信号送信領域であるかを通知するためのシンボル」１６０３の情報は「変調信号１」という情報になる。
【０１７９】
例えば、端末が、図１４の変調信号１の＃１シンボル群１４０１−１を受信したとする。このとき、端末は、「マルチキャストを行っているときの送信変調信号数を通知するためのシンボル」１６０２から「変調信号数２」、「変調信号のデータ伝送用の変調信号送信領域がどの変調信号のデータ伝送用の変調信号送信領域であるかを通知するためのシンボル」１６０３から「変調信号１」を得ているということを認識する。
【０１８０】
すると、端末は、存在する「変調信号数２」、得ている変調信号が「変調信号１」であると認識するので、「変調信号２」を得る必要があると認識する。よって、端末は、「変調信号２」を探す作業を開始することができる。例えば、図１４の「変調信号２の＃１シンボル群」１４０２−１、「変調信号２の＃２シンボル群」１４０２−２、「変調信号２の＃３シンボル群」１４０２−３のいずれかの送信ビームを、端末は探す。
【０１８１】
そして、端末は、「変調信号２の＃１シンボル群」１４０２−１、「変調信号２の＃２シンボル群」１４０２−２、「変調信号２の＃３シンボル群」１４０２−３のいずれかの送信ビームを得ることで、「変調信号１」と「変調信号２」の両者を得、ストリーム１のデータシンボル、ストリーム２のデータシンボルを高品質に得ることが可能となる。
【０１８２】
このように、制御情報シンボルを構成することで、端末は、的確にデータシンボルを得ることができるという効果を得ることができる。
【０１８３】
以上のように、マルチキャストデータ伝送及びブロードキャストデータ伝送において、基地局が、データシンボルを複数の送信ビームを用いて送信し、端末は、複数の送信ビームから、品質のよい、ビームを選択的に受信することにより、基地局が送信した変調信号は、高いデータの受信品質が得られるエリアを広くすることができるという効果を得ることができる。これは、基地局が、送信指向性制御、受信指向性制御を行っているためである。
【０１８４】
また、上述の説明では、端末が、受信指向性制御を行っていることを説明したが、端末は、受信指向性制御を行わなくても、上述の効果を得ることは可能である。
【０１８５】
なお、図７において、各端末は、ストリーム１の変調信号と、ストリーム２の変調信号の両者を得ている場合について説明しているが、必ずしもこのような実施の形態に限ったものではない。例えば、ストリーム１の変調信号を得たい端末、ストリーム２の変調信号を得たい端末、ストリーム１の変調信号およびストリーム２の変調信号の両者を得たい端末が存在するというように、端末によって、得たい変調信号が異なるというような実施をしてもよい。
【０１８６】
（実施の形態２）
実施の形態１では、マルチキャストデータ伝送及びブロードキャストデータ伝送において、基地局が、データシンボルを複数の送信ビームを用いて送信する方法について説明した。本実施の形態では、実施の形態１の変形例として、基地局が、マルチキャストデータ伝送及びブロードキャストデータ伝送を行うとともに、ユニキャストのデータ伝送を行う場合について説明する。
【０１８７】
図１７は、基地局（または、アクセスポイントなど）と端末の通信状態の一例を示しており、図７と同様に動作するものについては、同一番号を付しており、詳細の説明は省略する。
【０１８８】
基地局７００は、複数アンテナを具備し、送信用のアンテナ７０１から、複数の送信信号を送信する。このとき、基地局７００は、例えば、図１、図３のような構成で構成されており、信号処理部１０２（および／または、重み付け合成部３０１）において、プリコーディング（重み付け合成）を行うことで、送信ビームフォーミング（指向性制御）を行う。
【０１８９】
そして、送信ビーム７０２−１、７０２−２、７０２−３、７０３−１、７０３−２、７０３−３の説明については、図７を用いて説明したとおりであるので、説明を省略する。
【０１９０】
また、端末７０４−１、７０４−２、７０４−３、７０４−４、７０４−５、および、受信指向性７０５−１、７０５−２、７０５−３、７０５−４、７０５−５、７０６−１、７０６−２、７０６−３、７０６−４、７０６−５の説明については、図７を用いて説明したとおりであるので、説明を省略する。
【０１９１】
図１７において、特徴的な点は、基地局が、図７で説明したように、マルチキャストを行うとともに、基地局７００と端末（例えば１７０２）がユニキャストの通信を行う点である。
【０１９２】
基地局７００は、マルチキャスト用の送信ビーム７０２−１、７０２−２、７０２−３、７０３−１、７０３−２、７０３−３に加え、図１７では、ユニキャスト用の送信ビーム１７０１を生成し、端末１７０２に対し、個別データを伝送する。なお、図１７では、端末１７０２に対し、基地局７００は、送信ビーム１７０１の一つを送信している例を示しているが、送信ビームの数は、一つに限ったものではなく、基地局７００は、端末１７０２に対し、複数の送信ビームを送信してもよい（複数の変調信号を送信してもよい）。
【０１９３】
そして、端末１７０２は、「信号処理部４０５」、および／または、「アンテナ４０１−１から４０１−Ｎ」、および／または、「乗算部６０３−１から６０３−Ｌ、および、信号処理部６０５」により、受信時の指向性制御を行う、受信指向性１７０３を形成する。これにより、端末１７０２は、送信ビーム１７０１の受信及び復調が可能となる。
【０１９４】
なお、送信ビーム１７０１を含む送信ビームを生成するために、基地局は、例えば、図１、図３のような構成における信号処理部１０２（および／または、重み付け合成部３０１）において、プリコーディング（重み付け合成）を行う。
【０１９５】
逆に、端末１７０２が、基地局７００に対し、変調信号を送信する場合、端末１７０２は、プリコーディング（または、重み付け合成）を行い、送信ビーム１７０３を送信し、基地局７００は、受信時の指向性制御を行う、受信指向性１７０１を形成する。これにより、基地局７００は、送信ビーム１７０３の受信及び復調が可能となる。
【０１９６】
なお、ストリーム１のデータを伝送するための送信ビーム７０２−１とストリーム２のデータを伝送するための送信ビーム７０３−１は、同一周波数（同一周波数帯）、同一時間を用いて、基地局７００は送信する。そして、ストリーム１のデータを伝送するための送信ビーム７０２−２とストリーム２のデータを伝送するための送信ビーム７０３−２は、同一周波数（同一周波数帯）、同一時間を用いて、基地局７００は送信する。また、ストリーム１のデータを伝送するための送信ビーム７０２−３とストリーム２のデータを伝送するための送信ビーム７０３−３は、同一周波数（同一周波数帯）、同一時刻を用いて、基地局７００は送信する。
【０１９７】
また、ストリーム１のデータを伝送するための送信ビーム７０２−１、７０２−２、７０２−３は、同一周波数（同一周波数帯）のビームであってもよいし、それぞれ、異なる周波数（異なる周波数帯）のビームであってもよい。ストリーム２のデータを伝送するための送信ビーム７０３−１、７０３−２、７０３−３は、同一周波数（同一周波数帯）のビームであってもよいし、それぞれ、異なる周波数（異なる周波数帯）のビームであってもよい。
【０１９８】
そして、ユニキャスト用の送信ビーム１７０１は、送信ビーム７０２−１、７０２−２、７０２−３、７０３−１、７０３−２、７０３−３と同一周波数（同一周波数帯）のビームであってもよいし、異なる周波数（異なる周波数帯）のビームであってもよい。
【０１９９】
また、図１７では、ユニキャスト通信を行う端末を１台として記載を進めたが、基地局とユニキャスト通信を行う端末の数は、複数台であってもよい。
【０２００】
このとき、基地局の構成図１、図３における設定部１５８の動作について、説明する。
【０２０１】
設定部１５８は、設定信号１６０を入力としている。設定信号１６０は、「マルチキャスト用の送信を行うか／ユニキャスト用の送信を行うか」の情報を含んでおり、図１７のような送信を基地局が行う場合、設定信号１６０により「マルチキャスト用の送信、ユニキャスト用の送信両者を行う」という情報が、設定部１５８に入力される。
【０２０２】
あわせて、設定信号１６０は、「マルチキャストを行うときの送信ストリーム数」の情報を含んでおり、図１７のような送信を基地局が行う場合、設定信号１６０により、「送信ストリーム数は２」という情報が、設定部１５８に入力される。
【０２０３】
また、設定信号１６０は、「各ストリームをいくつの送信ビームで送信するか」の情報を含んでいてもよい。図１７のような送信を基地局が行う場合、設定信号１６０により、「ストリーム１を送信する送信ビーム数は３、ストリーム２を送信する送信ビーム数は３」という情報が、設定部１５８に入力される。
【０２０４】
なお、図１、図３の基地局は、データシンボルが「マルチキャスト用の送信であるか／ユニキャスト用の送信であるか」の情報、「マルチキャストを行うときの送信ストリーム数」の情報、「各ストリームをいくつの送信ビームで送信するか」の情報等を含んだ制御情報シンボルを送信してもよい。これにより、端末は、適切な受信が可能となる。
【０２０５】
さらに、基地局は、ユニキャスト通信を行う端末に対して、基地局が指向性制御を行うためのトレーニング用の制御情報シンボル、端末が指向性制御を行うためのトレーニング用の制御情報シンボルを送信してもよい。
【０２０６】
図１８は、基地局（または、アクセスポイントなど）と端末の通信状態の一例を示しており、図７、図１２と同様に動作するものについては、同一番号を付しており、詳細の説明は省略する。
【０２０７】
基地局７００は、複数アンテナを具備し、送信用のアンテナ７０１から、複数の送信信号を送信する。このとき、基地局７００は、例えば、図１、図３のような構成で構成されており、信号処理部１０２（および／または、重み付け合成部３０１）において、プリコーディング（重み付け合成）を行うことで、送信ビームフォーミング（指向性制御）を行う。
【０２０８】
そして、送信ビーム１２０２−１、１２０２−２、１２０２−３、１２０３−１、１２０３−２、１２０３−３の説明については、図１２を用いて説明したとおりであるので、説明を省略する。
【０２０９】
また、端末７０４−１、７０４−２、７０４−３、７０４−４、７０４−５、および、受信指向性７０５−１、７０５−２、７０５−３、７０５−４、７０５−５、７０６−１、７０６−２、７０６−３、７０６−４、７０６−５の説明については、図１２を用いて説明したとおりであるので、説明を省略する。
【０２１０】
図１８において、特徴的な点は、基地局が、図１２で説明したように、マルチキャストを行うとともに、基地局７００と端末（例えば１７０２）がユニキャストの通信を行う点である。
【０２１１】
基地局７００は、マルチキャスト用の送信ビーム１２０２−１、１２０２−２、１２０２−３、１２０３−１、１２０３−２、１２０３−３に加え、図１８では、ユニキャスト用の送信ビーム１７０１を生成し、端末１７０２に対し、個別データを伝送する。なお、図１８では、端末１７０２に対し、基地局７００は、送信ビーム１７０１の一つを送信している例を示しているが、送信ビームの数は、一つに限ったものではなく、基地局７００は、端末１７０２に対し、複数の送信ビームを送信してもよい（複数の変調信号を送信してもよい）。
【０２１２】
そして、端末１７０２は、「信号処理部４０５」、および／または、「アンテナ４０１−１から４０１−Ｎ」、および／または、「乗算部６０３−１から６０３−Ｌ、および、信号処理部６０５」により、受信時の指向性制御を行う、受信指向性１７０３を形成する。これにより、端末１７０２は、送信ビーム１７０１の受信及び復調が可能となる。
【０２１３】
なお、送信ビーム１７０１を含む送信ビームを生成するために、基地局は、例えば、図１、図３のような構成における信号処理部１０２（および／または、重み付け合成部３０１）において、プリコーディング（重み付け合成）を行う。
【０２１４】
逆に、端末１７０２が、基地局７００に対し、変調信号を送信する場合、端末１７０２は、プリコーディング（または、重み付け合成）を行い、送信ビーム１７０３を送信し、基地局７００は、受信時の指向性制御を行う、受信指向性１７０１を形成する。これにより、基地局７００は、送信ビーム１７０３の受信及び復調が可能となる。
【０２１５】
なお、「変調信号１」を伝送するための送信ビーム１２０２−１と「変調信号２」を伝送するための送信ビーム１２０３−１は、同一周波数（同一周波数帯）、同一時間を用いて、基地局７００は送信する。そして、「変調信号１」を伝送するための送信ビーム１２０２−２と「変調信号２」を伝送するための送信ビーム１２０３−２は、同一周波数（同一周波数帯）、同一時間を用いて、基地局７００は送信する。また、「変調信号１」を伝送するための送信ビーム１２０２−３と「変調信号２」を伝送するための送信ビーム１２０３−３は、同一周波数（同一周波数帯）、同一時刻を用いて、基地局７００は送信する。
【０２１６】
また、「変調信号１」を伝送するための送信ビーム１２０２−１、１２０２−２、１２０２−３は、同一周波数（同一周波数帯）のビームであってもよいし、それぞれ、異なる周波数（異なる周波数帯）のビームであってもよい。「変調信号２」を伝送するための送信ビーム１２０３−１、１２０３−２、１２０３−３は、同一周波数（同一周波数帯）のビームであってもよいし、それぞれ、異なる周波数（異なる周波数帯）のビームであってもよい。
【０２１７】
そして、ユニキャスト用の送信ビーム１７０１は、送信ビーム１２０２−１、１２０２−２、１２０２−３、１２０３−１、１２０３−２、１２０３−３と同一周波数（同一周波数帯）のビームであってもよいし、異なる周波数（異なる周波数帯）のビームであってもよい。
【０２１８】
また、図１８では、ユニキャスト通信を行う端末を１台として記載を進めたが、基地局とユニキャスト通信を行う端末の数は、複数台であってもよい。
【０２１９】
このとき、基地局の構成図１、図３における設定部１５８の動作について、説明する。
【０２２０】
設定部１５８は、設定信号１６０を入力としている。設定信号１６０は、「マルチキャスト用の送信を行うか／ユニキャスト用の送信を行うか」の情報を含んでおり、図１８のような送信を基地局が行う場合、設定信号１６０により「マルチキャスト用の送信、ユニキャスト用の送信両者を行う」という情報が、設定部１５８に入力される。
【０２２１】
あわせて、設定信号１６０は、「マルチキャストを行うときの送信ストリーム数」の情報を含んでおり、図１８のような送信を基地局が行う場合、設定信号１６０により、「送信ストリーム数は２」という情報が、設定部１５８に入力される。
【０２２２】
また、設定信号１６０は、「各ストリームをいくつの送信ビームで送信するか」の情報を含んでいてもよい。図１８のような送信を基地局が行う場合、設定信号１６０により、「ストリーム１を送信する送信ビーム数は３、ストリーム２を送信する送信ビーム数は３」という情報が、設定部１５８に入力される。
【０２２３】
なお、図１、図３の基地局は、データシンボルが「マルチキャスト用の送信であるか／ユニキャスト用の送信であるか」の情報、「マルチキャストを行うときの送信ストリーム数」の情報、「各ストリームをいくつの送信ビームで送信するか」の情報等を含んだ制御情報シンボルを送信してもよい。これにより、端末は、適切な受信が可能となる。
【０２２４】
さらに、基地局は、ユニキャスト通信を行う端末に対して、基地局が指向性制御を行うためのトレーニング用の制御情報シンボル、端末が指向性制御を行うためのトレーニング用の制御情報シンボルを送信してもよい。
【０２２５】
次に、実施の形態１の変形例として、基地局が、マルチキャストデータ伝送を複数送信する場合について説明する。
【０２２６】
図１９は、基地局（または、アクセスポイントなど）と端末の通信状態の一例を示しており、図７と同様に動作するものについては、同一番号を付しており、詳細の説明は省略する。
【０２２７】
基地局７００は、複数アンテナを具備し、送信用のアンテナ７０１から、複数の送信信号を送信する。このとき、基地局７００は、例えば、図１、図３のような構成で構成されており、信号処理部１０２（および／または、重み付け合成部３０１）において、プリコーディング（重み付け合成）を行うことで、送信ビームフォーミング（指向性制御）を行う。
【０２２８】
そして、送信ビーム７０２−１、７０２−２、７０２−３、７０３−１、７０３−２、７０３−３の説明については、図７を用いて説明したとおりであるので、説明を省略する。
【０２２９】
また、端末７０４−１、７０４−２、７０４−３、７０４−４、７０４−５、および、受信指向性７０５−１、７０５−２、７０５−３、７０５−４、７０５−５、７０６−１、７０６−２、７０６−３、７０６−４、７０６−５の説明については、図７を用いて説明したとおりであるので、説明を省略する。
【０２３０】
基地局７００は、送信ビーム７０２−１、７０２−２、７０２−３、７０３−１、７０３−２、７０３−３に加えて送信ビーム１９０１−１、１９０１−２、１９０２−１、１９０２−２を送信する。
【０２３１】
送信ビーム１９０１−１は、ストリーム３のデータを伝送するための送信ビームである。また、送信ビーム１９０１−２も、ストリーム３のデータを伝送するための送信ビームである。
【０２３２】
送信ビーム１９０２−１は、ストリーム４のデータを伝送するための送信ビームである。また、送信ビーム１９０２−２も、ストリーム４のデータを伝送するための送信ビームである。
【０２３３】
７０４−１、７０４−２、７０４−３、７０４−４、７０４−５、１９０３−１、１９０３−２、１９０３−３は端末であり、例えば、図４、図５のような構成で構成されている。なお、端末７０４−１、７０４−２、７０４−３、７０４−４、７０４−５の動作については、図７を用いて説明したとおりである。
【０２３４】
端末１９０３−１は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性１９０４−１、および、受信指向性１９０５−１を形成する。そして、受信指向性１９０４−１により、端末１９０３−１は、ストリーム３のデータを伝送するための送信ビーム１９０１−２の受信及び復調が可能となり、受信指向性１９０５−１により、端末１９０３−１は、ストリーム４のデータを伝送するための送信ビーム１９０２−２の受信及び復調が可能となる。
【０２３５】
端末１９０３−２は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性１９０４−２、および、受信指向性１９０５−２を形成する。そして、受信指向性１９０４−２により、端末１９０３−２は、ストリーム４のデータを伝送するための送信ビーム１９０２−１の受信及び復調が可能となり、受信指向性１９０５−２により、端末１９０３−２は、ストリーム３のデータを伝送するための送信ビーム１９０１−２の受信及び復調が可能となる。
【０２３６】
端末１９０３−３は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性１９０４−３、および、受信指向性１９０５−３を形成する。そして、受信指向性１９０４−３により、端末１９０３−３は、ストリーム３のデータを伝送するための送信ビーム１９０１−１の受信及び復調が可能となり、受信指向性１９０５−３により、端末１９０３−３は、ストリーム４のデータを伝送するための送信ビーム１９０２−１の受信及び復調が可能となる。
【０２３７】
端末１９０３−４は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性１９０４−４、および、受信指向性１９０５−４を形成する。そして、受信指向性１９０４−４により、端末１９０３−４は、ストリーム２のデータを伝送するための送信ビーム７０３−１の受信及び復調が可能となり、受信指向性１９０５−４により、端末１９０３−４は、ストリーム３のデータを伝送するための送信ビーム１９０１−１の受信及び復調が可能となる。
【０２３８】
図１９において、特徴的な点は、基地局が、マルチキャスト用のデータを含むストリームを複数送信するとともに、各ストリームは、複数の送信ビームで送信されており、各端末は、複数のストリームのうち一つ以上のストリームの送信ビームを選択的に受信する点である。
【０２３９】
なお、ストリーム１のデータを伝送するための送信ビーム７０２−１とストリーム２のデータを伝送するための送信ビーム７０３−１は、同一周波数（同一周波数帯）、同一時間を用いて、基地局７００は送信する。そして、ストリーム１のデータを伝送するための送信ビーム７０２−２とストリーム２のデータを伝送するための送信ビーム７０３−２は、同一周波数（同一周波数帯）、同一時間を用いて、基地局７００は送信する。また、ストリーム１のデータを伝送するための送信ビーム７０２−３とストリーム２のデータを伝送するための送信ビーム７０３−３は、同一周波数（同一周波数帯）、同一時刻を用いて、基地局７００は送信する。
【０２４０】
ストリーム３のデータを伝送するための送信ビーム１９０１−１とストリーム４のデータを伝送するための送信ビーム１９０２−１は、同一周波数（同一周波数帯）、同一時間を用いて、基地局７００は送信する。そして、ストリーム３のデータを伝送するための送信ビーム１９０１−２とストリーム４のデータを伝送するための送信ビーム１９０２−２は、同一周波数（同一周波数帯）、同一時間を用いて、基地局７００は送信する。
【０２４１】
また、ストリーム１のデータを伝送するための送信ビーム７０２−１、７０２−２、７０２−３は、同一周波数（同一周波数帯）のビームであってもよいし、それぞれ、異なる周波数（異なる周波数帯）のビームであってもよい。ストリーム２のデータを伝送するための送信ビーム７０３−１、７０３−２、７０３−３は、同一周波数（同一周波数帯）のビームであってもよいし、それぞれ、異なる周波数（異なる周波数帯）のビームであってもよい。
【０２４２】
ストリーム３のデータを伝送するための送信ビーム１９０１−１、１９０１−２は、同一周波数（同一周波数帯）のビームであってもよいし、それぞれ、異なる周波数（異なる周波数帯）のビームであってもよい。また、ストリーム４のデータを伝送するための送信ビーム１９０２−１、１９０２−２は、同一周波数（同一周波数帯）のビームであってもよいし、それぞれ、異なる周波数（異なる周波数帯）のビームであってもよい。
【０２４３】
そして、図１の＃１情報１０１−１からストリーム１のデータシンボルを生成してもよいし、ストリーム２のデータシンボルを生成し、＃２情報１０１−２からストリーム３のデータシンボル、ストリーム４のデータシンボルを生成してもよい。なお、＃１情報１０１−１、＃２情報１０１−２はそれぞれ誤り訂正符号化を行い、その後、データシンボルを生成してもよい。
【０２４４】
また、図１の＃１情報１０１−１からストリーム１のデータシンボルを生成し、図１の＃２情報１０１−２からストリーム２のデータシンボルを生成し、図１の＃３情報１０１−３からストリーム３のデータシンボルを生成し、図１の＃４情報１０１−４からストリーム４のデータシンボルを生成するとしてもよい。なお、＃１情報１０１−１、＃２情報１０１−２、＃３情報１０１−３、＃４情報１０１−４は、それぞれ、誤り訂正符号化を行い、その後データシンボルを生成してもよい。
【０２４５】
つまり、各ストリームのデータシンボルは、図１の情報のいずれから生成してもよい。このため、端末は、マルチキャスト用のストリームを選択的に得ることができるという効果を得る。
【０２４６】
このとき、基地局の構成図１、図３における設定部１５８の動作について、説明する。設定部１５８は、設定信号１６０を入力としている。設定信号１６０は、「マルチキャスト用の送信を行うか／ユニキャスト用の送信を行うか」の情報を含んでおり、図１９のような送信を基地局が行う場合、設定信号１６０により「マルチキャスト用の送信を行う」という情報が、設定部１５８に入力される。
【０２４７】
設定信号１６０は、「マルチキャストを行うときの送信ストリーム数」の情報を含んでおり、図１９のような送信を基地局が行う場合、設定信号１６０により、「送信ストリーム数は４」という情報が、設定部１５８に入力される。
【０２４８】
また、設定信号１６０は、「各ストリームをいくつの送信ビームで送信するか」の情報を含んでいてもよい。図１９のような送信を基地局が行う場合、設定信号１６０により、「ストリーム１を送信する送信ビーム数は３、ストリーム２を送信する送信ビーム数は３、ストリーム３を送信する送信ビーム数は２、ストリーム４を送信する送信ビーム数は２」という情報が、設定部１５８に入力される。
【０２４９】
なお、図１、図３の基地局は、データシンボルが「マルチキャスト用の送信であるか／ユニキャスト用の送信であるか」の情報、「マルチキャストを行うときの送信ストリーム数」の情報、「各ストリームをいくつの送信ビームで送信するか」の情報等を含んだ制御情報シンボルを送信してもよい。これにより、端末は、適切な受信が可能となる。
【０２５０】
次に、実施の形態１の変形例として、基地局が、マルチキャストデータ伝送を複数送信する場合について説明する。
【０２５１】
図２０は、基地局（または、アクセスポイントなど）と端末の通信状態の一例を示しており、図７、図１２、図１９と同様に動作するものについては、同一番号を付しており、詳細の説明は省略する。
【０２５２】
基地局７００は、複数アンテナを具備し、送信用のアンテナ７０１から、複数の送信信号を送信する。このとき、基地局７００は、例えば、図１、図３のような構成で構成されており、信号処理部１０２（および／または、重み付け合成部３０１）において、プリコーディング（重み付け合成）を行うことで、送信ビームフォーミング（指向性制御）を行う。
【０２５３】
そして、送信ビーム１２０２−１、１２０２−２、１２０２−３、１２０３−１、１２０３−２、１２０３−３の説明については、図１２の説明と重複するので、説明を省略する。
【０２５４】
また、端末７０４−１、７０４−２、７０４−３、７０４−４、７０４−５、および、受信指向性７０５−１、７０５−２、７０５−３、７０５−４、７０５−５、７０６−１、７０６−２、７０６−３、７０６−４、７０６−５の説明については、図１２の説明と重複するので、説明を省略する。
【０２５５】
基地局７００は、送信ビーム１２０２−１、１２０２−２、１２０２−３、１２０３−１、１２０３−２、１２０３−３に加えて送信ビーム２００１−１、２００１−２、２００２−１、２００２−２を送信する。
【０２５６】
送信ビーム２００１−１は、「変調信号３」を伝送するための送信ビームである。また、送信ビーム２００１−２も、「変調信号３」を伝送するための送信ビームである。
【０２５７】
送信ビーム２００２−１は、「変調信号４」を伝送するための送信ビームである。また、送信ビーム２００２−２も、「変調信号４」を伝送するための送信ビームである。
【０２５８】
端末７０４−１、７０４−２、７０４−３、７０４−４、７０４−５、１９０３−１、１９０３−２、１９０３−３は、例えば、図４、図５と同じ構成である。なお、端末７０４−１、７０４−２、７０４−３、７０４−４、７０４−５の動作については、図７の説明と同じである。
【０２５９】
端末１９０３−１は、「信号処理部４０５」、および／または、「アンテナ４０１−１からアンテナ４０１−Ｎまで」、および／または、「乗算部６０３−１から乗算部６０３−Ｌまで、および、処理部６０５」により、受信時の指向性制御を行い、受信指向性１９０４−１、および、受信指向性１９０５−１を形成する。そして、受信指向性１９０４−１により、端末１９０３−１は、「変調信号３」を伝送するための送信ビーム２００１−２の受信及び復調が可能となり、受信指向性１９０５−１により、端末１９０３−１は、「変調信号４」を伝送するための送信ビーム２００２−２の受信及び復調が可能となる。
【０２６０】
端末１９０３−２は、「信号処理部４０５」、および／または、「アンテナ４０１−１からアンテナ４０１−Ｎまで」、および／または、「乗算部６０３−１から乗算部６０３−Ｌまで、および、処理部６０５」により、受信時の指向性制御を行い、受信指向性１９０４−２、および、受信指向性１９０５−２を形成する。そして、受信指向性１９０４−２により、端末１９０３−２は、「変調信号４」を伝送するための送信ビーム２００２−１の受信及び復調が可能となり、受信指向性１９０５−２により、端末１９０３−２は、「変調信号３」を伝送するための送信ビーム２００１−２の受信及び復調が可能となる。
【０２６１】
端末１９０３−３は、「信号処理部４０５」、および／または、「アンテナ４０１−１からアンテナ４０１−Ｎまで」、および／または、「乗算部６０３−１から乗算部６０３−Ｌまで、および、処理部６０５」により、受信時の指向性制御を行い、受信指向性１９０４−３、および、受信指向性１９０５−３を形成する。そして、受信指向性１９０４−３により、端末１９０３−３は、「変調信号３」を伝送するための送信ビーム２００１−１の受信及び復調が可能となり、受信指向性１９０５−３により、端末１９０３−３は、「変調信号４」を伝送するための送信ビーム２００２−１の受信及び復調が可能となる。
【０２６２】
端末１９０３−４は、「信号処理部４０５」、および／または、「アンテナ４０１−１からアンテナ４０１−Ｎまで」、および／または、「乗算部６０３−１から乗算部６０３−Ｌまで、および、処理部６０５」により、受信時の指向性制御を行い、受信指向性１９０４−４、および、受信指向性１９０５−４を形成する。そして、受信指向性１９０４−４により、端末１９０３−４は、「変調信号３」を伝送するための送信ビーム２００１−１の受信及び復調が可能となり、受信指向性１９０５−４により、端末１９０３−４は、「変調信号４」を伝送するための送信ビーム２００２−１の受信及び復調が可能となる。
【０２６３】
図２０において、基地局が、マルチキャスト用のデータを含む変調信号を複数送信し、各変調信号は、複数の送信ビームで送信されており、各端末は、複数の変調信号のうち一つ以上のストリームの送信ビームを選択的に受信する。
【０２６４】
なお、基地局７００は、「変調信号１」を伝送するための送信ビーム１２０２−１と「変調信号２」を伝送するための送信ビーム１２０３−１を、同一周波数（同一周波数帯）、同一時間を用いて、送信する。そして、基地局７００は、「変調信号１」を伝送するための送信ビーム１２０２−２と「変調信号２」を伝送するための送信ビーム１２０３−２を、同一周波数（同一周波数帯）、同一時間を用いて、送信する。また、基地局７００は、「変調信号１」を伝送するための送信ビーム１２０２−３と「変調信号２」を伝送するための送信ビーム１２０３−３を、同一周波数（同一周波数帯）、同一時刻を用いて、送信する。
【０２６５】
基地局７００は、「変調信号３」を伝送するための送信ビーム２００１−１と「変調信号４」を伝送するための送信ビーム２００２−１を、同一周波数（同一周波数帯）、同一時間を用いて、送信する。そして、基地局７００は、「変調信号３」を伝送するための送信ビーム２００１−２と「変調信号４」を伝送するための送信ビーム２００２−２を、同一周波数（同一周波数帯）、同一時間を用いて、送信する。
【０２６６】
また、ストリーム１のデータを伝送するための送信ビーム７０２−１、７０２−２、７０２−３は、同一周波数（同一周波数帯）のビームであってもよいし、それぞれ、異なる周波数（異なる周波数帯）のビームであってもよい。ストリーム２のデータを伝送するための送信ビーム７０３−１、７０３−２、７０３−３は、同一周波数（同一周波数帯）のビームであってもよいし、それぞれ、異なる周波数（異なる周波数帯）のビームであってもよい。
【０２６７】
「変調信号３」を伝送するための送信ビーム２００１−１、２００１−２は、同一周波数（同一周波数帯）のビームであってもよいし、それぞれ、異なる周波数（異なる周波数帯）のビームであってもよい。また、「変調信号４」を伝送するための送信ビーム２００２−１、２００２−２は、同一周波数（同一周波数帯）のビームであってもよいし、それぞれ、異なる周波数（異なる周波数帯）のビームであってもよい。
【０２６８】
このとき、基地局の構成図１、図３における設定部１５８の動作について、説明する。設定部１５８は、設定信号１６０を入力としている。設定信号１６０は、「マルチキャスト用の送信を行うか／ユニキャスト用の送信を行うか」の情報を含んでおり、図１９に示す送信を基地局が行う場合、設定信号１６０により「マルチキャスト用の送信を行う」という情報が、設定部１５８に入力される。
【０２６９】
設定信号１６０は、「マルチキャストを行うときの送信変調信号数」の情報を含んでおり、図２０に示す送信を基地局が行う場合、設定信号１６０により、「送信変調信号数は４」という情報が、設定部１５８に入力される。
【０２７０】
また、設定信号１６０は、「各変調信号をいくつの送信ビームで送信するか」の情報を含んでいてもよい。図２０に示す送信を基地局が行う場合、設定信号１６０により、「変調信号１を送信する送信ビーム数は３、変調信号２を送信する送信ビーム数は３、変調信号３を送信する送信ビーム数は２、変調信号４を送信する送信ビーム数は２」という情報が、設定部１５８に入力される。
【０２７１】
なお、図１、図３の基地局は、データシンボルが「マルチキャスト用の送信であるか／ユニキャスト用の送信であるか」の情報、「マルチキャストを行うときの送信ストリーム数」の情報、「各ストリームをいくつの送信ビームで送信するか」の情報等を含んだ制御情報シンボルを送信してもよい。これにより、端末は、適切な受信が可能となる。
【０２７２】
なお、図２０では、端末は、「変調信号１」の送信ビームと「変調信号２」の送信ビームの両者を受信すると、高い受信品質でストリーム１のデータとストリーム２のデータを得ることができる。
【０２７３】
同様に、端末は、「変調信号３」の送信ビームと「変調信号４」の送信ビームの両者を受信すると、高い受信品質でストリーム３のデータとストリーム４のデータを得ることができる。
【０２７４】
そして、図２０では、基地局が「変調信号１」、「変調信号２」、「変調信号３」、「変調信号４」を送信する例を説明しているが、基地局は、ストリーム５のデータ及びストリーム６のデータを伝送する「変調信号５」及び「変調信号６」を送信してもよいし、それよりも多くのストリームを伝送するためにより多くの変調信号を送信してもよい。なお、変調信号のそれぞれは１以上の送信ビームを用いて送信される。
【０２７５】
さらに、図１７、図１８で説明したように、ユニキャスト用の送信ビーム（または受信指向性制御）が一つ以上存在していてもよい。
【０２７６】
「変調信号１」、「変調信号２」の関係については、図１３の説明と重複するので省略する。ここでは、「変調信号３」、「変調信号４」の関係について、図２１を用いて説明する。
【０２７７】
例えば、＃２情報１０１−２に対して、誤り訂正符号化などの処理を施し、誤り訂正符号化後のデータを得る。この誤り訂正符号化後のデータを＃２送信データと名付ける。そして、＃２送信データに対してマッピングを行い、データシンボルを得るが、このデータシンボルをストリーム３用、ストリーム４用に振り分け、ストリーム３のデータシンボル（データシンボル群）、および、ストリーム４のデータシンボル（データシンボル群）を得る。このとき、シンボル番号ｉにおけるストリーム３のデータシンボルをｓ３（ｉ）、ストリーム４のデータシンボルをｓ４（ｉ）とする。すると、シンボル番号ｉにおける「変調信号３」ｔｘ３（ｉ）は、例えば、以下のようにあらわす。
【０２７８】
【数５】
2019151164.tif 000007
【０２７９】
そして、シンボル番号ｉにおける「変調信号４」ｔｘ４（ｉ）は、例えば、以下のようにあらわす。
【０２８０】
【数６】
2019151164.tif 000008
【０２８１】
なお、式（５）、式（６）において、ｅ（ｉ）、ｆ（ｉ）、ｇ（ｉ）、ｈ（ｉ）は、それぞれ、複素数で定義することができ、したがって、実数であってもよい。
【０２８２】
また、ｅ（ｉ）、ｆ（ｉ）、ｇ（ｉ）、ｈ（ｉ）と記載しているが、それらはシンボル番号ｉの関数でなくてもよく、固定の値であってもよい。
【０２８３】
そして、データシンボルから構成された「変調信号３のデータ伝送領域の信号」を含んだ「変調信号３のシンボル群」は、図１、図３の基地局から送信される。また、データシンボルから構成された「変調信号４のデータ伝送領域の信号」を含んだ「変調信号４のシンボル群」は、図１、図３の基地局から送信される。
【０２８４】
（補足）
当然であるが、本明細書において説明した実施の形態、その他の内容を複数組み合わせて、実施してもよい。
【０２８５】
また、各実施の形態、その他の内容については、あくまでも例であり、例えば、「変調方式、誤り訂正符号化方式（使用する誤り訂正符号、符号長、符号化率等）、制御情報など」を例示していても、別の「変調方式、誤り訂正符号化方式（使用する誤り訂正符号、符号長、符号化率等）、制御情報など」を適用した場合でも同様の構成で実施することが可能である。
【０２８６】
変調方式については、本明細書で記載している変調方式以外の変調方式を使用しても、本明細書において説明した実施の形態、その他の内容を実施することが可能である。例えば、ＡＰＳＫ（Amplitude Phase Shift Keying）、ＰＡＭ（Pulse Amplitude Modulation）、ＰＳＫ（Phase Shift Keying）、ＱＡＭ（Quadrature Amplitude Modulation）を適用してもよいし、各変調方式において、均一マッピング、非均一マッピングとしてもよい。ＡＰＳＫは、例えば、16APSK, 64APSK, 128APSK, 256APSK, 1024APSK, 4096APSKを含み、ＰＡＭは、例えば、4PAM, 8PAM, 16PAM, 64PAM, 128PAM, 256PAM, 1024PAM, 4096PAMを含み、ＰＳＫは、例えば、BPSK, QPSK, 8PSK, 16PSK, 64PSK, 128PSK, 256PSK, 1024PSK, 4096PSKを含み、ＱＡＭは、例えば、4QAM, 8QAM, 16QAM, 64QAM, 128QAM, 256QAM, 1024QAM, 4096QAMを含む。
【０２８７】
また、Ｉ−Ｑ平面における２個、４個、８個、１６個、６４個、１２８個、２５６個、１０２４個等の信号点の配置方法（２個、４個、８個、１６個、６４個、１２８個、２５６個、１０２４個等の信号点をもつ変調方式）は、本明細書で示した変調方式の信号点配置方法に限ったものではない。
【０２８８】
本明細書で記載した「基地局」は、例えば、放送局、基地局、アクセスポイント、端末、携帯電話（mobile phone）などであってもよい。そして、本明細書で記載している「端末」は、テレビ、ラジオ、端末、パーソナルコンピュータ、携帯電話、アクセスポイント、基地局などであってもよい。また、本開示における「基地局」、「端末」は、通信機能を有している機器であって、その機器が、テレビ、ラジオ、パーソナルコンピュータ、携帯電話等のアプリケーションを実行するための装置に何らかのインターフェースを解して接続できるようなに構成されてもよい。また、本実施の形態では、データシンボル以外のシンボル、例えば、パイロットシンボル、制御情報用のシンボルなどが、フレームにおいて、どのように配置されていてもよい。
【０２８９】
そして、パイロットシンボル、制御情報用のシンボルは、どのような名付け方を行ってもよく、例えば、送受信機において、ＰＳＫ変調を用いて変調した既知のシンボルであればよく、または、受信機が同期することによって、受信機は、送信機が送信したシンボルを知ることができてもよい。受信機は、このシンボルを用いて、周波数同期、時間同期、各変調信号のチャネル推定（ＣＳＩ（Channel State Information）の推定）、信号の検出等を行う。なお、パイロットシンボルは、プリアンブル、ユニークワード、ポストアンブル、リファレンスシンボル等と呼ぶことがある。
【０２９０】
また、制御情報用のシンボルは、データ（アプリケーション等のデータ）以外の通信を実現するための、通信相手に伝送する必要がある情報（例えば、通信に用いている変調方式、誤り訂正符号化方式、誤り訂正符号化方式の符号化率、上位レイヤーでの設定情報等）を伝送するためのシンボルである。
【０２９１】
なお、本開示は各実施の形態に限定されず、種々変更して実施することが可能である。例えば、各実施の形態では、通信装置として行う場合について説明しているが、これに限られるものではなく、この通信方法をソフトウェアとして行うことも可能である。
【０２９２】
なお、例えば、上記通信方法を実行するプログラムを予めＲＯＭ（Read Only Memory）に格納しておき、そのプログラムをＣＰＵ（Central Processor Unit）によって動作させるようにしても良い。
【０２９３】
また、上記通信方法を実行するプログラムをコンピュータで読み取り可能な記憶媒体に格納し、記憶媒体に格納されたプログラムをコンピュータのＲＡＭ（Random Access Memory）に記録して、コンピュータをそのプログラムにしたがって動作させるようにしても良い。
【０２９４】
そして、上記の各実施の形態などの各構成は、典型的には、入力端子及び出力端子を有する集積回路であるＬＳＩ（Large Scale Integration）として実現されてもよい。これらは、個別に１チップ化されてもよいし、各実施の形態の全ての構成または一部の構成を含むように１チップ化されてもよい。ここでは、ＬＳＩとしたが、集積度の違いにより、ＩＣ（Integrated Circuit）、システムＬＳＩ、スーパーＬＳＩ、ウルトラＬＳＩと呼称されることもある。また、集積回路化の手法はＬＳＩに限られるものではなく、専用回路または汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用しても良い。さらに、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてあり得る。
【０２９５】
（実施の形態３）
本実施の形態では、実施の形態１、実施の形態２と異なるビームフォーミングを適用したときのマルチキャスト通信方法について説明する。
【０２９６】
基地局の構成については、実施の形態１の図１から図３を用いて説明したとおりであるため、実施の形態１と同様に動作する部分についての説明は省略する。また、基地局と通信を行う端末の構成についても、実施の形態１の図４から図６を用いて説明したとおりであるため、実施の形態１と同様に動作する部分についての説明は省略する。
【０２９７】
以下では、本実施の形態における基地局と端末の動作の例を説明する。
【０２９８】
図２２は、基地局が１つの端末に対して、マルチキャスト用送信ストリームを送信している場合を示している。
【０２９９】
図２２において、基地局７００は、送信用アンテナから「（マルチキャスト用）ストリーム１−１（ストリーム１の第１ビーム）」の送信ビーム２２０１−１を端末２２０２−１に対して送信しており、端末２２０２−１は、指向性制御を行うことで、受信指向性２２０３−１を生成し、「ストリーム１−１」の送信ビーム２２０１−１を受信している。
【０３００】
図２３は、図２２のような基地局と端末の通信状態のために行う「基地局と端末の通信を行うための手順」の説明を行う。
【０３０１】
［２３−１］端末は、まず、基地局に対し、「ストリーム１のマルチキャスト送信の要求」を行う。
【０３０２】
［２３−２］基地局は、［２３−１］を受け、「ストリーム１のマルチキャスト送信を行っていない」ことを認識する。そこで、基地局は、端末に対し、ストリーム１のマルチキャスト送信を行うために、送信指向性制御用のトレーニングシンボル、受信指向性制御用のトレーニングシンボルを送信する。
【０３０３】
［２３−３］端末は、基地局が送信した送信指向性制御用のトレーニングシンボル、および、受信指向性制御用のトレーニングシンボルを受信し、基地局が送信指向性制御、端末が受信指向性制御を行うために、基地局に対し、フィードバック情報を送信する。
【０３０４】
［２３−４］基地局は、端末が送信したフィードバック情報に基づいて、送信指向性制御の方法（指向性制御を行うときに使用する重み付け係数の決定など）の決定を行い、送信指向性制御を行い、ストリーム１のデータシンボルを送信する。
【０３０５】
［２３−５］端末は、受信指向性制御方法（指向性制御を行うときに使用する重み付け係数の決定など）の決定を行い、基地局が送信したストリーム１のデータシンボルの受信を開始する。
【０３０６】
なお、図２３の「基地局と端末の通信を行うための手順」は一例であり、各情報の送信の順番は、図２３に限ったものではなく、各情報の送信の順番が入れ替わっても同様に実施することができる。また、図２３では、端末が受信指向性制御を行う場合を例に説明しているが、端末が受信指向性制御を行わない場合であってもよい。このとき、図２３において、基地局は、受信指向性制御用トレーニングシンボルを送信しなくてもよく、また、端末は受信指向性制御方法の決定を行わない。
【０３０７】
また、基地局が送信指向性制御を行う際、基地局が図１の構成の場合、例えば、図２の乗算部２０４−１、２０４−２、２０４−３、２０４−４における乗算係数が設定され、また、基地局が図３の構成の場合、例えば、重み付け合成部３０１において、重み付け係数が設定される。なお、送信するストリーム数は、図２２の場合「１」としているが、これに限ったものではない。
【０３０８】
そして、端末が受信指向性制御を行う際、端末が図４の構成の場合、例えば、図５の乗算部５０３−１、５０３−２、５０３−３、５０３−４における乗算係数が設定され、また、端末が図６の構成の場合、例えば、乗算部６０３−１、６０３−２、・・・、６０３−Ｌにおける乗算係数が設定される。
【０３０９】
図２４は、図２３における基地局が、送信指向性制御用シンボル、および、受信指向性制御用シンボル、データシンボルを送信する際、基地局が送信するシンボルと端末が送信するシンボルの一例を時間軸において示す図である。図２４における（ａ）は基地局が送信するシンボルの一例を時間軸において示す図であり、図２４における（ｂ）は端末が送信するシンボルの一例を時間軸において示す図であり、いずれも横軸は時間である。
【０３１０】
図２３のように基地局と端末の通信が行われた場合、図２４に示すように、まず、「基地局送信指向性制御トレーニングシンボル」２４０１を、基地局は送信する。例えば、「基地局送信指向性制御トレーニングシンボル」２４０１は、制御情報シンボルと既知のＰＳＫシンボルで構成されている。
【０３１１】
そして、端末は、基地局が送信した「基地局送信指向性制御トレーニングシンボル」２４０１を受信し、例えば、基地局が送信に使用するアンテナの情報、指向性制御で使用する乗算係数（または、重み付け係数）に関する情報をフィードバック情報シンボル２４０２として送信する。
【０３１２】
基地局は、端末が送信した「フィードバック情報シンボル」２４０２を受信し、フィードバック情報シンボル２４０２から送信に使用するアンテナを決定し、また、フィードバック情報シンボル２４０２から送信指向性制御に用いる係数を決定する。その後、基地局は、「端末受信指向性制御トレーニングシンボル」２４０３を送信する。例えば、「端末受信指向性制御トレーニングシンボル」２４０３は、制御情報シンボルと既知ＰＳＫシンボルで構成されている。
【０３１３】
そして、端末は、基地局が送信した「端末受信指向性制御トレーニングシンボル」２４０３を受信し、例えば、端末が受信に使用するアンテナ、端末が受信指向性制御に使用する乗算係数を決定する。そして、端末は、データシンボルを受信する準備が完了したことをフィードバック情報シンボル２４０４として送信する。
【０３１４】
そして、基地局は、端末が送信した「フィードバック情報シンボル」２４０４を受信し、フィードバック情報シンボル２４０４に基づき、データシンボル２４０５を出力する。
【０３１５】
なお、図２４の基地局と端末の通信は、一例であり、シンボルの送信の順番や基地局の送信と端末の送信の順番については、これに限ったものではない。また、「基地局送信指向性制御トレーニングシンボル」２４０１、「フィードバック情報シンボル」２４０２、「端末受信指向性制御トレーニングシンボル」２４０３、「フィードバック情報シンボル」２４０４、「データシンボル」２４０５のそれぞれに、信号検出、時間同期、周波数同期、周波数オフセット推定及びチャネル推定のためのプリアンブル、リファレンスシンボル、パイロットシンボル、また、制御情報を伝送するためのシンボルなどが含まれていてもよい。
【０３１６】
図２５は、図２３における基地局と端末の通信が完了した後、基地局がストリーム１のデータシンボルを送信する際の、基地局が送信するシンボルの例であり、横軸を時間とする。
【０３１７】
図２５では、基地局は、「（マルチキャスト用）ストリーム１−１データシンボル（１）」２５０１−１−１として、ストリーム１の送信ビーム１の第１番目のデータシンボルを送信する。その後、データシンボル送信可能な区間２５０２−１が配置される。
【０３１８】
その後、基地局は、「（マルチキャスト用）ストリーム１−１データシンボル（２）」２５０１−１−２として、（マルチキャスト用）ストリーム１の送信ビーム１の第２番目のデータシンボルを送信する。その後、データシンボル送信可能な区間２５０２−２が配置される。
【０３１９】
その後、基地局は、「（マルチキャスト用）ストリーム１−１データシンボル（３）」２５０１−１−３として、（マルチキャスト用）ストリーム１の送信ビーム１の第３番目のデータシンボルを送信する。
【０３２０】
このようにして、基地局は、図２２に示した「（マルチキャスト用）ストリーム１−１」２２０１−１のデータシンボルを、基地局は送信する。なお、図２５において、「（マルチキャスト用）ストリーム１−１データシンボル（１）」２５０１−１−１、「（マルチキャスト用）ストリーム１−１データシンボル（２）」２５０１−１−２、「（マルチキャスト用）データシンボル１−１データシンボル（３）」２５０１−１−３、・・・には、データシンボル以外に、信号検出、時間同期、周波数同期、周波数オフセット推定、チャネル推定のためのプリアンブル、リファレンスシンボル、パイロットシンボル、また、制御情報を伝送するためのシンボルなどが含まれていてもよい。
【０３２１】
なお、図２５では、データシンボル送信可能な区間２５０２−１は、ユニキャスト送信区間２５０３−１を含み、また、データシンボル送信可能な区間２５０２−２は、ユニキャスト送信区間２５０３−２を含む。
【０３２２】
図２５では、フレームは、ユニキャスト送信区間２５０３−１、２５０３−２を含む。例えば、図２５では、基地局は、データシンボル送信可能な区間２５０２−１のユニキャスト送信区間２５０３−１を除く区間、および、データシンボル送信可能区間２５０２−２のユニキャスト送信区間２５０３−２を除く区間では、マルチキャスト用のシンボルを送信してもよい。この点については、後で、例を用いて説明する。
【０３２３】
このように、ユニキャスト送信区間をフレームに設けることは、無線通信システムを安定的に動作させるために有用な構成要件となる。この点については、後で例を説明する。なお、ユニキャスト送信区間は、図２５のような時間的位置でなくてもよく、どのように時間的に配置してもよい。なお、ユニキャスト送信区間は、基地局がシンボルを送信してもよいし、端末がシンボルを送信してもよい。
【０３２４】
また、基地局によって、直接的に、ユニキャスト送信区間を設定できるような構成であってもよいが、別の方法として、基地局が、マルチキャスト用のシンボルを送信するための最大送信データ伝送速度を設定するようにしてもよい。
【０３２５】
例えば、基地局が送信可能なデータの伝送速度が２Ｇｂｐｓ（ｂｐｓ： bits per second）であり、基地局において、マルチキャスト用のシンボルを送信するのに割り当てることができるデータの最大伝送速度を１．５Ｇｂｐｓとする場合、５００Ｍｂｐｓに相当するユニキャスト送信区間を設定することができる。
【０３２６】
このように、ユニキャスト送信区間を基地局において間接的に設定できるような構成であってもよい。なお、別の具体的な例については後で説明を行う。
【０３２７】
なお、図２２の状態に伴い、図２５では、「（マルチキャスト用）ストリーム１−１データシンボル（１）」２５０１−１−１、「（マルチキャスト用）ストリーム１−１データシンボル（２）」２５０１−１−２、「（マルチキャスト用）ストリーム１−１データシンボル（３）」２５０１−１−３が存在するフレーム構成を記載しているが、これに限ったものではない。例えば、ストリーム１（ストリーム１−１）以外のマルチキャスト用のストリームのデータシンボルが存在してもよいし、ストリーム１の第２の送信ビームであるストリーム１−２のデータシンボル、ストリーム１の第３の送信ビームであるストリーム１−３データストリームが存在していてもよい。この点については、後で説明を行う。
【０３２８】
図２６は、図２２の基地局が１つの端末に対して、マルチキャスト用送信ストリームを送信している状態に対し、新たに端末が１つ追加されたときの状態を示しており、図２２と同様に動作するものについては同一番号を付している。
【０３２９】
図２６において、新たに追加された端末は２２０２−２である。端末２２０２−２は、指向性制御を行うことで、受信指向性２２０３−２を生成し、「（マルチキャスト用）ストリーム１−１」の送信ビーム２２０１−１を受信する。
【０３３０】
次に、図２６について説明する。
【０３３１】
以下の説明では、図２６において、基地局７００と端末２２０２−１がマルチキャスト通信を行っている状態に対し、新たに端末２２０２−２がマルチキャスト通信に参加するという状態である。したがって、図２７に示すように基地局は、「端末受信指向性制御トレーニングシンボル」２７０１と「データシンボル」２７０２を送信しており、図２４に示した「基地局送信トレーニングシンボル」は送信しない。なお、図２７において、横軸は時間である。
【０３３２】
図２８は、図２６のように基地局が２つの端末にマルチキャスト用の送信ビームを送信している状態になるために行われる動作の例を示している。
【０３３３】
［２８−１］端末２２０２−２は、基地局に対して「ストリーム１のマルチキャスト送信の要求」を行う。なお、「ストリーム１のマルチキャスト送信の要求」は、図２５におけるユニキャスト送信区間に送信される。
【０３３４】
［２８−２］基地局は、［２８−１］を受け、「マルチキャスト用のストリーム１の送信を行っていること」を端末２２０２−２に通知する。なお、「マルチキャスト用のストリーム１の送信を行っていること」の通知は、図２５におけるユニキャスト送信区間に送信される。
【０３３５】
［２８−３］端末２２０２−２は、［２８−２］を受け、マルチキャスト用のストリーム１の受信を開始するために、受信指向性制御を実施する。そして、端末２２０２−２は、受信指向性制御を行い、「マルチキャスト用のストリーム１」の受信ができたことを、基地局に通知する。
【０３３６】
［２８−４］基地局は、［２８−３］を受け、端末が「マルチキャスト用のストリーム１」を受信できたことを確認する。
【０３３７】
［２８−５］端末２２０２−２は、受信指向性制御を行い、「マルチキャスト用のストリーム１」の受信を開始する。
【０３３８】
図２９は、図２２の基地局が一つの端末に対して、マルチキャスト用送信ストリームを送信している状態に対し、新たに端末一つが追加されたときの状態を示しており、図２２と同様に動作するものについては同一番号を付している。
【０３３９】
図２９において、新たに追加された端末は２２０２−２である。このとき、図２６と異なる点は、基地局７００は、「（マルチキャスト用）ストリーム１−２（ストリーム１の第２）」の送信ビーム２２０１−２を新たに送信し、端末２２０２−２は、指向性制御を行うことで、受信指向性２２０３−２を生成し、「（マルチキャスト用）ストリーム１−２」の送信ビーム２２０１−２を受信する。
【０３４０】
次に、図２９のような状態のために行われる制御について説明する。
【０３４１】
以下の説明では、図２９において、基地局７００と端末２２０２−１がマルチキャスト通信を行っている状態に対し、新たに端末２２０２−２がマルチキャスト通信に参加するという状態である。
【０３４２】
図３０は、図２９のように基地局が２つの端末にマルチキャスト用の送信ビームを送信している状態になるために行われる動作の例を示している。
【０３４３】
［３０−１］端末２２０２−２は、基地局に対して「ストリーム１のマルチキャスト送信の要求」を行う。なお、「ストリーム１のマルチキャスト送信の要求」は、図２５におけるユニキャスト送信区間に送信される。
【０３４４】
［３０−２］基地局は、［３０−１］を受け、「マルチキャスト用のストリーム１の送信を行っていること」を端末２２０２−２に通知する。なお、「マルチキャスト用のストリーム１の送信を行っていること」の通知は、図２５におけるユニキャスト送信区間に送信されている。
【０３４５】
［３０−３］端末２２０２−２は、［３０−２］を受け、「マルチキャスト用のストリーム１を受信していないこと」を基地局に通知する。なお、「マルチキャスト用のストリーム１を受信していないこと」の通知は、図２５におけるユニキャスト送信区間に送信されている。
【０３４６】
［３０−４］基地局は、［３０−３］を受け、マルチキャスト用のストリーム１の別の送信ビーム（つまり、図２９の送信ビーム２２０１−２）を送信すると決定する。なお、ここでは、マルチキャスト用のストリーム１の別の送信ビームを送信すると判断しているが、マルチキャスト用のストリーム１の別の送信ビームを送信しないと判断してもよい。この点については、後で説明する。
【０３４７】
そこで、基地局は、端末２２０２−２に対し、ストリーム１のマルチキャスト送信を行うために、送信指向性制御用のトレーニングシンボル、受信指向性制御用のトレーニングシンボルを送信する。なお、これらのシンボルの送信とは別に、図２９におけるストリーム１−１の送信ビームを、基地局は送信している。この点については、後で説明する。
【０３４８】
［３０−５］端末２２０２−２は、基地局が送信した送信指向性制御用のトレーニングシンボル、および、受信指向性制御用のトレーニングシンボルを受信し、基地局が送信指向性制御、端末２２０２−２が受信指向性制御を行うために、基地局に対し、フィードバック情報を送信する。
【０３４９】
［３０−６］基地局は、端末２２０２−２が送信したフィードバック情報に基づいて、送信指向性制御の方法（指向性制御を行うときに使用する重み付け係数の決定など）の決定を行い、ストリーム１のデータシンボル（図２９のストリーム１−２の送信ビーム２２０１−２）を送信する。
【０３５０】
［３０−７］端末２２０２−２は、受信指向性制御方法（指向性制御を行うときに使用する重み付け係数の決定など）の決定を行い、基地局が送信したストリーム１のデータシンボル（図２９のストリーム１−２の送信ビーム２２０１−２）の受信を開始する。
【０３５１】
なお、図３０の「基地局と端末の通信を行うための手順」は一例であり、各情報の送信の順番は、図３０に限ったものではなく、各情報の送信の順番が入れ替わっても同様に実施することができる。
【０３５２】
また、図３０では、端末の受信指向性制御を行う場合を例に説明しているが、端末が受信指向性制御を行わないような場合であってもよい。このとき、図３０において、基地局は、受信指向性制御用のトレーニングシンボルを送信しなくてもよく、また、端末は受信指向性制御方法の決定を行わなくてもよい。
【０３５３】
また、基地局が送信指向性制御を行う際、基地局の構成が図１の構成の場合、例えば、図２の乗算部２０４−１、２０４−２、２０４−３、２０４−４における乗算係数が設定され、また、基地局の構成が図３の構成の場合、例えば、重み付け合成部３０１において、重み付け係数が設定される。なお、送信するストリーム数は、図２９の場合、「２」としているが、これに限ったものではない。
【０３５４】
そして、端末２２０２−１、２２０２−２が受信指向性制御を行う際、端末の構成が図４の構成の場合、例えば、図５の乗算部５０３−１、５０３−２、５０３−３、５０３−４における乗算係数が設定され、また、端末の構成が図６の構成の場合、例えば、乗算部６０３−１、６０３−２、・・・、６０３−Ｌにおける乗算係数が設定される。
【０３５５】
図３１は、図３０における基地局と端末の通信が完了した後、基地局がストリーム１のデータシンボルを送信する際の、基地局が送信するシンボルの例であり、横軸を時間とする。
【０３５６】
図３１では、図２９の「ストリーム１−１」が存在しているので、図２５と同様に、「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−Ｍ＋２が存在する。なお、「（Ｍ）、（Ｍ＋１）、（Ｍ＋２）」と記載しているが、（マルチキャスト用）ストリーム１−１は、（マルチキャスト用）ストリーム１−２が存在する前から存在しているからである。したがって、図３１では、Ｍは２以上の整数とする。
【０３５７】
そして、図３１に示すように、ユニキャスト送信区間２５０３−１、２５０３−２以外の区間において、「（マルチキャスト用）ストリーム１−２データシンボル（１）」３１０１−１、「（マルチキャスト用）ストリーム１−２データシンボル（２）」３１０１−２、「（マルチキャスト用）ストリーム１−２データシンボル（３）」３１０１−３が存在している。
【０３５８】
これまでの説明のように、以下のような特長をもつ。
【０３５９】
・「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−（Ｍ＋２）、「（マルチキャスト用）ストリーム１−２データシンボル（１）」３１０１−１、「（マルチキャスト用）ストリーム１−２データシンボル（２）」３１０１−２、「（マルチキャスト用）ストリーム１−２データシンボル（３）」３１０１−３は、いずれも「ストリーム１」を伝送するためのデータシンボルである。
【０３６０】
・端末は、「ストリーム１−１のデータシンボル」を得ることで、「ストリーム１のデータ」を得ることができる。また、端末は、「ストリーム１−２のデータシンボル」を得ることで、「ストリーム１のデータ」を得ることができる。
【０３６１】
・「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−（Ｍ＋２）の送信ビームの指向性と、「（マルチキャスト用）ストリーム１−２データシンボル（１）」３１０１−１、「（マルチキャスト用）ストリーム１−２データシンボル（２）」３１０１−２、「（マルチキャスト用）ストリーム１−２データシンボル（３）」３１０１−３の送信ビームの指向性は異なる。したがって、「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−（Ｍ＋２）の送信ビームを生成するために使用する基地局の送信装置の乗算係数（または重み付け係数）のセットと、「（マルチキャスト用）ストリーム１−２データシンボル（１）」３１０１−１、「（マルチキャスト用）ストリーム１−２データシンボル（２）」３１０１−２、「（マルチキャスト用）ストリーム１−２データシンボル（３）」３１０１−３の送信ビームを生成するために使用する基地局の送信装置の乗算係数（または重み付け係数）のセットは異なる。
【０３６２】
以上より、基地局が送信したマルチキャストストリームを２つの端末が受信できるようになる。このとき、送受信で指向性制御を行っているため、マルチキャスト用のストリームを受信することができるエリアを広範にすることができるという効果を得る。また、ストリームの追加、送信ビームの追加は必要なときに限って行うため、データを伝送するための周波数、時間、空間の資源を有効に活用することができるという効果を得る。
【０３６３】
なお、以降で説明するような制御を行うことがある。制御の詳細は以下のとおりである。
【０３６４】
図３２は、図３１と異なる「図３０における基地局と端末の通信が完了した後、基地局が（ストリーム１の）データシンボルを送信する際の、基地局が送信するシンボルの例」であり、横軸を時間とする。なお、図３２において、図２５、図３１と同様に動作するものについては、同一番号を付している。
【０３６５】
図３２において、図３１と異なる点は、ユニキャスト送信区間２５０３−１、２５０３−２を時間的に長く設定しているため、基地局は、これ以上のマルチキャスト用のシンボルを追加して、送信しない点である。
【０３６６】
図３３は、図２９のように基地局が２つの端末（端末２２０２−１、２２０２−２）にマルチキャスト用の送信ビームを送信しているのに加え、新たな端末２２０２−３が基地局に対し、送信ビームの追加の要求を行ったときの動作の例を示している。なお、基地局が送信している変調信号のフレームは、図３２に示す。
【０３６７】
［３３−１］端末２２０２−３は、基地局に対して、「ストリーム１のマルチキャスト送信の要求」を行う。なお、「ストリーム１のマルチキャスト送信の要求」は、図３２におけるユニキャスト送信区間に送信される。
【０３６８】
［３３−２］基地局は、［３３−１］を受け、「マルチキャスト用のストリーム１の送信を行っていること」を端末２２０２−３に通知する。なお、「マルチキャスト用のストリーム１の送信を行っていることの通知」は、図３２におけるユニキャスト送信区間に送信される。
【０３６９】
［３３−３］端末２２０２−３は、［３３−２］を受け、「マルチキャスト用のストリーム１を受信していないこと」を基地局に通知する。なお、「マルチキャスト用のストリーム１を受信していないことの通知」は、図３２におけるユニキャスト送信区間に送信されている。
【０３７０】
［３３−４］基地局は、［３３−３］を受け、マルチキャスト用ストリーム１の送信ビームとして、ストリーム１−１の送信ビーム、ストリーム１−２の送信ビームとは別の送信ビームを送信することができるかの判定を行う。このとき、図３２に示すフレームであることを考慮し、基地局は、マルチキャスト用ストリーム１の別の送信ビームを送信しないと判定する。よって、基地局は、「マルチキャスト用ストリーム１の別の送信ビームを送信しないこと」を端末２２０２−３に通知する。なお、「マルチキャスト用ストリーム１の別の送信ビームを送信しないことの通知」は、図３２におけるユニキャスト送信区間に送信される。
【０３７１】
［３３−５］端末２２０２−３は、「マルチキャスト用ストリーム１の別の送信ビームを送信しないことの通知」を受信する。
【０３７２】
なお、図３３の「基地局と端末の通信の手順」は一例であり、各情報の送信の順番は、図３３に限ったものではなく、各送信の順番が入れ替わっても同様に実施することができる。このように、マルチキャスト送信のための通信資源が不足している場合、マルチキャスト送信ビームの追加を行わなくてもよい。
【０３７３】
図３４は、図２９に示す基地局が２つの端末（端末２２０２−１、２２０２−２）にマルチキャスト用の送信ビームを送信しているのに加え、新たな端末２２０２−３が基地局に対し、別のマルチキャスト用のストリーム（ストリーム２）の送信ビームの追加の要求を行う動作の例を示している。なお、基地局が送信している変調信号のフレームは、図３１のような状態である。
【０３７４】
［３４−１］端末２２０２−３は、基地局に対して、「ストリーム２のマルチキャスト送信の要求」を行う。なお、「ストリーム２のマルチキャスト送信の要求」は、図３１におけるユニキャスト送信区間２５０３に送信される。
【０３７５】
［３４−２］基地局は、［３４−１］を受け、「マルチキャスト用のストリーム２の送信を行っていないこと」を端末２２０２−３に通知する。また、「マルチキャスト用のストリーム２の送信ビームを基地局が追加して送信できるかの判定を行う。このとき図３１のようなフレーム状態であることを考慮し、「マルチキャスト用のストリーム２の送信ビームの送信に対応していること」を端末２２０２−３に通知する。なお、「マルチキャスト用のストリーム２の送信を行っていないことの通知」、および、「マルチキャスト用のストリーム２の送信ビームが送信可能であることの通知」は、図３１におけるユニキャスト送信区間２５０３に送信される。
【０３７６】
［３４−３］端末２２０３−３は、［３４−２］を受け、「マルチキャスト用のストリーム２の受信準備が完了したこと」を基地局に通知する。なお、「マルチキャスト用のストリーム２の受信準備が完了したこと」の通知は、図３１におけるユニキャスト送信区間２５０３に送信される。
【０３７７】
［３４−４］基地局は、［３４−３］を受け、マルチキャスト用のストリーム２の送信ビームを送信することを決定する。そこで、基地局は、端末２２０２−３に対し、ストリーム２のマルチキャスト送信を行うために、送信指向性制御用のトレーニングシンボル、受信指向性制御用のトレーニングシンボルを送信する。なお、これらのシンボルの送信とは別に、図３１のようにストリーム１−１の送信ビーム、ストリーム１−２の送信ビームを基地局は送信している。この点については、後で説明する。
【０３７８】
［３４−５］端末２２０２−３は、基地局が送信した送信指向性制御用のトレーニングシンボル、および、受信指向性制御用のトレーニングシンボルを受信し、基地局は送信指向性制御、端末２２０２−３が受信指向性制御を行うために、基地局に対し、フィードバック情報を送信する。
【０３７９】
［３４−６］基地局は、端末２２０２−３が送信したフィードバック情報に基づいて、送信指向性制御の方法（指向性制御を行うときに使用する重み付け係数の決定など）の決定を行い、ストリーム２のデータシンボルを送信する。
【０３８０】
［３４−７］端末２２０２−３は、受信指向性制御方法（指向性制御を行うときに使用する重み付け係数の決定など）の決定を行い、基地局が送信したストリーム２のデータシンボルの受信を開始する。
【０３８１】
なお、図３４の「基地局と端末の通信を行うための手順」は、一例であり、各情報の送信の順番は、図３４に限ったものではなく、各情報の送信の順番が入れ替わっても同様に実施することができる、また、図３４では、端末の受信指向性制御を行う場合を例に説明しているが、端末が受信指向性制御を行わないような場合であってもよい。このとき、図３４において、基地局は受信指向性制御用のトレーニングシンボルを送信しなくてもよく、また、端末は受信指向性制御方法の決定を行わない。
【０３８２】
また、基地局が送信指向性制御を行う際、基地局が図１の構成の場合、例えば、図２の乗算部２０４−１、２０４−２、２０４−３、２０４−４における乗算係数が設定される。
【０３８３】
そして、端末２２０２−１、２２０２−２、２２０２−３が受信指向性制御を行う際、端末が図４の構成の場合、例えば、図５の乗算部５０３−１、５０３−２、５０３−３、５０３−４における乗算係数が設定されることになり、また、端末の構成が図６の構成の場合、例えば、乗算部６０３−１、６０３−２、・・・、６０３−Ｌにおける乗算係数が設定される。
【０３８４】
図３５は、図３４における基地局と端末の通信が完了した後、基地局がストリーム１、ストリーム２のデータシンボルを送信する際の、基地局が送信するシンボルの例であり、横軸を時間とする。
【０３８５】
図３５において、図３１に示す「ストリーム１−１」、「ストリーム１−２」が存在しているので、「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−（Ｍ＋２）が存在し、また、「（マルチキャスト用）ストリーム１−２データシンボル（Ｎ）」３１０１−Ｎ、「（マルチキャスト用）ストリーム１−２データシンボル（Ｎ＋１）」３１０１−（Ｎ＋１）、「（マルチキャスト用）ストリーム１−２データシンボル（Ｎ＋２）」３１０１−（Ｎ＋２）が存在する。なお、Ｎ、Ｍは２以上の整数とする。
【０３８６】
そして、図３５に示すように、ユニキャスト送信区間２５０３−１、２５０３−２以外の区間において、「（マルチキャスト用）ストリーム２−１データシンボル（１）」３５０１−１、「（マルチキャスト用）ストリーム２−１データシンボル（２）」３５０１−２、「（マルチキャスト用）ストリーム２−１データシンボル（３）」３５０１−３が存在している。
【０３８７】
これまでの説明のように、このとき、以下のような特長をもつ。
【０３８８】
・「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−（Ｍ＋２）、「（マルチキャスト用）ストリーム１−２データシンボル（Ｎ）」３１０１−Ｎ、「（マルチキャスト用）ストリーム１−２データシンボル（Ｎ＋１）」３１０１−（Ｎ＋１）、「（マルチキャスト用）ストリーム１−２データシンボル（Ｎ＋２）」３１０１−（Ｎ＋２）は、いずれも「ストリーム１」を伝送するためのデータシンボルである。
【０３８９】
・端末は、「ストリーム１−１のデータシンボル」を得ることで、「ストリーム１のデータ」を得る。また、端末は、「ストリーム１−２のデータシンボル」を得ることで、「ストリーム１のデータ」を得る。
【０３９０】
・「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−（Ｍ＋２）の送信ビームの指向性と、「（マルチキャスト用）ストリーム１−２データシンボル（１）」３１０１−１、「（マルチキャスト用）ストリーム１−２データシンボル（２）」３１０１−２、「（マルチキャスト用）ストリーム１−２データシンボル（３）」３１０１−３の送信ビームの指向性は異なる。
【０３９１】
したがって、「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−（Ｍ＋２）の送信ビームを生成するために使用する基地局の送信装置の乗算係数（または重み付け係数）のセットと、「（マルチキャスト用）ストリーム１−２データシンボル（１）」３１０１−１、「（マルチキャスト用）ストリーム１−２データシンボル（２）」３１０１−２、「（マルチキャスト用）ストリーム１−２データシンボル（３）」３１０１−３の送信ビームを生成するために使用する基地局の送信装置の乗算係数（または重み付け係数）のセットは異なる。
【０３９２】
・「（マルチキャスト用）ストリーム２−１データシンボル（１）」３５０１−１、「（マルチキャスト用）ストリーム２−１データシンボル（２）」３５０１−２、「（マルチキャスト用）ストリーム２−１データシンボル（３）」３５０１−３は「ストリーム２」を伝送するためのデータシンボルである。
【０３９３】
・端末は、「ストリーム２−１のデータシンボル」を得ることで、「ストリーム２」のデータを得る。以上より、端末は、基地局が送信した複数のマルチキャストストリーム（ストリーム１とストリーム２）を受信できる。このとき、送受信で指向性制御を行っているため、マルチキャスト用のストリームが受信可能なエリアを広範にすることができるという効果を得る。また、ストリームの追加、送信ビームの追加は必要なときに限って行うため、データを伝送するための周波数、時間、空間の資源を有効に活用することができるという効果を得る。
【０３９４】
なお、以降で説明するような制御を行なってもよい。制御の詳細は以下のとおりである。
【０３９５】
図３２は、図３５と異なる「基地局が（ストリーム１の）データシンボルを送信する際の、基地局が送信するシンボルの例」であり、横軸を時間とする。なお、図３２において、図２５と図３１と同様に動作するものについては、同一番号を付している。
【０３９６】
図３２において、図３５と異なる点は、ユニキャスト送信区間２５０３−１、２５０３−２を時間的に長く設定しているため、基地局は、これ以上のマルチキャスト用のシンボル、例えば、新しいストリームのシンボルを追加して、送信しない点である。
【０３９７】
図３６は、図２９のように基地局が２つの端末（端末２２０２−１、２２０２−２）にマルチキャスト用の送信ビームを送信しているのに加え、新たな端末２２０２−３が基地局に対し、別のマルチキャスト用のストリーム（ストリーム２）の送信ビームの追加の要求を行う動作の例を示す。なお、基地局が送信する変調信号のフレームを、図３２に示す。
【０３９８】
［３６−１］端末２２０２−３は、基地局に対して、「ストリーム２のマルチキャスト送信の要求」を行う。なお、「ストリーム２のマルチキャスト送信の要求」は、図３２におけるユニキャスト送信区間に送信される。
【０３９９】
［３６−２］基地局は、［３６−１］を受け、「マルチキャスト用のストリーム２の送信を行っていないこと」を端末２２０２−３に通知する。なお、「マルチキャスト用のストリーム２の送信を行っていないこと」は、図３２におけるユニキャスト送信区間に送信される。また、基地局は、マルチキャスト用ストリーム２の送信ビームを送信することができるかの判定を行う。基地局は、図３２に示すフレームを考慮し、マルチキャスト用ストリーム２の送信ビームを送信しないと判定する。よって、基地局は、「マルチキャスト用ストリーム２の送信ビームを送信しないこと」を端末２２０２−３に通知する。なお、「マルチキャスト用ストリーム２の送信ビームを送信しないことの通知」は、図３２におけるユニキャスト送信区間に送信される。
【０４００】
［３６−３］端末２２０２−３は、「マルチキャスト用ストリーム２の送信ビームを送信しないことの通知」を受信する。
【０４０１】
なお、図３６の「基地局と端末の通信の手順」は一例であり、各情報の送信の順番は、図３６に限ったものではなく、各送信の手順が入れ替わっても同様に実施することができる。このように、マルチキャスト送信のための通信資源が不足している場合、ストリームの追加、マルチキャスト送信ビームの追加を行わなくてもよい。
【０４０２】
なお、図３５などで示したユニキャスト送信区間２５０３−１、２５０３−２の設定方法について補足説明をする。
【０４０３】
例えば、図３５において、マルチキャスト用の送信ビームの数の最大値をあらかじめ決めておく、または、設定する。
【０４０４】
そして、各端末の要求を受け、基地局は、マルチキャスト用の送信ビームの数の最大値以下となる、マルチキャスト用の送信ビームを送信する。例えば、図３５の場合、マルチキャスト用の送信ビーム数は３である。そして、基地局は、マルチキャスト用の複数の送信ビームを送信するが、これらを送信した後の時間的な空き時間をユニキャスト送信区間と定める。
【０４０５】
以上のように、ユニキャスト送信区間を定めてもよい。
【０４０６】
（補足１）
補足１では、基地局が、複数の端末とユニキャスト通信、つまり、個別通信を行っている場合について説明する。
【０４０７】
このとき、例えば、図９のストリーム１の＃１シンボル群９０１−１、ストリーム１の＃２シンボル群９０１−２、および、ストリーム１の＃３シンボル群９０１−３が、ブロードキャストチャネル、つまり、基地局が複数の端末とデータ通信を行うために、基地局が複数の端末に対してブロードキャスト送信を行う制御情報であってもよい。なお、制御情報とは、例えば、基地局と端末がデータ通信を実現するために必要となる制御情報である。
【０４０８】
また、例えば、図９のストリーム１の＃１シンボル群９０１−１、ストリーム１の＃２シンボル群９０１−２、および、ストリーム１の＃３シンボル群９０１−３が、コモンサーチスペース（common search space）であってもよい。なお、コモンサーチスペースとは、セル制御を行うための制御情報である。そして、コモンサーチスペースは、複数の端末に対し、ブロードキャストされる制御情報である。
【０４０９】
同様に、例えば、図９のストリーム２の＃１シンボル群９０２−１、ストリーム２の＃２シンボル群９０２−２、および、ストリーム２の＃３シンボル群９０２−３が、ブロードキャストチャネル、つまり、基地局が複数の端末とデータ通信を行うために、基地局が複数の端末に対してブロードキャスト送信を行う制御情報であってもよい。
【０４１０】
また、例えば、図９のストリーム２の＃１シンボル群９０２−１、ストリーム２の＃２シンボル群９０２−２、および、ストリーム２の＃３シンボル群９０２−３が、コモンサーチスペースであってもよい。
【０４１１】
なお、図９のストリーム１の＃１シンボル群９０１−１、ストリーム１の＃２シンボル群９０１−２、および、ストリーム１の＃３シンボル群９０１−３、ストリーム２の＃１シンボル群９０２−１、ストリーム２の＃２シンボル群９０２−２、および、ストリーム２の＃３シンボル群９０２−３の特徴については、これまでに説明した実施の形態に記載したとおりである。
【０４１２】
例えば、図１４の変調信号１の＃１シンボル群１４０１−１、変調信号１の＃２シンボル群１４０１−２、および、変調信号１の＃３シンボル群１４０１−３が、ブロードキャストチャネル、つまり、基地局が複数の端末とデータ通信を行うために、基地局が複数の端末に対してブロードキャスト送信を行う制御情報であってもよい。
【０４１３】
また、例えば、図１４の変調信号１の＃１シンボル群１４０１−１、変調信号１の＃２シンボル群１４０１−２、および、変調信号１の＃３シンボル群１４０１−３が、コモンサーチスペースであってもよい。
【０４１４】
例えば、図１４の変調信号２の＃１シンボル群１４０２−１、変調信号２の＃２シンボル群１４０２−２、および、変調信号２の＃３シンボル群１４０２−３が、ブロードキャストチャネル、つまり、基地局が複数の端末とデータ通信を行うために、基地局が複数の端末に対してブロードキャスト送信を行う制御情報であってもよい。
【０４１５】
また、例えば、図１４の変調信号２の＃１シンボル群１４０２−１、変調信号２の＃２シンボル群１４０２−２、および、変調信号２の＃３シンボル群１４０２−３が、コモンサーチスペースであってもよい。
【０４１６】
なお、図１４の変調信号１の＃１シンボル群１４０１−１、変調信号１の＃２シンボル群１４０１−２、および、変調信号１の＃３シンボル群１４０１−３は、これまでに説明した実施の形態に記載したとおりであり、図１４の変調信号２の＃１シンボル群１４０２−１、変調信号２の＃２シンボル群１４０２−２、および、変調信号２の＃３シンボル群１４０２−３は、これまでに説明した実施の形態に記載したとおりである。
【０４１７】
例えば、図２５のストリーム１−１データシンボル（１）２５０１−１−１、ストリーム１−１データシンボル（２）２５０１−１−２、および、ストリーム１−１データシンボル（３）２５０１−１−３は、ブロードキャストチャネル、つまり、基地局が複数の端末とデータ通信を行うために、基地局が複数の端末に対してブロードキャスト送信を行う制御情報であってもよい。
【０４１８】
また、図２５のストリーム１−１データシンボル（１）２５０１−１−１、ストリーム１−１データシンボル（２）２５０１−１−２、および、ストリーム１−１データシンボル（３）２５０１−１−３は、コモンサーチスペースであってもよい。
【０４１９】
なお、図２５のストリーム１−１データシンボル（１）２５０１−１−１、ストリーム１−１データシンボル（２）２５０１−１−２、および、ストリーム１−１データシンボル（３）２５０１−１−３は、これまでに説明した実施の形態に記載したとおりである。
【０４２０】
例えば、図３１、図３２のストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（１）３１０１−１、ストリーム１−２データシンボル（２）３１０１−２、及び、ストリーム１−２データシンボル（３）３１０１−３は、ブロードキャストチャネル、つまり、基地局が複数の端末とデータ通信を行うために、基地局が複数の端末に対してブロードキャスト送信を行う制御情報であってもよい。
【０４２１】
また、図３１、図３２のストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（１）３１０１−１、ストリーム１−２データシンボル（２）３１０１−２、及び、ストリーム１−２データシンボル（３）３１０１−３は、コモンサーチスペースであってもよい。
【０４２２】
なお、図３１、図３２のストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（１）３１０１−１、ストリーム１−２データシンボル（２）３１０１−２、及び、ストリーム１−２データシンボル（３）３１０１−３は、これまでに説明した実施の形態に記載したとおりである。
【０４２３】
例えば、図３５において、ストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（Ｎ）３１０１−Ｎ、ストリーム１−２データシンボル（Ｎ＋１）３１０１−（Ｎ＋１）、および、ストリーム１−２データシンボル（Ｎ＋２）３１０１−（Ｎ＋２）は、ブロードキャストチャネル、つまり、基地局が複数の端末とデータ通信を行うために、基地局が複数の端末に対してブロードキャスト送信を行う制御情報であってもよい。
【０４２４】
また、図３５において、ストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（Ｎ）３１０１−Ｎ、ストリーム１−２データシンボル（Ｎ＋１）３１０１−（Ｎ＋１）、および、ストリーム１−２データシンボル（Ｎ＋２）３１０１−（Ｎ＋２）は、コモンサーチスペースであってもよい。
【０４２５】
例えば、図３５のストリーム２−１データシンボル（１）３５０１−１、ストリーム２−１データシンボル（２）３５０１−２、および、ストリーム２−１データシンボル（３）３５０１−３は、ブロードキャストチャネル、つまり、基地局が複数の端末とデータ通信を行うために、基地局が複数の端末に対してブロードキャスト送信を行う制御情報であってもよい。
【０４２６】
また、図３５のストリーム２−１データシンボル（１）３５０１−１、ストリーム２−１データシンボル（２）３５０１−２、および、ストリーム２−１データシンボル（３）３５０１−３は、コモンサーチスペースであってもよい。
【０４２７】
なお、図３５において、ストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（Ｎ）３１０１−Ｎ、ストリーム１−２データシンボル（Ｎ＋１）３１０１−（Ｎ＋１）、および、ストリーム１−２データシンボル（Ｎ＋２）３１０１−（Ｎ＋２）は、これまでに説明した実施の形態に記載したとおりであり、図３５のストリーム２−１データシンボル（１）３５０１−１、ストリーム２−１データシンボル（２）３５０１−２、および、ストリーム２−１データシンボル（３）３５０１−３は、これまでに説明した実施の形態に記載したとおりである。
【０４２８】
図９、図１４、図２５、図３１、図３２、図３５において、各データシンボルを送信する際、シングルキャリアの伝送方法を用いてもよいし、ＯＦＤＭなどのマルチキャリアの伝送方式を用いてもよい。また、データシンボルの時間的な位置は、図９、図１４、図２５、図３１、図３２、図３５に限ったものではない。
【０４２９】
また、図２５、図３１、図３２、図３５において、横軸を時間として説明しているが、横軸を周波数（キャリア）としても、同様に実施することが可能である。なお、横軸を周波数（キャリア）としたとき、基地局は、各データシンボルを、１つ以上のキャリア、または、サブキャリアを用いて、送信する。
【０４３０】
（補足２）
補足２では、基地局が複数の端末とユニキャスト通信、つまり、個別通信を行っている場合について説明する。
【０４３１】
このとき、例えば、図９のストリーム１の＃１シンボル群９０１−１、ストリーム１の＃２シンボル群９０１−２、ストリーム１の＃３シンボル群９０１−３、ストリーム２の＃１シンボル群９０２−１、ストリーム２の＃２シンボル群９０２−２、および、ストリーム２の＃３シンボル群９０２−３は、基地局宛てのデータ又は通信を行っている複数端末のいずれかの端末宛のデータであってもよい。このとき、データの中には、制御情報が含まれていてもよい。
【０４３２】
なお、図９のストリーム１の＃１シンボル群９０１−１、ストリーム１の＃２シンボル群９０１−２、ストリーム１の＃３シンボル群９０１−３、ストリーム２の＃１シンボル群９０２−１、ストリーム２の＃２シンボル群９０２−２、および、ストリーム２の＃３シンボル群９０２−３は、これまでに説明した実施の形態に記載したとおりである。
【０４３３】
例えば、図１４の変調信号１の＃１シンボル群１４０１−１、変調信号１の＃２シンボル群１４０１−２、変調信号１の＃３シンボル群１４０１−３、変調信号２の＃１シンボル群１４０１−３、変調信号２の＃２シンボル群１４０２−２、および、変調信号２の＃３シンボル群１４０２−３は、基地局宛てのデータ又は通信を行っている複数端末のいずれかの端末宛のデータであってもよい。このとき、データの中には、制御情報が含まれていてもよい。
【０４３４】
なお、図１４の変調信号１の＃１シンボル群１４０１−１、変調信号１の＃２シンボル群１４０１−２、変調信号１の＃３シンボル群１４０１−３、変調信号２の＃１シンボル群１４０１−３、変調信号２の＃２シンボル群１４０２−２、および、変調信号２の＃３シンボル群１４０２−３は、これまでに説明した実施の形態に記載したとおりである。
【０４３５】
例えば、図２５のストリーム１−１データシンボル（１）２５０１−１−１、ストリーム１−１データシンボル（２）２５０１−１−２、および、ストリーム１−１データシンボル（３）２５０１−１−３は、基地局宛てのデータ又は通信を行っている複数端末のいずれかの端末宛のデータであってもよい。このとき、データの中には、制御情報が含まれていてもよい。
【０４３６】
なお、図２５のストリーム１−１データシンボル（１）２５０１−１−１、ストリーム１−１データシンボル（２）２５０１−１−２、および、ストリーム１−１データシンボル（３）２５０１−１−３は、これまでに説明した実施の形態に記載したとおりである。
【０４３７】
例えば、図３１、図３２のストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（１）３１０１−１、ストリーム１−２データシンボル（２）３１０１−２、ストリーム１−２データシンボル（３）３１０１−３は、基地局宛てのデータ又は通信を行っている複数端末のいずれかの端末宛のデータであってもよい。このとき、データの中には、制御情報が含まれていてもよい。
【０４３８】
なお、図３１、図３２のストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（１）３１０１−１、ストリーム１−２データシンボル（２）３１０１−２、ストリーム１−２データシンボル（３）３１０１−３は、これまでに説明した実施の形態に記載したとおりである。
【０４３９】
例えば、図３５において、ストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（Ｎ）３１０１−Ｎ、ストリーム１−２データシンボル（Ｎ＋１）３１０１−（Ｎ＋１）、ストリーム１−２データシンボル（Ｎ＋２）３１０１−（Ｎ＋２）は、基地局宛てのデータ又は通信を行っている複数端末のいずれかの端末宛のデータであってもよい。このとき、データの中には、制御情報が含まれていてもよい。
【０４４０】
例えば、図３５のストリーム２−１データシンボル（１）３５０１−１、ストリーム２−１データシンボル（２）３５０１−２、および、ストリーム２−１データシンボル（３）３５０１−３は、基地局宛てのデータ又は通信を行っている複数端末のいずれかの端末宛のデータであってもよい。このとき、データの中には、制御情報が含まれていてもよい。
【０４４１】
なお、図３５において、ストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（Ｎ）３１０１−Ｎ、ストリーム１−２データシンボル（Ｎ＋１）３１０１−（Ｎ＋１）、ストリーム１−２データシンボル（Ｎ＋２）３１０１−（Ｎ＋２）、ストリーム２−１データシンボル（１）３５０１−１、ストリーム２−１データシンボル（２）３５０１−２、および、ストリーム２−１データシンボル（３）３５０１−３は、これまでに説明した実施の形態に記載したとおりである。
【０４４２】
図９、図１４、図２５、図３１、図３２、図３５において、各データシンボルを送信する際、シングルキャリアの伝送方法を用いてもよいし、ＯＦＤＭなどのマルチキャリアの伝送方式を用いてもよい。また、データシンボルの時間的な位置は、図９、図１４、図２５、図３１、図３２、図３５に限ったものではない。
【０４４３】
また、図２５、図３１、図３２、図３５において、横軸を時間として説明しているが、横軸を周波数（キャリア）としても、同様に実施することが可能である。なお、横軸を周波数（キャリア）としたとき、基地局は、各データシンボルを、１つ以上のキャリア、または、サブキャリアを用いて、送信する。
【０４４４】
（補足３）
基地局が、図９のフレーム構成のように、ストリーム１の＃１シンボル群９０１−１、ストリーム１の＃２シンボル群９０１−２、ストリーム１の＃３シンボル群９０１−３、ストリーム２の＃１シンボル群９０２−１、ストリーム２の＃２シンボル群９０２−２、及び、ストリーム２の＃３シンボル群９０２−３を送信している時間帯に、「ストリーム１の＃１シンボル群９０１−１の送信ビーム、ストリーム１の＃２シンボル群９０１−２の送信ビーム、ストリーム１の＃３シンボル群９０１−３の送信ビーム、ストリーム２の＃１シンボル群９０２−１の送信ビーム、ストリーム２の＃２シンボル群９０２−２の送信ビーム、ストリーム２の＃３シンボル群９０２−３の送信ビーム」とは別の送信ビームを用いて、別のシンボル群を、基地局は送信してもよい。
【０４４５】
また、図３の基地局が、「信号処理部１０２の信号処理、および、重み付け合成部３０１による信号処理」、または、「信号処理部１０２の信号処理、または、重み付け合成部３０１による信号処理」によって、上記の「別のシンボル群」のための送信ビームを生成してもよい。
【０４４６】
また、基地局が、図１４のフレーム構成のように、変調信号１の＃１シンボル群１４０１−１、変調信号１の＃２シンボル群１４０１−２、変調信号１の＃３シンボル群１４０１−３、変調信号２の＃１シンボル群１４０２−１、変調信号２の＃２シンボル群１４０２−２、変調信号２の＃３シンボル群１４０２−３を送信している時間帯に「変調信号１の＃１シンボル群１４０１−１の送信ビーム、変調信号１の＃２シンボル群１４０１−２の送信ビーム、変調信号１の＃３シンボル群１４０１−３の送信ビーム、変調信号２の＃１シンボル群１４０２−１の送信ビーム、変調信号２の＃２シンボル群１４０２−２の送信ビーム、変調信号２の＃３シンボル群１４０２−３の送信ビーム」とは別の送信ビームを用いて、別のシンボル群を、基地局は送信してもよい。
【０４４７】
このとき、「別のシンボル群」は、ある端末宛のデータシンボルを含むシンボル群であってもよいし、本開示の他の部分で説明したような、制御情報シンボル群を含むシンボル群であってもよいし、他のマルチキャスト用のデータシンボルを含むシンボル群であってもよい。
【０４４８】
また、図３の基地局が、「信号処理部１０２の信号処理、および、重み付け合成部３０１による信号処理」、または、「信号処理部１０２の信号処理、または、重み付け合成部３０１による信号処理」によって、上記の「別のシンボル群」のための送信ビームを生成してもよい。
【０４４９】
（補足４）
基地局が、図２５のフレーム構成のように、ストリーム１−１データシンボル（１）２５０１−１−１、ストリーム１−１データシンボル（２）２５０１−１−２、ストリーム１−１データシンボル（３）２５０１−１−３を送信している時間帯に、「ストリーム１−１データシンボル（１）２５０１−１−１、ストリーム１−１データシンボル（２）２５０１−１−２、ストリーム１−１データシンボル（３）２５０１−１−３を送信する送信ビーム」とは別の送信ビームを用いて、別のシンボル群を、基地局は送信してもよい。
【０４５０】
なお、図２５において、横軸が周波数であった場合でも同様であり、基地局が、ストリーム１−１データシンボル（１）２５０１−１−１、ストリーム１−１データシンボル（２）２５０１−１−２、ストリーム１−１データシンボル（３）２５０１−１−３を送信している時間帯に、「ストリーム１−１データシンボル（１）２５０１−１−１、ストリーム１−１データシンボル（２）２５０１−１−２、ストリーム１−１データシンボル（３）２５０１−１−３を送信する送信ビーム」とは別の送信ビームを用いて、別のシンボル群を、基地局は送信してもよい。
【０４５１】
また、基地局が、図３１、図３２のフレーム構成のように、ストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）を送信している時間帯に、「ストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）を送信する送信ビーム」とは別の送信ビームを用いて、別のシンボル群を基地局は送信してもよい。
【０４５２】
なお、図３１、図３２において、横軸が周波数であった場合でも同様であり、基地局が、ストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）を送信している時間帯に、「ストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）を送信する送信ビーム」とは別の送信ビームを用いて、別のシンボル群を基地局は送信してもよい。
【０４５３】
そして、基地局が、図３１、図３２のフレーム構成のように、ストリーム１―２データシンボル（１）３１０１−１、ストリーム１−２データシンボル（２）３１０１−２、ストリーム１−２データシンボル（３）３１０１−３を送信している時間帯に、「ストリーム１―２データシンボル（１）３１０１−１、ストリーム１−２データシンボル（２）３１０１−２、ストリーム１−２データシンボル（３）３１０１−３を送信する送信ビーム」とは別の送信ビームを用いて、別のシンボル群を基地局は送信してもよい。
【０４５４】
なお、図３１、図３２において、横軸が周波数であった場合でも同様であり、基地局が、ストリーム１―２データシンボル（１）３１０１−１、ストリーム１−２データシンボル（２）３１０１−２、ストリーム１−２データシンボル（３）３１０１−３を送信している時間帯に、「ストリーム１―２データシンボル（１）３１０１−１、ストリーム１−２データシンボル（２）３１０１−２、ストリーム１−２データシンボル（３）３１０１−３を送信する送信ビーム」とは別の送信ビームを用いて、別のシンボル群を基地局は送信してもよい。
【０４５５】
基地局が、図３５のフレーム構成のように、ストリーム１−１データシンボル（Ｍ）２５０１−１−Ｍ、ストリーム１−１データシンボル（Ｍ＋１）２５０１−（Ｍ＋１）、ストリーム１−１データシンボル（Ｍ＋２）２５０１−（Ｍ＋２）を送信している時間帯に、「ストリーム１−１データシンボル（Ｍ）２５０１−１−Ｍ、ストリーム１−１データシンボル（Ｍ＋１）２５０１−（Ｍ＋１）、ストリーム１−１データシンボル（Ｍ＋２）２５０１−（Ｍ＋２）を送信する送信ビーム」とは別の送信ビームを用いて、別のシンボル群を基地局は送信してもよい。
【０４５６】
なお、図３５において、横軸が周波数であった場合でも同様であり、基地局が、ストリーム１−１データシンボル（Ｍ）２５０１−１−Ｍ、ストリーム１−１データシンボル（Ｍ＋１）２５０１−（Ｍ＋１）、ストリーム１−１データシンボル（Ｍ＋２）２５０１−（Ｍ＋２）を送信している時間帯に、「ストリーム１−１データシンボル（Ｍ）２５０１−１−Ｍ、ストリーム１−１データシンボル（Ｍ＋１）２５０１−（Ｍ＋１）、ストリーム１−１データシンボル（Ｍ＋２）２５０１−（Ｍ＋２）を送信する送信ビーム」とは別の送信ビームを用いて、別のシンボル群を基地局は送信してもよい。
【０４５７】
また、基地局が、図３５のフレーム構成のように、ストリーム１−２データシンボル（Ｎ）３１０１−Ｎ、ストリーム１−２データシンボル（Ｎ＋１）３１０１−（Ｎ＋１）、ストリーム１−２データシンボル（Ｎ＋２）３１０１−（Ｎ＋２）を送信している時間帯に、「ストリーム１−２データシンボル（Ｎ）３１０１−Ｎ、ストリーム１−２データシンボル（Ｎ＋１）３１０１−（Ｎ＋１）、ストリーム１−２データシンボル（Ｎ＋２）３１０１−（Ｎ＋２）を送信する送信ビーム」とは別の送信ビームを用いて、別のシンボル群を基地局は送信してもよい。
【０４５８】
なお、図３５において、横軸が周波数であった場合でも同様であり、基地局が、ストリーム１−２データシンボル（Ｎ）３１０１−Ｎ、ストリーム１−２データシンボル（Ｎ＋１）３１０１−（Ｎ＋１）、ストリーム１−２データシンボル（Ｎ＋２）３１０１−（Ｎ＋２）を送信している時間帯に、「ストリーム１−２データシンボル（Ｎ）３１０１−Ｎ、ストリーム１−２データシンボル（Ｎ＋１）３１０１−（Ｎ＋１）、ストリーム１−２データシンボル（Ｎ＋２）３１０１−（Ｎ＋２）を送信する送信ビーム」とは別の送信ビームを用いて、別のシンボル群を基地局は送信してもよい。
【０４５９】
そして、基地局が、図３５のフレーム構成のように、ストリーム２−１データシンボル（１）３５０１−１、ストリーム２−１データシンボル（２）３５０１−２、ストリーム２−１データシンボル（３）３５０１−３を送信している時間帯に、「ストリーム２−１データシンボル（１）３５０１−１、ストリーム２−１データシンボル（２）３５０１−２、ストリーム２−１データシンボル（３）３５０１−３を送信する送信ビーム」とは別の送信ビームを用いて、別のシンボル群を基地局は送信してもよい。
【０４６０】
なお、図３５において、横軸が周波数であった場合でも同様であり、基地局が、ストリーム２−１データシンボル（１）３５０１−１、ストリーム２−１データシンボル（２）３５０１−２、ストリーム２−１データシンボル（３）３５０１−３を送信している時間帯に、「ストリーム２−１データシンボル（１）３５０１−１、ストリーム２−１データシンボル（２）３５０１−２、ストリーム２−１データシンボル（３）３５０１−３を送信する送信ビーム」とは別の送信ビームを用いて、別のシンボル群を基地局は送信してもよい。
【０４６１】
上記において、「別のシンボル群」とは、ある端末宛のデータシンボルを含むシンボル群であってもよいし、本明細書の他の部分で説明したような、制御情報シンボルを含むシンボル群であってもよいし、他のマルチキャスト用のデータシンボルを含むシンボル群であってもよい。
【０４６２】
このとき、図１の基地局が、信号処理部１０２の信号処理によって、上記の「別のシンボル群」のための送信ビームを生成してもよいし、図１の基地局が、アンテナ部１０６−１からアンテナ部１０６−Ｍまでのアンテナを選択することで、上記の「別のシンボル群」のための送信ビームを生成してもよい。
【０４６３】
また、図３の基地局が、「信号処理部１０２の信号処理、および、重み付け合成部３０１による信号処理」、または、「信号処理部１０２の信号処理、または、重み付け合成部３０１による信号処理」によって、上記の「別のシンボル群」のための送信ビームを生成してもよい。
【０４６４】
そして、図２５、図３１、図３２、図に記載されているようなユニキャスト送信区間２５０３−１、２５０３−２を設定しなくてもよい。
【０４６５】
（補足５）
図３１、図３２に関する説明で以下のような記載を行っている。
【０４６６】
・「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−（Ｍ＋２）、「（マルチキャスト用）ストリーム１−２データシンボル（１）」３１０１−１、「（マルチキャスト用）ストリーム１−２データシンボル（２）」３１０１−２、「（マルチキャスト用）ストリーム１−２データシンボル（３）」３１０１−３は、いずれも「ストリーム１」を伝送するためのデータシンボルである。
【０４６７】
・端末は、「ストリーム１−１のデータシンボル」を得ることで、「ストリーム１のデータ」を得ることができる。また、端末は、「ストリーム１−２のデータシンボル」を得ることで、「ストリーム１のデータ」を得ることができる。
【０４６８】
また、図３５に関する説明で以下のような記載を行っている。
【０４６９】
・「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−（Ｍ＋２）、「（マルチキャスト用）ストリーム１−２データシンボル（Ｎ）」３１０１−Ｎ、「（マルチキャスト用）ストリーム１−２データシンボル（Ｎ＋１）」３１０１−（Ｎ＋１）、「（マルチキャスト用）ストリーム１−２データシンボル（Ｎ＋２）」３１０１−（Ｎ＋２）は、いずれも「ストリーム１」を伝送するためのデータシンボルである。
【０４７０】
・端末は、「ストリーム１−１のデータシンボル」を得ることで、「ストリーム１のデータ」を得ることができる。また、端末は、「ストリーム１−２のデータシンボル」を得ることで、「ストリーム１のデータ」を得ることができる。
【０４７１】
以下では、上述について補足説明を行う。例えば、図３５において、以下の、＜方法１−１＞、または、＜方法１−２＞、または、＜方法２−１＞、または、＜方法２−２＞により、上述を実現するにことができる。
【０４７２】
＜方法１−１＞
・ストリーム１−１データシンボル（Ｍ）２５０１−１−Ｍとストリーム１−２データシンボル（Ｎ）３１０１−Ｎが同じデータを含んでいる。
【０４７３】
そして、ストリーム１−１データシンボル（Ｍ＋１）２５０１−１−（Ｍ＋１）とストリーム１−２データシンボル（Ｎ＋１）３１０１−（Ｎ＋１）が同じデータを含んでいる。
【０４７４】
ストリーム１−１データシンボル（Ｍ＋２）２５０１−１−（Ｍ＋２）とストリーム１−２データシンボル（Ｎ＋２）３１０１−（Ｎ＋２）が同じデータを含んでいる。
【０４７５】
＜方法１−２＞
・ストリーム１−１データシンボル（Ｋ）２５０１−１−Ｋが含むデータと同じデータが含まれているストリーム１−２データシンボル（Ｌ）３１０１−Ｌが存在する。なお、Ｋ、Ｌは整数である。
【０４７６】
＜方法２−１＞
・ストリーム１−１データシンボル（Ｍ）２５０１−１−Ｍとストリーム１−２データシンボル（Ｎ）３１０１−Ｎが一部同じデータを含んでいる。
【０４７７】
そして、ストリーム１−１データシンボル（Ｍ＋１）２５０１−１−（Ｍ＋１）とストリーム１−２データシンボル（Ｎ＋１）３１０１−（Ｎ＋１）が一部同じデータを含んでいる。
【０４７８】
ストリーム１−１データシンボル（Ｍ＋２）２５０１−１−（Ｍ＋２）とストリーム１−２データシンボル（Ｎ＋２）３１０１−（Ｎ＋２）が一部同じデータを含んでいる。
【０４７９】
＜方法２−２＞
・ストリーム１−１データシンボル（Ｋ）２５０１−１−Ｋが含むデータの一部を含んでいるストリーム１−２データシンボル（Ｌ）３１０１−Ｌが存在する。なお、Ｋ、Ｌは整数である。
【０４８０】
すなわち、第１の基地局または第１の送信システムは、第１のストリームのデータを含む第１のパケット群と、第１のストリームのデータを含む第２のパケット群とを生成し、第１のパケット群に含まれるパケットを第１の送信ビームを用いて第１の期間に送信し、第２のパケット群に含まれるパケットを第１の送信ビームとは異なる第２の送信ビームを用いて第２の期間に送信し、第１の期間と第２の期間は互いに重複していない。
【０４８１】
ここで、第２のパケット群は、第１のパケット群に含まれる第１のパケットが含むデータと同一のデータを含む第２のパケットを含んでいてもよい。また、上記とは別の構成として、第２のパケット群は、第１のパケット群に含まれる第１のパケットが含むデータの一部と同一のデータを含む第３のパケットを含んでいてもよい。
【０４８２】
また、第１の送信ビームと第２の送信ビームは、同一のアンテナ部を用いて送信される互いに異なる指向性を有する送信ビームであってもよいし、互いに異なるアンテナ部を用いて送信される送信ビームであってもよい。
【０４８３】
また、第２の基地局または第２の送信システムは、第１の基地局または第１の送信システムの構成に加えて、第１のストリームのデータを含む第３のパケット群をさらに生成し、第３のパケット群に含まれるパケットを第１の送信ビーム及び第２の送信ビームとは異なる第３の送信ビームを用いて第３の期間に送信し、第３の期間は第１の期間および第２の期間と重複していない。
【０４８４】
ここで、第２の基地局または第２の送信システムは、第１の期間、第２の期間及び第３の期間を所定の順序で繰り返し設定してもよい。
【０４８５】
また、第３の基地局または第３の送信システムは、第１の基地局または第１の送信システムの構成に加えて、第１のストリームのデータを含む第３のパケット群をさらに生成し、第３のパケット群に含まれるパケットを第１の送信ビーム及び第２の送信ビームとは異なる第３の送信ビームを用いて第３の期間に送信し、第３の期間の少なくとも一部は第１の期間と重複している。
【０４８６】
ここで、第３の基地局または第３の送信システムは、第１の期間、第２の期間及び第３の期間を繰り返し設定してもよく、繰り返し設定される第３の期間のいずれの第３の期間もその少なくとも一部が第１の期間と重複していてもよいし、繰り返し設定される第３の期間のうち少なくともいずれか一つの第３の期間も第１の期間と重複していなくてもよい。
【０４８７】
また、第４の基地局または第４の送信システムは、第１の基地局または第１の送信システムの構成に加えて、第２のストリームのデータを含む第４のパケットをさらに生成し、第４のパケットを第１の送信ビームとは異なる第４の送信ビームを用いて第４の期間に送信し、第４の期間の少なくとも一部は第１の期間と重複している。
【０４８８】
なお、上記の説明では、第１の期間と第２の期間は互いに重複していないと説明したが、第１の期間と第２の期間は一部が互いに重複していてもよいし、第１の期間の全部が第２の期間と重複していてもよいし、第１の期間の全部が第２の期間の全部と互いに重複していてもよい。
【０４８９】
また、第５の基地局または第５の送信システムは、第１のストリームのデータを含むパケット群を一つまたは複数生成し、パケット群毎に互いに異なる送信ビームを用いて送信し、端末から送信される信号に基づいて生成するパケット群の数を増加、または減少させるとしてもよい。
【０４９０】
なお、上述において、「ストリーム」と記載しているが、本明細書の他の箇所で記載しているように、図３１、図３２の「ストリーム１−１データシンボル（Ｍ）２５０１−１−Ｍ、および、ストリーム１−１データシンボル（Ｍ＋１）２５０１−１−（Ｍ＋１）、および、ストリーム１−１データシンボル（Ｍ＋２）２５０１−１−（Ｍ＋２）、および、ストリーム１−２データシンボル（１）３１０１−１、および、ストリーム１−２データシンボル（２）３１０１−２、ストリーム１−２データシンボル（３）３１０１−３」、および、図３５の「ストリーム１−１データシンボル（Ｍ）２５０１−１−Ｍ、および、ストリーム１−１データシンボル（Ｍ＋１）２５０１−１−（Ｍ＋１）、ストリーム１−１データシンボル（Ｍ＋２）２５０１−１−（Ｍ＋２）、および、ストリーム１−２データシンボル（Ｎ）３１０１−Ｎ、および、ストリーム１−２データシンボル（Ｎ＋１）３１０１−（Ｎ＋１）、および、ストリーム１−２データシンボル（Ｎ＋２）３１０１−（Ｎ＋２）」は、ある端末宛のデータシンボルを含むシンボルであってもよいし、制御情報シンボルを含むシンボルであってもよいし、マルチキャスト用のデータシンボルを含むシンボルであってもよい。
【０４９１】
（実施の形態４）
本実施の形態では、実施の形態１から実施の形態３で説明した通信システムの具体的な例について説明する。
【０４９２】
本実施の形態における通信システムは、（複数の）基地局と複数の端末で構成されているものとする。例えば、図７、図１２、図１７、図１９、図２０、図２６、図２９などにおける基地局７００と端末７０４−１、７０４−２などにより構成された通信システムを考える。
【０４９３】
図３７は、基地局（７００）の構成の一例を示している。
【０４９４】
論理チャネル生成部３７０３は、データ３７０１および制御データ３７０２を入力とし、論理チャネル信号３７０４を出力する。論理チャネル信号３７０４は、例えば、制御用の論理チャネルである「ＢＣＣＨ（Broadcast Control Channel）、ＰＣＣＨ（Paging Control Channel）、ＣＣＣＨ（Common Control Channel）、ＭＣＣＨ（Multicast Control Channel）、ＤＣＣＨ（Dedicated Control Channel）」、データ用の論理チャネルである「ＤＴＣＨ（Dedicated Traffic Channel）、ＭＴＣＨ（Multicast Traffic Channel）」などで構成されているものとする。
【０４９５】
なお、「ＢＣＣＨは、下りリンク、システム制御情報の報知用チャネル」であり、「ＰＣＣＨは、下りリンク、ページング情報用チャネル」であり、「ＣＣＣＨは、下りリンク、ＲＲＣ（Radio Resource Control）接続が存在しないときに使用する共通制御チャネル」であり、「ＭＣＣＨは、下りリンク、１対多のＭＢＭＳ（Multimedia Broadcast Multicast Service）のためのマルチキャスト・チャネルスケジューリング、制御用チャネル」であり、「ＤＣＣＨは、下りリンク、ＲＲＣ接続をもつ端末に使用される専用制御チャネル」であり、「ＤＴＣＨは、下りリンク、１台の端末ＵＥ（User Equipment）への専用トラフィック・チャネル、ユーザ・データ専用チャネル」であり、「ＭＴＣＨは、下りリンク、１対多のＭＢＭＳユーザ・データ用チャネル」である。
【０４９６】
トランスポートチャネル生成部３７０５は、論理チャネル信号３７０４を入力とし、トランスポートチャネル信号３７０６を生成し、出力する。トランスポートチャネル信号３７０６は、例えば、ＢＣＨ（Broadcast Channel）、ＤＬ−ＳＣＨ（Downlink Shared Channel）、ＰＣＨ（Paging Channel）、ＭＣＨ（Multicast Channel）などで構成されているものとする。
【０４９７】
なお、「ＢＣＨは、セル全域にわたって報知されるシステム情報用チャネル」であり、「ＤＬ−ＳＣＨは、ユーザ・データ、制御情報とシステム情報を用いるチャネル」であり、「ＰＣＨは、セル全域にわたって放置されるページング情報用チャネル」であり、「ＭＣＨは、セル全域にわたって報知されるＭＢＭＳトラフィックならびに制御用チャネル」である。
【０４９８】
物理チャネル生成部３７０７は、トランスポートチャネル信号３７０６を入力とし、物理チャネル信号３７０８を生成し、出力する。物理チャネル信号３７０８は、例えば、ＰＢＣＨ（Physical; Broadcast Channel）、ＰＭＣＨ（Physical Multicast Channel）、ＰＤＳＣＨ（Physical Downlink Shared Channel）、ＰＤＣＣＨ（Physical Downlink Control Channel）などで構成されているものとする。
【０４９９】
なお、「ＰＢＣＨは、ＢＣＨトランスポート・チャネルの伝送用」であり、「ＰＭＣＨは、ＭＣＨトランスポート・チャネル伝送用」であり、「ＰＤＳＣＨは、ＤＬ−ＳＣＨならびにトランスポート・チャネルの伝送用」であり、「ＰＤＣＣＨは下りリンクＬ１（Layer 1）／Ｌ２（Layer 2）制御信号の伝送用」である。
【０５００】
変調信号生成部３７０９は、物理チャネル信号３７０８を入力とし、物理チャネル信号３７０８に基づいた変調信号３７１０を生成し、出力する。そして、基地局７００は、変調信号３７１０を、電波として送信することになる。
【０５０１】
まず、基地局が、複数の端末とユニキャスト通信、つまり、個別通信を行っている場合を考える。
【０５０２】
このとき、例えば、図９の９０１−１のストリーム１のシンボル群＃１、および、９０１−２のストリーム１のシンボル群＃２、および、９０１−３のストリーム１のシンボル群＃３が、ブロードキャストチャネル（つまり、基地局が複数の端末とデータ通信を行うために、基地局が複数の端末に対してブロードキャスト送信を行う制御情報）であってもよい。なお、制御情報とは、例えば、基地局と端末がデータ通信を実現するために必要となる制御情報であるものとする。
【０５０３】
ここで、ブロードキャストチャネルについて説明する。ブロードキャストチャネルは、物理チャネル（物理チャネル信号３７０８）における、「ＰＢＣＨ」、「ＰＭＣＨ」、および、「ＰＤ−ＳＣＨの一部」が該当することになる。
【０５０４】
また、ブロードキャストチャネルは、トランスポートチャネル（トランスポートチャネル信号３７０６）における、「ＢＣＨ」、「ＤＬ−ＳＣＨの一部」、「ＰＣＨ」、「ＭＣＨ」が該当することになる。
【０５０５】
そして、ブロードキャストチャネルは、論理チャネル（論理チャネル信号３７０４）における、「ＢＣＣＨ」、「ＣＣＣＨ」、「ＭＣＣＨ」、「ＤＴＣＨの一部」、「ＭＴＣＨ」が該当することになる。
【０５０６】
同様に、例えば、図９の９０２−１のストリーム２のシンボル群＃１、および、９０２−２のストリーム２のシンボル群＃２、および、９０２−３のストリーム２のシンボル群＃３が、ブロードキャストチャネル（つまり、基地局が複数の端末とデータ通信を行うために、基地局が複数の端末に対してブロードキャスト送信を行う制御情報）であってもよい。なお、制御情報とは、例えば、基地局と端末がデータ通信を実現するために必要となる制御情報であるものとする。
【０５０７】
なお、ブロードキャストチャネルは、物理チャネル（物理チャネル信号３７０８）における、「ＰＢＣＨ」、「ＰＭＣＨ」、および、「ＰＤ−ＳＣＨの一部」が該当することになる。
【０５０８】
また、ブロードキャストチャネルは、トランスポートチャネル（トランスポートチャネル信号３７０６）における、「ＢＣＨ」、「ＤＬ−ＳＣＨの一部」、「ＰＣＨ」、「ＭＣＨ」が該当することになる。
【０５０９】
そして、ブロードキャストチャネルは、論理チャネル（論理チャネル信号３７０４）における、「ＢＣＣＨ」、「ＣＣＣＨ」、「ＭＣＣＨ」、「ＤＴＣＨの一部」、「ＭＴＣＨ」が該当することになる。
【０５１０】
このとき、図９の９０１−１のストリーム１のシンボル群＃１、および、９０１−２のストリーム１のシンボル群＃２、および、９０１−３のストリーム１のシンボル群＃３の特徴については、これまでに説明した実施の形態に記載したとおりであり、また、図９の９０２−１のストリーム２のシンボル群＃１、および、９０２−２のストリーム２のシンボル群＃２、および、９０２−３のストリーム２のシンボル群＃３の特徴については、これまでに説明した実施の形態に記載したとおりである。
【０５１１】
なお、図９のストリーム２のシンボル群＃１（９０２−１）、ストリーム２のシンボル群＃２（９０２−２）、ストリーム２のシンボル群＃３（９０２−３）など、ストリーム２を送信しない場合があってもよい。特に、ブロードキャストチャネルの信号を送信する場合、ストリーム２のシンボル群を、基地局が送信しないとしてもよい（このとき、例えば、図７では、７０３−１、７０３−２、７０３−３を基地局７０１が送信していないことになる。）。
【０５１２】
例えば、図１４の１４０１−１の変調信号１のシンボル群＃１、および、１４０１−２の変調信号１のシンボル群＃２、および、１４０１−３の変調信号１のシンボル群＃３が、ブロードキャストチャネル（つまり、基地局が複数の端末とデータ通信を行うために、基地局が複数の端末に対してブロードキャスト送信を行う制御情報）であってもよい。なお、制御情報とは、例えば、基地局と端末がデータ通信を実現するために必要となる制御情報であるものとする。
【０５１３】
なお、ブロードキャストチャネルは、物理チャネル（物理チャネル信号３７０８）における、「ＰＢＣＨ」、「ＰＭＣＨ」、および、「ＰＤ−ＳＣＨの一部」が該当することになる。
【０５１４】
また、ブロードキャストチャネルは、トランスポートチャネル（トランスポートチャネル信号３７０６）における、「ＢＣＨ」、「ＤＬ−ＳＣＨの一部」、「ＰＣＨ」、「ＭＣＨ」が該当することになる。
【０５１５】
そして、ブロードキャストチャネルは、論理チャネル（論理チャネル信号３７０４）における、「ＢＣＣＨ」、「ＣＣＣＨ」、「ＭＣＣＨ」、「ＤＴＣＨの一部」、「ＭＴＣＨ」が該当することになる。
【０５１６】
例えば、図１４の１４０２−１の変調信号２のシンボル群＃１、および、１４０２−２の変調信号２のシンボル群＃２、および、１４０２−３の変調信号２のシンボル群＃３が、ブロードキャストチャネル（つまり、基地局が複数の端末とデータ通信を行うために、基地局が複数の端末に対してブロードキャスト送信を行う制御情報）であってもよい。なお、制御情報とは、例えば、基地局と端末がデータ通信を実現するために必要となる制御情報であるものとする。
【０５１７】
なお、ブロードキャストチャネルは、物理チャネル（物理チャネル信号３７０８）における、「ＰＢＣＨ」、「ＰＭＣＨ」、および、「ＰＤ−ＳＣＨの一部」が該当することになる。
【０５１８】
また、ブロードキャストチャネルは、トランスポートチャネル（トランスポートチャネル信号３７０６）における、「ＢＣＨ」、「ＤＬ−ＳＣＨの一部」、「ＰＣＨ」、「ＭＣＨ」が該当することになる。
【０５１９】
そして、ブロードキャストチャネルは、論理チャネル（論理チャネル信号３７０４）における、「ＢＣＣＨ」、「ＣＣＣＨ」、「ＭＣＣＨ」、「ＤＴＣＨの一部」、「ＭＴＣＨ」が該当することになる。
【０５２０】
なお、図１４の１４０１−１の変調信号１のシンボル群＃１、および、１４０１−２の変調信号１のシンボル群＃２、および、１４０１−３の変調信号１のシンボル群＃３の特徴については、これまでに説明した実施の形態に記載したとおりであり、図１４の１４０２−１の変調信号２のシンボル群＃１、および、１４０２−２の変調信号２のシンボル群＃２、および、１４０２−３の変調信号２のシンボル群＃３の特徴については、これまでに説明した実施の形態に記載したとおりである。
【０５２１】
例えば、図２５の２５０１−１−１のストリーム１−１データシンボル（１）、および、２５０１−１−２のストリーム１−１データシンボル（２）、および、２５０１−１−３のストリーム１−１データシンボル（３）が、ブロードキャストチャネル（つまり、基地局が複数の端末とデータ通信を行うために、基地局が複数の端末に対してブロードキャスト送信を行う制御情報）であってもよい。なお、制御情報とは、例えば、基地局と端末がデータ通信を実現するために必要となる制御情報であるものとする。
【０５２２】
なお、ブロードキャストチャネルは、物理チャネル（物理チャネル信号３７０８）における、「ＰＢＣＨ」、「ＰＭＣＨ」、および、「ＰＤ−ＳＣＨの一部」が該当することになる。
【０５２３】
また、ブロードキャストチャネルは、トランスポートチャネル（トランスポートチャネル信号３７０６）における、「ＢＣＨ」、「ＤＬ−ＳＣＨの一部」、「ＰＣＨ」、「ＭＣＨ」が該当することになる。
【０５２４】
そして、ブロードキャストチャネルは、論理チャネル（論理チャネル信号３７０４）における、「ＢＣＣＨ」、「ＣＣＣＨ」、「ＭＣＣＨ」、「ＤＴＣＨの一部」、「ＭＴＣＨ」が該当することになる。
【０５２５】
なお、図２５の２５０１−１−１のストリーム１−１データシンボル（１）、および、２５０１−１−２のストリーム１−１データシンボル（２）、および、２５０１−１−３のストリーム１−１データシンボル（３）の特徴については、これまでに説明した実施の形態に記載したとおりである。
【０５２６】
例えば、図３１、図３２の２５０１−１−Ｍのストリーム１−１データシンボル（Ｍ）、および、２５０１−１−（Ｍ＋１）のストリーム１−１データシンボル（Ｍ＋１）、および、２５０１−１−（Ｍ＋２）のストリーム１−１データシンボル（Ｍ＋２）、および、３１０１−１のストリーム１−２データシンボル（１）、および、３１０１−２のストリーム１−２データシンボル（２）、３１０１−３のストリーム１−２データシンボル（３）が、ブロードキャストチャネル（つまり、基地局が複数の端末とデータ通信を行うために、基地局が複数の端末に対してブロードキャスト送信を行う制御情報）であってもよい。なお、制御情報とは、例えば、基地局と端末がデータ通信を実現するために必要となる制御情報であるものとする。
【０５２７】
なお、ブロードキャストチャネルは、物理チャネル（物理チャネル信号３７０８）における、「ＰＢＣＨ」、「ＰＭＣＨ」、および、「ＰＤ−ＳＣＨの一部」が該当することになる。
【０５２８】
また、ブロードキャストチャネルは、トランスポートチャネル（トランスポートチャネル信号３７０６）における、「ＢＣＨ」、「ＤＬ−ＳＣＨの一部」、「ＰＣＨ」、「ＭＣＨ」が該当することになる。
【０５２９】
そして、ブロードキャストチャネルは、論理チャネル（論理チャネル信号３７０４）における、「ＢＣＣＨ」、「ＣＣＣＨ」、「ＭＣＣＨ」、「ＤＴＣＨの一部」、「ＭＴＣＨ」が該当することになる。
【０５３０】
なお、図３１、図３２の２５０１−１−Ｍのストリーム１−１データシンボル（Ｍ）、および、２５０１−１−（Ｍ＋１）のストリーム１−１データシンボル（Ｍ＋１）、および、２５０１−１−（Ｍ＋２）のストリーム１−１データシンボル（Ｍ＋２）、および、３１０１−１のストリーム１−２データシンボル（１）、および、３１０１−２のストリーム１−２データシンボル（２）、３１０１−３のストリーム１−２データシンボル（３）の特徴については、これまでに説明した実施の形態に記載したとおりである。
【０５３１】
例えば、図３５において、２５０１−１−Ｍのストリーム１−１データシンボル（Ｍ）、および、２５０１−１−（Ｍ＋１）のストリーム１−１データシンボル（Ｍ＋１）、２５０１−１−（Ｍ＋２）のストリーム１−１データシンボル（Ｍ＋２）、および、３１０１−Ｎのストリーム１−２データシンボル（Ｎ）、および、３１０１−（Ｎ＋１）のストリーム１−２データシンボル（Ｎ＋１）、および、３１０１−（Ｎ＋２）のストリーム１−２データシンボル（Ｎ＋２）が、ブロードキャストチャネル（つまり、基地局が複数の端末とデータ通信を行うために、基地局が複数の端末に対してブロードキャスト送信を行う制御情報）であってもよい。なお、制御情報とは、例えば、基地局と端末がデータ通信を実現するために必要となる制御情報であるものとする。
【０５３２】
なお、ブロードキャストチャネルは、物理チャネル（物理チャネル信号３７０８）における、「ＰＢＣＨ」、「ＰＭＣＨ」、および、「ＰＤ−ＳＣＨの一部」が該当することになる。
【０５３３】
また、ブロードキャストチャネルは、トランスポートチャネル（トランスポートチャネル信号３７０６）における、「ＢＣＨ」、「ＤＬ−ＳＣＨの一部」、「ＰＣＨ」、「ＭＣＨ」が該当することになる。
【０５３４】
そして、ブロードキャストチャネルは、論理チャネル（論理チャネル信号３７０４）における、「ＢＣＣＨ」、「ＣＣＣＨ」、「ＭＣＣＨ」、「ＤＴＣＨの一部」、「ＭＴＣＨ」が該当することになる。
【０５３５】
例えば、図３５の３５０１−１のストリーム２−１データシンボル（１）、および、３５０１−２のストリーム２−１データシンボル（２）、および、３５０１−３のストリーム２−１データシンボル（３）が、ブロードキャストチャネル（つまり、基地局が複数の端末とデータ通信を行うために、基地局が複数の端末に対してブロードキャスト送信を行う制御情報）であってもよい。なお、制御情報とは、例えば、基地局と端末がデータ通信を実現するために必要となる制御情報であるものとする。
【０５３６】
なお、ブロードキャストチャネルは、物理チャネル（物理チャネル信号３７０８）における、「ＰＢＣＨ」、「ＰＭＣＨ」、および、「ＰＤ−ＳＣＨの一部」が該当することになる。
【０５３７】
また、ブロードキャストチャネルは、トランスポートチャネル（トランスポートチャネル信号３７０６）における、「ＢＣＨ」、「ＤＬ−ＳＣＨの一部」、「ＰＣＨ」、「ＭＣＨ」が該当することになる。
【０５３８】
そして、ブロードキャストチャネルは、論理チャネル（論理チャネル信号３７０４）における、「ＢＣＣＨ」、「ＣＣＣＨ」、「ＭＣＣＨ」、「ＤＴＣＨの一部」、「ＭＴＣＨ」が該当することになる。
【０５３９】
なお、図３５において、２５０１−１−Ｍのストリーム１−１データシンボル（Ｍ）、および、２５０１−１−（Ｍ＋１）のストリーム１−１データシンボル（Ｍ＋１）、２５０１−１−（Ｍ＋２）のストリーム１−１データシンボル（Ｍ＋２）、および、３１０１−Ｎのストリーム１−２データシンボル（Ｎ）、および、３１０１−（Ｎ＋１）のストリーム１−２データシンボル（Ｎ＋１）、および、３１０１−（Ｎ＋２）のストリーム１−２データシンボル（Ｎ＋２）の特徴については、これまでに説明した実施の形態に記載したとおりであり、図３５の３５０１−１のストリーム２−１データシンボル（１）、および、３５０１−２のストリーム２−１データシンボル（２）、および、３５０１−３のストリーム２−１データシンボル（３）の特徴については、これまでに説明した実施の形態に記載したとおりである。
【０５４０】
図９、図１４、図２５、図３１、図３２、図３５において、各データシンボルを送信する際、シングルキャリアの伝送方法を用いてもよいし、ＯＦＤＭなどのマルチキャリアの伝送方式を用いてもよい。また、データシンボルの時間的な位置は、図９、図１４、図２５、図３１、図３２、図３５に限ったものではない。
【０５４１】
また、図２５、図３１、図３２、図３５において、横軸を時間として説明しているが、横軸を周波数（キャリア）としても、同様に実施することが可能である。なお、横軸を周波数（キャリア）としたとき、基地局は、各データシンボルを、１つ以上のキャリア、または、サブキャリアを用いて、送信することになる。
【０５４２】
なお、図９のストリーム１のシンボル群において、端末個別に送信するデータ（ユニキャスト用のデータ）（または、シンボル）が含まれることがあってもよい。同様に、図９のストリーム２のシンボル群において、端末個別に送信するデータ（ユニキャスト用のデータ）（または、シンボル）が含まれることがあってもよい。
【０５４３】
図１４のストリーム１のシンボル群において、端末個別に送信するデータ（ユニキャスト用のデータ）（または、シンボル）が含まれることがあってもよい。同様に、図１４のストリーム２のシンボル群において、端末個別に送信するデータ（ユニキャスト用のデータ）（または、シンボル）が含まれることがあってもよい。
【０５４４】
また、図２５のストリーム１−１のシンボルに、端末個別に送信するデータ（ユニキャスト用のデータ）（または、シンボル）が含まれることがあってもよい。図３１、図３２のストリーム１−１のシンボル、ストリーム１−２のシンボルに、端末個別に送信するデータ（ユニキャスト用のデータ）（または、シンボル）が含まれることがあってもよい。
【０５４５】
そして、ＰＢＣＨは、例えば、「ＵＥがセルサーチ後の最初に読むべき最低限の情報（システム帯域幅、システムフレーム番号、送信アンテナ数など）を送信するために使用される」という構成としてもよい。
【０５４６】
ＰＭＣＨは、例えば、「ＭＢＳＦＮ（Multicast-broadcast single-frequency network）の運用に使用される」という構成としてもよい。
【０５４７】
ＰＤＳＣＨは、例えば、「下りリンクのユーザデータを送信するための共有データチャネルであり、C（control）-plane/U（User）-planeに関係なくすべてのデータを集約して送信される」という構成としてもよい。
【０５４８】
ＰＤＣＣＨは、例えば、「eNodeB（gNodeB）（基地局）がスケジューリングにより選択したユーザに対して、無線リソースの割り当て情報を通知するために使用される」という構成としてもよい。
【０５４９】
以上のように実施することで、マルチキャスト・ブロードキャストデータ伝送において、基地局が、データシンボル、制御情報シンボルを複数の送信ビームを用いて送信し、端末は、複数の送信ビームから、品質のよいビームを選択的に受信し、これに基づき、端末は、データシンボルの受信を行うことで、端末は高いデータの受信品質を得ることができるという効果を得ることができる。
【０５５０】
（実施の形態５）
本実施の形態では、基地局（７００）が送信する図９のストリーム１のシンボル群とストリーム２のシンボル群の構成について補足説明を行う。
【０５５１】
図３８は、基地局（７００）が送信するストリーム１のフレーム構成の一例を示しており、図３８におけるフレーム構成において、横軸は時間であり、縦軸は周波数であり、時刻１から時刻１０、キャリア１からキャリア４０までのフレーム構成を示している。したがって、図３８は、ＯＦＤＭ（Orthogonal Frequency Division Multiplexing）方法のようなマルチキャリア伝送方式のフレーム構成となる。
【０５５２】
図３８におけるストリーム１のシンボル領域３８０１＿１は、時刻１から時刻１０、キャリア１からキャリア９に存在しているものとする。
【０５５３】
ストリーム１のシンボル群＃ｉ（３８００＿ｉ）は、時刻１から時刻１０、キャリア１０からキャリア２０に存在しているものとする。なお、ストリーム１のシンボル群＃ｉ（３８００＿ｉ）は図９のストリーム１のシンボル群＃ｉ（９０１−ｉ）に相当するものとする。
【０５５４】
ストリーム１のシンボル領域３８０１＿２は、時刻１から時刻１０、キャリア２１からキャリア４０に存在しているものとする。
【０５５５】
このとき、例えば、実施の形態４などで説明したように、基地局が、１つ以上の端末に対し、個別のデータを伝送する（ユニキャストする）場合に、図３８のストリーム１のシンボル領域３８０１＿１、３８０１＿２を使用することができる。
【０５５６】
そして、図３８のストリーム１のシンボル群＃ｉ（３８００＿ｉ）は、実施の形態１、実施の形態４などで説明したように、基地局が、マルチキャスト用のデータを伝送するために使用することになる。
【０５５７】
図３９は、基地局（７００）が送信するストリーム２のフレーム構成の一例を示しており、図３９におけるフレーム構成において、横軸は時間であり、縦軸は周波数であり、時刻１から時刻１０、キャリア１からキャリア４０までのフレーム構成を示している。したがって、図３９はＯＦＤＭ方式のようなマルチキャリア伝送方式のフレームとなる。
【０５５８】
図３９におけるストリーム２のシンボル領域３９０１＿１は、時刻１から時刻１０、キャリア１からキャリア９に存在しているものとする。
【０５５９】
ストリーム２のシンボル群＃ｉ（３９００＿ｉ）は、時刻１から時刻１０、キャリア１０からキャリア２０に存在しているものとする。なお、ストリーム２のシンボル群＃ｉ（３９００＿ｉ）は図９のストリーム２のシンボル群＃ｉ（９０２−ｉ）に相当するものとする。
【０５６０】
ストリーム２のシンボル領域３９０１＿２は、時刻１から時刻１０、キャリア２１からキャリア４０に存在しているものとする。
【０５６１】
このとき、例えば、実施の形態４などで説明したように、基地局が、１つ以上の端末に対し、個別のデータ伝送する（ユニキャストする）場合に、図３９のストリーム２のシンボル領域３９０１＿１、３９０１＿２を使用することができる。
【０５６２】
そして、図３９のストリーム２のシンボル群＃ｉ（３９００＿ｉ）は、実施の形態１、実施の形態４などで説明したように、基地局が、マルチキャスト用のデータを伝送するために使用することになる。
【０５６３】
なお、基地局は、図３８における時刻Ｘ（図３８の場合、Ｘは１以上１０以下の整数）、キャリアＹ（図３８の場合Ｙは１以上４０以下の整数）のシンボルと図３９の時刻Ｘ、キャリアＹのシンボルを同一周波数、同一時刻を用いて送信することになる。
【０５６４】
そして、図９の９０１−１のストリーム１のシンボル群＃１、および、９０１−２のストリーム１のシンボル群＃２、および、９０１−３のストリーム１のシンボル群＃３の特徴については、これまでに説明した実施の形態に記載したとおりである。つまり、図３８のストリーム１のシンボル群＃ｉの特徴については、図９のストリーム１のシンボル群と同様であり、これまでに説明した実施の形態に記載したとおりである。
【０５６５】
また、図９の９０２−１のストリーム２のシンボル群＃１、および、９０２−２のストリーム２のシンボル群＃２、および、９０２−３のストリーム２のシンボル群＃３の特徴については、これまでに説明した実施の形態に記載したとおりである。つまり、図３９のストリーム２のシンボル群＃ｉの特徴については、図９のストリーム２のシンボル群と同様であり、これまでに説明した実施の形態に記載したとおりである。
【０５６６】
なお、図３８、図３９のフレーム構成のキャリア１０からキャリア２０における時刻１１以降にシンボルが存在した場合、マルチキャスト伝送用に使用してもよいし、個別データ伝送（ユニキャスト伝送）に使用してもよい。
【０５６７】
また、基地局が、図３８、図３９のフレーム構成で、図９のようなフレームを送信した場合、実施の形態１、実施の形態４で説明した実施を同様に行ってもよい。
【０５６８】
以上のように実施することで、マルチキャスト・ブロードキャストデータ伝送において、基地局が、データシンボル、制御情報シンボルを複数の送信ビームを用いて送信し、端末は、複数の送信ビームから、品質のよいビームを選択的に受信し、これに基づき、端末は、データシンボルの受信を行うことで、端末は高いデータの受信品質を得ることができるという効果を得ることができる。
【０５６９】
（実施の形態６）
本実施の形態では、基地局（７００）が送信する図１４の変調信号１のシンボル群と変調信号２のシンボル群の構成について補足説明を行う。
【０５７０】
図４０は、基地局（７００）が送信する変調信号１のフレーム構成の一例を示しており、図４０におけるフレーム構成において、横軸は時間であり、縦軸は周波数であり、時刻１から時刻１０、キャリア１からキャリア４０までのフレーム構成を示している。したがって、図４０は、ＯＦＤＭ（Orthogonal Frequency Division Multiplexing）方法のようなマルチキャリア伝送方式のフレーム構成となる。
【０５７１】
図４０における変調信号１のシンボル領域４００１＿１は、時刻１から時刻１０、キャリア１からキャリア９に存在しているものとする。
【０５７２】
変調信号１のシンボル群＃ｉ（４０００＿ｉ）は、時刻１から時刻１０、キャリア１０からキャリア２０に存在しているものとする。なお、変調信号１のシンボル群＃ｉ（４０００＿ｉ）は図１４の変調信号１のシンボル群＃ｉ（１４０１−ｉ）に相当するものとする。
【０５７３】
変調信号１のシンボル領域４００１＿２は、時刻１から時刻１０、キャリア２１からキャリア４０に存在しているものとする。
【０５７４】
このとき、例えば、実施の形態４などで説明したように、基地局が、１つ以上の端末に対し、個別のデータを伝送する（ユニキャストする）場合に、図４０のストリーム１のシンボル領域４００１＿１、４００１＿２を使用することができる。
【０５７５】
そして、図４０の変調信号１のシンボル群＃ｉ（４０００＿ｉ）は、実施の形態１、実施の形態４などで説明したように、基地局が、マルチキャスト用のデータを伝送するために使用することになる。
【０５７６】
図４１は、基地局（７００）が送信する変調信号２のフレーム構成の一例を示しており、図４１におけるフレーム構成において、横軸は時間であり、縦軸は周波数であり、時刻１から時刻１０、キャリア１からキャリア４０までのフレーム構成を示している。したがって、図４１はＯＦＤＭ方式のようなマルチキャリア伝送方式のフレームとなる。
【０５７７】
図４１における変調信号２のシンボル領域４１０１＿１は、時刻１から時刻１０、キャリア１からキャリア９に存在しているものとする。
【０５７８】
変調信号２のシンボル群＃ｉ（４１００＿ｉ）は、時刻１から時刻１０、キャリア１０からキャリア２０に存在しているものとする。なお、変調信号２のシンボル群＃ｉ（４１００＿ｉ）は図１４の変調信号２のシンボル群＃ｉ（１４０２−ｉ）に相当するものとする。
【０５７９】
変調信号２のシンボル領域４１０１＿２は、時刻１から時刻１０、キャリア２１からキャリア４０に存在しているものとする。
【０５８０】
このとき、例えば、実施の形態４などで説明したように、基地局が、１つ以上の端末に対し、個別のデータ伝送する（ユニキャストする）場合に、図４１の変調信号２のシンボル領域４１０１＿１、４１０１＿２を使用することができる。
【０５８１】
そして、図４１の変調信号２のシンボル群＃ｉ（４１００＿ｉ）は、実施の形態１、実施の形態４などで説明したように、基地局が、マルチキャスト用のデータを伝送するために使用することになる。
【０５８２】
なお、基地局は、図４０における時刻Ｘ（図４０の場合、Ｘは１以上１０以下の整数）、キャリアＹ（図４０の場合Ｙは１以上４０以下の整数）のシンボルと、図４１の時刻Ｘ、キャリアＹのシンボルを同一周波数、同一時刻を用いて送信することになる。
【０５８３】
そして、図１４の１４０１＿１のストリーム１のシンボル群＃１、および、１４０１＿２の変調信号１のシンボル群＃２、および、１４０１＿３の変調信号１のシンボル群＃３の特徴については、これまでに説明した実施の形態に記載したとおりである。つまり、図４０の変調信号１のシンボル群＃ｉの特徴については、図１４の変調信号１のシンボル群と同様であり、これまでに説明した実施の形態に記載したとおりである。
【０５８４】
また、図１４の１４０２＿１の変調信号２のシンボル群＃１、および、１４０２＿２の変調信号２のシンボル群＃２、および、１４０２＿３の変調信号２のシンボル群＃３の特徴については、これまでに説明した実施の形態に記載したとおりである。つまり、図４１の変調信号２のシンボル群＃ｉの特徴については、図１４の変調信号２のシンボル群と同様であり、これまでに説明した実施の形態に記載したとおりである。
【０５８５】
なお、図４０、図４１のフレーム構成のキャリア１０からキャリア２０における時刻１１以降にシンボルが存在した場合、マルチキャスト伝送用に使用してもよいし、個別データ伝送（ユニキャスト伝送）に使用してもよい。
【０５８６】
また、基地局が、図４０、図４１のフレーム構成で、図１４のようなフレームを送信した場合、実施の形態１、実施の形態４で説明した実施を同様に行ってもよい。
【０５８７】
上述の説明における図３８のストリーム１のシンボル領域３８０１＿１、３８０１＿２、図３９のストリーム２のシンボル領域３９０１＿１、３９０１＿２、図４０の変調信号１のシンボル領域４００１＿１、４００１＿２、図４１の変調信号２のシンボル領域４１０１＿１、４１０２＿２の使用方法の例について説明する。
【０５８８】
図４２は、「図３８のストリーム１のシンボル領域３８０１＿１、３８０１＿２、図３９のストリーム２のシンボル領域３９０１＿１、３９０１＿２、図４０の変調信号１のシンボル領域４００１＿１、４００１＿２、図４１の変調信号２のシンボル領域４１０１＿１、４１０２＿２」の端末への割り当ての一例を示している。なお、図４２において、横軸は時間であり、縦軸は周波数（キャリア）である。
【０５８９】
図４２に示すように、例えば、「図３８のストリーム１のシンボル領域３８０１＿１、３８０１＿２、図３９のストリーム２のシンボル領域３９０１＿１、３９０１＿２、図４０の変調信号１のシンボル領域４００１＿１、４００１＿２、図４１の変調信号２のシンボル領域４１０１＿１、４１０２＿２」を周波数分割し、端末に対し割り当てを行う。そして、４２０１＿１は端末＃１用に割り当てられたシンボル群であり、４２０１＿２は端末＃２用に割り当てられたシンボル群であり、４２０１＿３は端末＃３用に割り当てられたシンボル群である。
【０５９０】
例えば、基地局（７００）は、端末＃１、端末＃２、端末＃３と通信を行っており、基地局が端末＃１に対してデータを伝送する場合、図４２の「端末＃１用に割り当てられたシンボル群４２０１＿１」を用いて、基地局は端末＃１にデータを伝送することになる。そして、基地局が端末＃２に対してデータを伝送する場合、図４２の「端末＃２用に割り当てられたシンボル群４２０１＿２」を用いて、基地局は端末＃２にデータを伝送することになる。基地局が端末＃３に対してデータを伝送する場合、図４２の「端末＃３用に割り当てられたシンボル群４２０１＿３」を用いて、基地局は端末＃３にデータを伝送することになる。
【０５９１】
なお、端末への割り当て方法は、図４２に限ったものではなく、周波数帯域（キャリア数）は時間により変化してもよいし、また、どのように設定してもよい。そして、時間とともに端末への割り当て方法を変更してもよい。
【０５９２】
図４３は、「図３８のストリーム１のシンボル領域３８０１＿１、３８０１＿２、図３９のストリーム２のシンボル領域３９０１＿１、３９０１＿２、図４０の変調信号１のシンボル領域４００１＿１、４００１＿２、図４１の変調信号２のシンボル領域４１０１＿１、４１０２＿２」の端末への割り当ての図４２とは異なる例である。なお、図４３において、横軸は時間であり縦軸は周波数（キャリア）である。
【０５９３】
図４３に示すように、例えば、「図３８のストリーム１のシンボル領域３８０１＿１、３８０１＿２、図３９のストリーム２のシンボル領域３９０１＿１、３９０１＿２、図４０の変調信号１のシンボル領域４００１＿１、４００１＿２、図４１の変調信号２のシンボル領域４１０１＿１、４１０２＿２」を時間、周波数分割を行い、端末に対し割り当てを行う。そして、４３０１＿１は端末＃１用に割り当てられたシンボル群であり、４３０１＿２は端末＃２用に割り当てられたシンボル群であり、４３０１＿３は端末＃３用に割り当てられたシンボル群であり、４３０１＿４は端末＃４用に割り当てられたシンボル群であり、４３０１＿５は端末＃５用に割り当てられたシンボル群であり、４３０１＿６は端末＃６用に割り当てられたシンボル群である。
【０５９４】
例えば、基地局（７００）は、端末＃１、端末＃２、端末＃３、端末＃４、端末＃５、端末＃６と通信を行っており、基地局が端末＃１に対してデータを伝送する場合、図４３の「端末＃１用に割り当てられたシンボル群４３０１＿１」を用いて、基地局は端末＃１にデータを伝送することになる。そして、基地局が端末＃２に対してデータを伝送する場合、図４３の「端末＃２用に割り当てられたシンボル群４３０１＿２」を用いて、基地局は端末＃２にデータを伝送することになる。基地局が端末＃３に対してデータを伝送する場合、図４３の「端末＃３用に割り当てられたシンボル群４３０１＿３」を用いて、基地局は端末＃３にデータを伝送することになる。基地局が端末＃４に対してデータを伝送する場合、図４３の「端末＃４用に割り当てられたシンボル群４３０１＿４」を用いて、基地局は端末＃４にデータを伝送することになる。基地局が端末＃５に対してデータを伝送する場合、図４３の「端末＃５用に割り当てられたシンボル群４３０１＿５」を用いて、基地局は端末＃５にデータを伝送することになる。基地局が端末＃６に対してデータを伝送する場合、図４３の「端末＃６用に割り当てられたシンボル群４３０１＿６」を用いて、基地局は端末＃６にデータを伝送することになる。
【０５９５】
なお、端末への割り当て方法は、図４３に限ったものではなく、周波数帯域（キャリア数）、時間幅は変化してもよいし、また、どのように設定してもよい。そして、時間とともに端末への割り当て方法を変更してもよい。
【０５９６】
また、図３８、図３９、図４０、図４１におけるストリーム１のシンボル領域、ストリーム２のシンボル領域、変調信号１のシンボル領域、変調信号２のシンボル領域では、キャリアごとに異なる重み付け合成を行ってもよいし、複数のキャリアを単位として、重み付け合成方法を決定してもよい。また、図４３、図４４のように割り当てた端末ごとに重み付け合成のパラメータを設定してもよい。キャリアにおける重み付け合成の方法の設定は、これらの例に限ったものではない。
【０５９７】
以上のように実施することで、マルチキャスト・ブロードキャストデータ伝送において、基地局が、データシンボル、制御情報シンボルを複数の送信ビームを用いて送信し、端末は、複数の送信ビームから、品質のよいビームを選択的に受信し、これに基づき、端末は、データシンボルの受信を行うことで、端末は高いデータの受信品質を得ることができるという効果を得ることができる。
【０５９８】
（実施の形態７）
本明細書において、図７、図１２、図１７、図１８、図１９、図２０、図２２における基地局７００、他の実施の形態で説明した基地局の構成として、図４４のような構成であってもよい。
【０５９９】
以下では、図４４の基地局の動作について説明を行う。図４４において、図１、図３と同様に動作するものについては、同一番号を付しており、説明を省略する。
【０６００】
重み付け合成部３０１は、信号処理後の信号１０３＿１、１０３＿２、・・・、１０３＿Ｍ、および、制御信号１５９を入力とし、制御信号１５９に基づき、重み付け合成を行い、重み付け合成信号４４０１＿１、４４０１＿２、・・・、４４０１＿Ｋを出力する。なお、Ｍは２以上の整数とし、Ｋは２以上の整数とする。
【０６０１】
例えば、信号処理後の信号１０３＿ｉ（ｉは１以上Ｍ以下の整数）をｕｉ（ｔ）（ｔは時間）、重み付け合成後の信号４４０１＿ｇ（ｇは１以上Ｋ以下の整数）をｖｇ（ｔ）とあらわすと、ｖｇ（ｔ）は次式であらわすことができる。
【０６０２】
【数７】
2019151164.tif 000009
【０６０３】
無線部１０４＿ｇは、重み付け合成後の信号４４０１＿ｇ、制御信号１５９を入力とし、制御信号１５９に基づいて、所定の処理を行い、送信信号１０５＿ｇを生成し、出力する。そして、送信信号１０５＿ｇはアンテナ３０３＿１から送信される。
【０６０４】
なお、基地局が対応している送信方法は、ＯＦＤＭなどのマルチキャリア方式であってもよいし、シングルキャリア方式であってもよい。また、基地局は、マルチキャリア方式、シングルキャリア方式の両者に対応していてもよい。このときシングルキャリア方式の変調信号を生成する方法は、複数あり、いずれの方式の場合についても実施が可能である。例えば、シングルキャリア方式の例として、「DFT（Discrete Fourier Transform）-Spread OFDM（Orthogonal Frequency Division Multiplexing）」、「Trajectory Constrained DFT-Spread OFDM」、「OFDM based SC（Single Carrier）」、「SC（Single Carrier）-FDMA（Frequency Division Multiple Access）」、「Guard interval DFT-Spread OFDM」などがある。
【０６０５】
式（７）では、時間の関数で記載しているが、ＯＦＤＭ方式などのマルチキャリア方式の場合、時間に加え周波数の関数であってもよい。
【０６０６】
例えば、ＯＦＤＭ方式において、キャリアごとに異なる重み付け合成を行ってもよいし、複数のキャリアを単位として、重み付け合成方法を決定してもよい。キャリアにおける重み付け合成の方法の設定は、これらの例に限ったものではない。
【０６０７】
（補足６）
当然であるが、本明細書において説明した実施の形態、補足などのその他の内容を複数組み合わせて、実施してもよい。
【０６０８】
そして、基地局の構成として、例として、図１、図３に限ったものではなく、複数の送信アンテナを持ち、複数の送信ビーム（送信指向性ビーム）を生成し、送信する基地局であれば、本開示を実施することが可能である。
【０６０９】
また、各実施の形態については、あくまでも例であり、例えば、「変調方式、誤り訂正符号化方式（使用する誤り訂正符号、符号長、符号化率等）、制御情報など」を例示していても、別の「変調方式、誤り訂正符号化方式（使用する誤り訂正符号、符号長、符号化率等）、制御情報など」を適用した場合でも同様の構成で実施することが可能である。
【０６１０】
変調方式については、本明細書で記載している変調方式以外の変調方式を使用しても、本明細書において説明した実施の形態、その他の内容を実施することが可能である。例えば、ＡＰＳＫ（例えば、16APSK, 64APSK, 128APSK, 256APSK, 1024APSK, 4096APSKなど）、ＰＡＭ（例えば、4PAM, 8PAM, 16PAM, 64PAM, 128PAM, 256PAM, 1024PAM, 4096PAMなど）、ＰＳＫ（例えば、BPSK, QPSK, 8PSK, 16PSK, 64PSK, 128PSK, 256PSK, 1024PSK, 4096PSKなど）、ＱＡＭ（例えば、4QAM, 8QAM, 16QAM, 64QAM, 128QAM, 256QAM, 1024QAM, 4096QAMなど）などを適用してもよいし、各変調方式において、均一マッピング、非均一マッピングとしてもよい。また、Ｉ−Ｑ平面における２個、４個、８個、１６個、６４個、１２８個、２５６個、１０２４個等の信号点の配置方法（２個、４個、８個、１６個、６４個、１２８個、２５６個、１０２４個等の信号点をもつ変調方式）は、本明細書で示した変調方式の信号点配置方法に限ったものではない。
【０６１１】
本明細書において、送信装置を具備しているのは、例えば、放送局、基地局、アクセスポイント、端末、携帯電話（ｍｏｂｉｌｅ  ｐｈｏｎｅ）等の通信・放送機器であることが考えられ、このとき、受信装置を具備しているのは、テレビ、ラジオ、端末、パーソナルコンピュータ、携帯電話、アクセスポイント、基地局等の通信機器であることが考えられる。また、本開示における送信装置、受信装置は、通信機能を有している機器であって、その機器が、テレビ、ラジオ、パーソナルコンピュータ、携帯電話等のアプリケーションを実行するための装置に何らかのインターフェースを解して接続できるような形態であることも考えられる。また、本実施の形態では、データシンボル以外のシンボル、例えば、パイロットシンボル（プリアンブル、ユニークワード、ポストアンブル、リファレンスシンボル等）、制御情報用のシンボルなどが、フレームにどのように配置されていてもよい。そして、ここでは、パイロットシンボル、制御情報用のシンボルと名付けているが、どのような名付け方を行ってもよく、機能自身が重要となっている。
【０６１２】
パイロットシンボルは、例えば、送受信機において、ＰＳＫ変調を用いて変調した既知のシンボルであればよく、受信機は、このシンボルを用いて、周波数同期、時間同期、各変調信号のチャネル推定（ＣＳＩ（Channel State Information）の推定）、信号の検出等を行う。または、パイロットシンボルは、受信機が同期することによって、受信機は、送信機が送信したシンボルを知ることができてもよい。
【０６１３】
また、制御情報用のシンボルは、データ（アプリケーション等のデータ）以外の通信を実現するための、通信相手に伝送する必要がある情報（例えば、通信に用いている変調方式、誤り訂正符号化方式、誤り訂正符号化方式の符号化率、上位レイヤーでの設定情報等）を伝送するためのシンボルである。
【０６１４】
なお、本開示は各実施の形態に限定されず、種々変更して実施することが可能である。例えば、各実施の形態では、通信装置として行う場合について説明しているが、これに限られるものではなく、この通信方法をソフトウェアとして行うことも可能である。
【０６１５】
なお、例えば、上記通信方法を実行するプログラムを予めＲＯＭに格納しておき、そのプログラムをＣＰＵによって動作させるようにしても良い。
【０６１６】
また、上記通信方法を実行するプログラムをコンピュータで読み取り可能な記憶媒体に格納し、記憶媒体に格納されたプログラムをコンピュータのＲＡＭに記録して、コンピュータをそのプログラムにしたがって動作させるようにしても良い。
【０６１７】
そして、上記の各実施の形態などの各構成は、典型的には、入力端子及び出力端子を有する集積回路であるＬＳＩとして実現されてもよい。これらは、個別に１チップ化されてもよいし、各実施の形態の全ての構成または一部の構成を含むように１チップ化されてもよい。ここでは、ＬＳＩとしたが、集積度の違いにより、ＩＣ、システムＬＳＩ、スーパーＬＳＩ、ウルトラＬＳＩと呼称されることもある。また、集積回路化の手法はＬＳＩに限られるものではなく、専用回路または汎用プロセッサで実現しても良い。ＬＳＩ製造後に、プログラムすることが可能なＦＰＧＡや、ＬＳＩ内部の回路セルの接続や設定を再構成可能なリコンフィギュラブル・プロセッサを利用しても良い。さらに、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてあり得る。
【０６１８】
本明細書において、種々のフレーム構成について説明した。本明細書で説明したフレーム構成の変調信号を、図１の送信装置を具備する例えば基地局（ＡＰ）が、ＯＦＤＭ方式などのマルチキャリア方式を用いて送信する。このとき、基地局（ＡＰ）と通信を行っている端末（ユーザー）が変調信号を送信する際、端末が送信する変調信号はシングルキャリアの方式であるという適用方法を考えることができる（基地局（ＡＰ）はＯＦＤＭ方式を用いることで、複数の端末に対し、同時にデータシンボル群を送信することができ、また、端末はシングルキャリア方式を用いることにより、消費電力を低減することが可能となる。）。
【０６１９】
また、基地局（ＡＰ）が送信する変調信号が使用する周波数帯域の一部を用いて、端末は変調方式を送信するＴＤＤ（Time Division Duplex）方式を適用してもよい。
【０６２０】
図１のアンテナ部１０６−１、１０６−２、・・・、１０６−Ｍの構成は、実施の形態において説明した構成に限ったものではない。例えば、アンテナ部１０６−１、１０６−２、・・・、１０６−Ｍが、複数のアンテナで構成されていなくてもよく、また、アンテナ部１０６−１、１０６−２、・・・、１０６−Ｍは、信号１５９を入力としなくてもよい。
【０６２１】
図４のアンテナ部４０１−１、４０１−２、・・・、４０１−Ｎの構成は、実施の形態において説明した構成に限ったものではない。例えば、アンテナ部４０１−１、４０１−２、・・・、４０１−Ｎが、複数のアンテナで構成されていなくてもよく、また、アンテナ部４０１−１、４０１−２、・・・、４０１−Ｎは、信号４１０を入力としなくてもよい。
【０６２２】
なお、基地局、端末が対応している送信方法は、ＯＦＤＭなどのマルチキャリア方式であってもよいし、シングルキャリア方式であってもよい。また、基地局は、マルチキャリア方式、シングルキャリア方式の両者に対応していてもよい。このときシングルキャリア方式の変調信号を生成する方法は、複数あり、いずれの方式の場合についても実施が可能である。例えば、シングルキャリア方式の例として、「DFT（Discrete Fourier Transform）-Spread OFDM（Orthogonal Frequency Division Multiplexing）」、「Trajectory Constrained DFT-Spread OFDM」、「OFDM based SC（Single Carrier）」、「SC（Single Carrier）-FDMA（Frequency Division Multiple Access）」、「Guard interval DFT-Spread OFDM」などがある。
【０６２３】
また、図１、図３、図４４における情報＃１（１０１＿１）、情報＃２（１０１＿２）、・・・、情報＃Ｍ（１０１＿Ｍ）の中に、少なくともマルチキャスト（ブロードキャスト）のデータが存在することになる。例えば、図１において、情報＃１（１０１＿１）がマルチキャスト用のデータの場合、このデータを含んだ、複数のストリーム、または、変調信号を信号処理部１０２により生成し、アンテナから出力することになる。
【０６２４】
図３において、情報＃１（１０１＿１）がマルチキャスト用のデータの場合、このデータを含んだ、複数のストリーム、または、変調信号を信号処理部１０２、および／または、重み付け合成部３０１で生成し、アンテナから出力することになる。
【０６２５】
図４４において、情報＃１（１０１＿１）がマルチキャスト用のデータの場合、このデータを含んだ、複数のストリーム、または、変調信号を信号処理部１０２、および／または、重み付け合成部３０１で生成し、アンテナから出力することになる。
【０６２６】
なお、複数ストリームまたは変調信号の様子については、図７、図９、図１２、図１４、図１７、図１８、図１９を用いて説明したとおりである。
【０６２７】
さらに、図１、図３、図４４における情報＃１（１０１＿１）、情報＃２（１０１＿２）、・・・、情報＃Ｍ（１０１＿Ｍ）の中に、個別端末宛のデータを含んでいてもよい。この点については、本明細書の実施の形態で説明したとおりである。
【０６２８】
なお、ＦＰＧＡ（Field Programmable Gate Array）およびＣＰＵ（Central Processing Unit）の少なくとも一方が、本開示において説明した通信方法を実現するために必要なソフトウェアの全部あるいは一部を無線通信または有線通信によりダウンロードできるような構成であってもよい。さらに、更新のためのソフトウェアの全部あるいは一部を無線通信または有線通信によりダウンロードできるような構成であってもよい。そして、ダウンロードしたソフトウェアを記憶部に格納し、格納されたソフトウェアに基づいてＦＰＧＡおよびＣＰＵの少なくとも一方を動作させることにより、本開示において説明したデジタル信号処理を実行するようにしてもよい。
【０６２９】
このとき、ＦＰＧＡおよびＣＰＵの少なくとも一方を具備する機器は、通信モデムと無線または有線で接続し、この機器と通信モデムにより、本開示において説明した通信方法を実現してもよい。
【０６３０】
例えば、本明細書で記載した基地局、ＡＰ、端末などの通信装置が、ＦＰＧＡおよび、ＣＰＵのうち、少なくとも一方を具備しており、ＦＰＧＡ及びＣＰＵの少なくとも一方を動作させるためのソフトウェアを外部から入手するためのインターフェースを通信装置が具備していてもよい。さらに、通信装置が外部から入手したソフトウェアを格納するための記憶部を具備し、格納されたソフトウェアに基づいて、ＦＰＧＡ、ＣＰＵを動作させることで、本開示において説明した信号処理を実現するようにしてもよい。
【０６３１】
（実施の形態８）
本実施の形態では、例えば、通信装置＃Ａが保有するデータを複数の通信装置に送信する場合の実施例について説明する。
【０６３２】
図４５は、通信装置＃Ａが保有するデータを複数の通信装置に送信する場合の例を示している。４５０１の通信装置＃Ａは、例えば、第１のデータで構成されている第１のファイルを蓄積部に蓄積しており、４５０１の通信装置＃Ａは、４５０２＿１の通信装置＃１、４５０２＿２の通信装置＃２、４５０２＿３の通信装置＃３、および、４５０２＿４の通信装置＃４に、第１のデータを送信するものとする。
【０６３３】
４５０２＿４の通信装置＃４は、４５０１の通信装置＃Ａから得た第１のデータを、ネットワーク４５０３を介して、サーバー４５０６＿４に送信することになる。
【０６３４】
図４５における４５０１の通信装置＃Ａ、４５０２＿１の通信装置＃１、４５０２＿２の通信装置＃２、４５０２＿３の通信装置＃３、４５０２＿４の通信装置＃４の動作について、詳しく説明する。
【０６３５】
４５０１の通信装置＃Ａは、例えば、図１（または、図３、または、図４４）の構成を具備するものとする。そして、４５０２＿１の通信装置＃１、４５０２＿２の通信装置＃２、４５０２＿３の通信装置＃３、４５０２＿４の通信装置＃４は、例えば、図４の構成を具備するものとする。なお、図１（図３、図４４）の各部の動作、および、図４の各部の動作については、すでに説明を行っているので、説明を省略する。
【０６３６】
４５０１の通信装置＃Ａが具備する信号処理部１０２は、第１のデータを含む情報１０１−１、制御信号１５９を入力とし、制御信号１５９に含まれる、「誤り訂正符号化の方法（符号化率、符号長（ブロック長））に関する情報」「変調方式に関する情報」、「送信方法（多重化方法）」、などの情報に基づき、信号処理を行うことになる。
【０６３７】
このとき、信号処理部１０２は、第１のデータを含む情報１０１−１から、４５０２＿１の通信装置＃１に送信するための信号処理後の信号、４５０２＿２の通信装置＃２に送信するための信号処理後の信号、４５０２＿３の通信装置＃３に送信するための信号処理後の信号、４５０２＿４の通信装置＃４に送信するための信号処理後の信号を生成する。例として、４５０２＿１の通信装置＃１に送信するための信号処理後の信号を１０３−１とし、４５０２＿２の通信装置＃２に送信するための信号処理後の信号を１０３−２とし、４５０２＿３の通信装置＃３に送信するための信号処理後の信号を１０３−３とし、４５０２＿４の通信装置＃４に送信するための信号処理後の信号を１０３−４とする。
【０６３８】
そして、４５０２＿１の通信装置＃１に送信するための信号処理後の信号１０３−１は、無線部１０４−１を介し、送信信号１０５−１はアンテナ１０６−１から送信される。同様に、４５０２＿２の通信装置＃２に送信するための信号処理後の信号１０３−２は、無線部１０４−２を介し、送信信号１０５−２はアンテナ１０６−２から送信され、４５０２＿３の通信装置＃３に送信するための信号処理後の信号１０３−３は、無線部１０４−３を介し、送信信号１０５−３はアンテナ１０６−３から送信され、４５０２＿４の通信装置＃４に送信するための信号処理後の信号１０３−４は、無線部１０４−４を介し、送信信号１０５−４はアンテナ１０６−４から送信される。
【０６３９】
このとき、送信信号１０５−１、１０５−２、１０５−３、１０５−４の周波数の設定方法について、図４６を用いて説明する。
【０６４０】
図４６において、横軸を周波数とし、縦軸をパワーとする。送信信号１０５−１、１０５−２、１０５−３、１０５−４は、第１の周波数帯（第１のチャネル）にスペクトル４６０１をもつスペクトル、第２の周波数帯（第２のチャネル）にスペクトル４６０２をもつスペクトル、第３の周波数帯（第３のチャネル）にスペクトル４６０３をもつスペクトルのいずれかの信号となる。
【０６４１】
具体的な例について、図４７、図４８、図４９、図５０を用いて説明する。
【０６４２】
図４７は、図４５の４５０１の通信装置＃Ａ、４５０２＿１の通信装置＃１、４５０２＿２の通信装置＃２、４５０２＿３の通信装置＃３、４５０２＿４の通信装置＃４の位置関係を示している。したがって、図４７では、図４５で付加した番号を記載している。
【０６４３】
図４７の場合、４５０１の通信装置＃Ａは、４５０２＿１の通信装置＃１に送信する送信信号１０５−１が使用するスペクトルとして、図４６の第１の周波数帯のスペクトル４６０１を使用し、４５０２＿２の通信装置＃２に送信する送信信号１０５−２が使用するスペクトルとして、図４６の第１の周波数帯のスペクトル４６０１を使用し、４５０２＿３の通信装置＃３に送信する送信信号１０５−３が使用するスペクトルとして、図４６の第１の周波数帯のスペクトル４６０１を使用し、４５０２＿４の通信装置＃４に送信する送信信号１０５−４が使用するスペクトルとして、図４６の第１の周波数帯のスペクトル４６０１を使用することができる。このように、「４５０２＿１の通信装置＃１に送信する送信信号が使用する周波数帯」、「４５０２＿２の通信装置＃２に送信する送信信号が使用する周波数帯」、「４５０２＿３の通信装置＃３に送信する送信信号が使用する周波数帯」、「４５０２＿４の通信装置＃４に送信する送信信号が使用する周波数帯」を同じに設定できることになる。このようにすることで、周波数利用効率を向上することができるという効果を得ることができる。
【０６４４】
ここで、「４５０２＿１の通信装置＃１に送信する送信信号１０５−１」、「４５０２＿２の通信装置＃２に送信する送信信号１０５−２」、「４５０２＿３の通信装置＃３に送信する送信信号１０５−３」、「４５０２＿４の通信装置＃４に送信する送信信号１０５−４」の時間的な存在について説明する。
【０６４５】
図５１は、４５０１の通信装置Ａが送信する変調信号のフレーム構成の一例を示しており、横軸時間におけるシンボルの配置の例を示している。図５１において、５１０１−１は、４５０２＿１の通信装置＃１宛のデータシンボル群、または、４５０２＿１の通信装置＃１宛のデータシンボル群の一部を示しており、５１０１−２は、４５０２＿２の通信装置＃２宛のデータシンボル群、または、４５０２＿２の通信装置＃２宛のデータシンボル群の一部を示しており、５１０１−３は、４５０２＿３の通信装置＃３宛のデータシンボル群、または、４５０２＿３の通信装置＃３宛のデータシンボル群の一部を示しており、５１０１−４は、４５０２＿４の通信装置＃４宛のデータシンボル群、または、４５０２＿４の通信装置＃４宛のデータシンボル群の一部を示している。
【０６４６】
「４５０２＿１の通信装置＃１宛のデータシンボル群、または、４５０２＿１の通信装置＃１宛のデータシンボル群の一部」５１０１＿１、「４５０２＿２の通信装置＃２宛のデータシンボル群、または、４５０２＿２の通信装置＃２宛のデータシンボル群の一部」５１０１−２、「４５０２＿３の通信装置＃３宛のデータシンボル群、または、４５０２＿３の通信装置＃３宛のデータシンボル群の一部」５１０１＿３、「通信装置＃４宛のデータシンボル群、または、４５０２＿４の通信装置＃４宛のデータシンボル群の一部」５１０１＿４はいずれも時間区間１に存在することになる。
【０６４７】
図４８は、図４５の４５０１の通信装置＃Ａ、４５０２＿１の通信装置＃１、４５０２＿２の通信装置＃２、４５０２＿３の通信装置＃３、４５０２＿４の通信装置＃４の図４７とは異なる位置関係を示している。したがって、図４８では、図４５で付加した番号を記載している。
【０６４８】
図４８の場合、４５０１の通信装置＃Ａは、４５０２＿１の通信装置＃１に送信する送信信号１０５−１が使用するスペクトルとして、図４６の第１の周波数帯のスペクトル４６０１を使用し、４５０２＿２の通信装置＃２に送信する送信信号１０５−２が使用するスペクトルとして、図４６の第１の周波数帯のスペクトル４６０１を使用し、４５０２＿３の通信装置＃３に送信する送信信号１０５−３が使用するスペクトルとして、図４６の第１の周波数帯のスペクトル４６０１を使用し、４５０２＿４の通信装置＃４に送信する送信信号１０５−４が使用するスペクトルとして、図４６の第２の周波数帯のスペクトル４６０２を使用するものとする。このとき、４５０２＿３の通信装置＃３に送信する送信信号１０５−３が使用する周波数帯と４５０２＿４の通信装置＃４に送信する送信信号１０５−４が使用する周波数帯が異なるのは、４５０１の送信装置＃Ａが、「４５０２＿３の通信装置＃３に送信する送信信号１０５−３が使用する周波数帯と４５０２＿４の通信装置＃４に送信する送信信号１０５−４が使用する周波数帯」を同じようにすると、４５０２＿３の通信装置＃３、４５０２＿４の通信装置＃４はビームの分離が困難のため、干渉が大きく、これにより、データの受信品質が低下するからである。
【０６４９】
上述のようにすることで高いデータの受信品質を確保しながら、周波数利用効率を向上することができるという効果を得ることができる。
【０６５０】
ここで、「４５０２＿１の通信装置＃１に送信する送信信号１０５−１」、「４５０２＿２の通信装置＃２に送信する送信信号１０５−２」、「４５０２＿３の通信装置＃３に送信する送信信号１０５−３」、「４５０２＿４の通信装置＃４に送信する送信信号１０５−４」の時間的な存在について説明する。
【０６５１】
図５１は、４５０１の通信装置Ａが送信する変調信号のフレーム構成の一例を示しており、横軸時間におけるシンボルの配置の例を示している。図５１において、５１０１−１は、４５０２＿１の通信装置＃１宛のデータシンボル群、または、４５０２＿１の通信装置＃１宛のデータシンボル群の一部を示しており、５１０１−２は、４５０２＿２の通信装置＃２宛のデータシンボル群、または、４５０２＿２の通信装置＃２宛のデータシンボル群の一部を示しており、５１０１−３は、４５０２＿３の通信装置＃３宛のデータシンボル群、または、４５０２＿３の通信装置＃３宛のデータシンボル群の一部を示しており、５１０１−４は、４５０２＿４の通信装置＃４宛のデータシンボル群、または、４５０２＿４の通信装置＃４宛のデータシンボル群の一部を示している。
【０６５２】
「４５０２＿１の通信装置＃１宛のデータシンボル群、または、４５０２＿１の通信装置＃１宛のデータシンボル群の一部」５１０１＿１、「４５０２＿２の通信装置＃２宛のデータシンボル群、または、４５０２＿２の通信装置＃２宛のデータシンボル群の一部」５１０１−２、「４５０２＿３の通信装置＃３宛のデータシンボル群、または、４５０２＿３の通信装置＃３宛のデータシンボル群の一部」５１０１＿３、「通信装置＃４宛のデータシンボル群、または、４５０２＿４の通信装置＃４宛のデータシンボル群の一部」５１０１＿４はいずれも時間区間１に存在することになる。
【０６５３】
なお、図４７のときにおいても、４５０１の通信装置＃Ａは、４５０２＿１の通信装置＃１に送信する送信信号１０５−１が使用するスペクトルとして、図４６の第１の周波数帯のスペクトル４６０１を使用し、４５０２＿２の通信装置＃２に送信する送信信号１０５−２が使用するスペクトルとして、図４６の第１の周波数帯のスペクトル４６０１を使用し、４５０２＿３の通信装置＃３に送信する送信信号１０５−３が使用するスペクトルとして、図４６の第１の周波数帯のスペクトル４６０１を使用し、４５０２＿４の通信装置＃４に送信する送信信号１０５−４が使用するスペクトルとして、図４６の第２の周波数帯のスペクトル４６０２を使用することができる。
【０６５４】
図４９は、図４５の４５０１の通信装置＃Ａ、４５０２＿１の通信装置＃１、４５０２＿２の通信装置＃２、４５０２＿３の通信装置＃３、４５０２＿４の通信装置＃４の図４７、図４８とは異なる位置関係を示している。したがって、図４９では、図４５で付加した番号を記載している。
【０６５５】
図４９の場合、４５０１の通信装置＃Ａは、４５０２＿１の通信装置＃１に送信する送信信号１０５−１が使用するスペクトルとして、図４６の第１の周波数帯のスペクトル４６０１を使用し、４５０２＿２の通信装置＃２に送信する送信信号１０５−２が使用するスペクトルとして、図４６の第２の周波数帯のスペクトル４６０２を使用し、４５０２＿３の通信装置＃３に送信する送信信号１０５−３が使用するスペクトルとして、図４６の第２の周波数帯のスペクトル４６０２を使用し、４５０２＿４の通信装置＃４に送信する送信信号１０５−４が使用するスペクトルとして、図４６の第３の周波数帯のスペクトル４６０３を使用するものとする。このとき、４５０２＿１の通信装置＃１に送信する送信信号１０５−１が使用する周波数帯、４５０２＿３の通信装置＃３に送信する送信信号１０５−３が使用する周波数帯、４５０２＿４の通信装置＃４に送信する送信信号１０５−４が使用する周波数帯が異なるのは、４５０１の送信装置＃Ａが、「４５０２＿１の通信装置＃１に送信する送信信号１０５−１が使用する周波数帯、４５０２＿３の通信装置＃３に送信する送信信号１０５−３が使用する周波数帯と４５０２＿４の通信装置＃４に送信する送信信号１０５−４が使用する周波数帯」を同じようにすると、４５０２＿１の通信装置＃１、４５０２＿３の通信装置＃３、４５０２＿４の通信装置＃４はビームの分離が困難のため、干渉が大きく、これにより、データの受信品質が低下するからである。
【０６５６】
上述のようにすることで高いデータの受信品質を確保しながら、周波数利用効率を向上することができるという効果を得ることができる。
【０６５７】
ここで、「４５０２＿１の通信装置＃１に送信する送信信号１０５−１」、「４５０２＿２の通信装置＃２に送信する送信信号１０５−２」、「４５０２＿３の通信装置＃３に送信する送信信号１０５−３」、「４５０２＿４の通信装置＃４に送信する送信信号１０５−４」の時間的な存在について説明する。
【０６５８】
図５１は、４５０１の通信装置Ａが送信する変調信号のフレーム構成の一例を示しており、横軸時間におけるシンボルの配置の例を示している。図５１において、５１０１−１は、４５０２＿１の通信装置＃１宛のデータシンボル群、または、４５０２＿１の通信装置＃１宛のデータシンボル群の一部を示しており、５１０１−２は、４５０２＿２の通信装置＃２宛のデータシンボル群、または、４５０２＿２の通信装置＃２宛のデータシンボル群の一部を示しており、５１０１−３は、４５０２＿３の通信装置＃３宛のデータシンボル群、または、４５０２＿３の通信装置＃３宛のデータシンボル群の一部を示しており、５１０１−４は、４５０２＿４の通信装置＃４宛のデータシンボル群、または、４５０２＿４の通信装置＃４宛のデータシンボル群の一部を示している。
【０６５９】
「４５０２＿１の通信装置＃１宛のデータシンボル群、または、４５０２＿１の通信装置＃１宛のデータシンボル群の一部」５１０１＿１、「４５０２＿２の通信装置＃２宛のデータシンボル群、または、４５０２＿２の通信装置＃２宛のデータシンボル群の一部」５１０１−２、「４５０２＿３の通信装置＃３宛のデータシンボル群、または、４５０２＿３の通信装置＃３宛のデータシンボル群の一部」５１０１＿３、「通信装置＃４宛のデータシンボル群、または、４５０２＿４の通信装置＃４宛のデータシンボル群の一部」５１０１＿４はいずれも時間区間１に存在することになる。
【０６６０】
なお、図４７のときにおいても、４５０１の通信装置＃Ａは、４５０２＿１の通信装置＃１に送信する送信信号１０５−１が使用するスペクトルとして、図４６の第１の周波数帯のスペクトル４６０１を使用し、４５０２＿２の通信装置＃２に送信する送信信号１０５−２が使用するスペクトルとして、図４６の第２の周波数帯のスペクトル４６０２を使用し、４５０２＿３の通信装置＃３に送信する送信信号１０５−３が使用するスペクトルとして、図４６の第２の周波数帯のスペクトル４６０２を使用し、４５０２＿４の通信装置＃４に送信する送信信号１０５−４が使用するスペクトルとして、図４６の第３の周波数帯のスペクトル４６０３を使用することができる。
【０６６１】
図５０は、図４５の４５０１の通信装置＃Ａ、４５０２＿１の通信装置＃１、４５０２＿２の通信装置＃２、４５０２＿３の通信装置＃３、４５０２＿４の通信装置＃４の図４７、図４８、図４９とは異なる位置関係を示している。したがって、図５０では、図４５で付加した番号を記載している。
【０６６２】
図５０の場合、４５０１の通信装置＃Ａは、４５０２＿１の通信装置＃１に送信する送信信号１０５−１が使用するスペクトルとして、図４６の第１の周波数帯のスペクトル４６０１を使用し、４５０２＿２の通信装置＃２に送信する送信信号１０５−２が使用するスペクトルとして、図４６の第２の周波数帯のスペクトル４６０２を使用し、４５０２＿３の通信装置＃３に送信する送信信号１０５−３が使用するスペクトルとして、図４６の第２の周波数帯のスペクトル４６０２を使用し、４５０２＿４の通信装置＃４に送信する送信信号１０５−４が使用するスペクトルとして、図４６の第１の周波数帯のスペクトル４６０１を使用するものとする。
【０６６３】
このとき、４５０２＿１の通信装置＃１に送信する送信信号１０５−１が使用する周波数帯と４５０２＿２の通信装置＃２に送信する送信信号１０５−２が使用する周波数帯、が異なるのは、４５０１の送信装置＃Ａが、「４５０２＿１の通信装置＃１に送信する送信信号１０５−１が使用する周波数帯と４５０２＿２の通信装置＃２に送信する送信信号１０５−２が使用する周波数帯」を同じようにすると、４５０２＿１の通信装置＃１、４５０２＿２の通信装置＃２はビームの分離が困難のため、干渉が大きく、これにより、データの受信品質が低下するからである。
【０６６４】
同様に、４５０２＿３の通信装置＃３に送信する送信信号１０５−３が使用する周波数帯と４５０２＿４の通信装置＃４に送信する送信信号１０５−４が使用する周波数帯、が異なるのは、４５０１の送信装置＃Ａが、「４５０２＿３の通信装置＃３に送信する送信信号１０５−３が使用する周波数帯と４５０２＿４の通信装置＃４に送信する送信信号１０５−４が使用する周波数帯」を同じようにすると、４５０２＿３の通信装置＃３、４５０２＿４の通信装置＃４はビームの分離が困難のため、干渉が大きく、これにより、データの受信品質が低下するからである。
【０６６５】
上述のようにすることで高いデータの受信品質を確保しながら、周波数利用効率を向上することができるという効果を得ることができる。
【０６６６】
ここで、「４５０２＿１の通信装置＃１に送信する送信信号１０５−１」、「４５０２＿２の通信装置＃２に送信する送信信号１０５−２」、「４５０２＿３の通信装置＃３に送信する送信信号１０５−３」、「４５０２＿４の通信装置＃４に送信する送信信号１０５−４」の時間的な存在について説明する。
【０６６７】
図５１は、４５０１の通信装置Ａが送信する変調信号のフレーム構成の一例を示しており、横軸時間におけるシンボルの配置の例を示している。図５１において、５１０１−１は、４５０２＿１の通信装置＃１宛のデータシンボル群、または、４５０２＿１の通信装置＃１宛のデータシンボル群の一部を示しており、５１０１−２は、４５０２＿２の通信装置＃２宛のデータシンボル群、または、４５０２＿２の通信装置＃２宛のデータシンボル群の一部を示しており、５１０１−３は、４５０２＿３の通信装置＃３宛のデータシンボル群、または、４５０２＿３の通信装置＃３宛のデータシンボル群の一部を示しており、５１０１−４は、４５０２＿４の通信装置＃４宛のデータシンボル群、または、４５０２＿４の通信装置＃４宛のデータシンボル群の一部を示している。
【０６６８】
「４５０２＿１の通信装置＃１宛のデータシンボル群、または、４５０２＿１の通信装置＃１宛のデータシンボル群の一部」５１０１＿１、「４５０２＿２の通信装置＃２宛のデータシンボル群、または、４５０２＿２の通信装置＃２宛のデータシンボル群の一部」５１０１−２、「４５０２＿３の通信装置＃３宛のデータシンボル群、または、４５０２＿３の通信装置＃３宛のデータシンボル群の一部」５１０１＿３、「通信装置＃４宛のデータシンボル群、または、４５０２＿４の通信装置＃４宛のデータシンボル群の一部」５１０１＿４はいずれも時間区間１に存在することになる。
【０６６９】
なお、図４７のときにおいても、４５０１の通信装置＃Ａは、４５０２＿１の通信装置＃１に送信する送信信号１０５−１が使用するスペクトルとして、図４６の第１の周波数帯のスペクトル４６０１を使用し、４５０２＿２の通信装置＃２に送信する送信信号１０５−２が使用するスペクトルとして、図４６の第２の周波数帯のスペクトル４６０２を使用し、４５０２＿３の通信装置＃３に送信する送信信号１０５−３が使用するスペクトルとして、図４６の第２の周波数帯のスペクトル４６０２を使用し、４５０２＿４の通信装置＃４に送信する送信信号１０５−４が使用するスペクトルとして、図４６の第１の周波数帯のスペクトル４６０１を使用することができる。
【０６７０】
また、図５０の場合、４５０１の通信装置＃Ａは、４５０２＿１の通信装置＃１に送信する送信信号１０５−１が使用するスペクトルとして、図４６の第１の周波数帯のスペクトル４６０１を使用し、４５０２＿２の通信装置＃２に送信する送信信号１０５−２が使用するスペクトルとして、図４６の第２の周波数帯のスペクトル４６０２を使用し、４５０２＿３の通信装置＃３に送信する送信信号１０５−３が使用するスペクトルとして、図４６の第２の周波数帯のスペクトル４６０２を使用し、４５０２＿４の通信装置＃４に送信する送信信号１０５−４が使用するスペクトルとして、図４６の第３の周波数帯のスペクトル４６０３を使用するものとしても、高いデータの受信品質を確保しながら、周波数利用効率を向上することができるという効果を得ることができる。
【０６７１】
さらに、図５０の場合、４５０１の通信装置＃Ａは、４５０２＿１の通信装置＃１に送信する送信信号１０５−１が使用するスペクトルとして、図４６の第１の周波数帯のスペクトル４６０１を使用し、４５０２＿２の通信装置＃２に送信する送信信号１０５−２が使用するスペクトルとして、図４６の第２の周波数帯のスペクトル４６０２を使用し、４５０２＿３の通信装置＃３に送信する送信信号１０５−３が使用するスペクトルとして、図４６の第１の周波数帯のスペクトル４６０１を使用し、４５０２＿４の通信装置＃４に送信する送信信号１０５−４が使用するスペクトルとして、図４６の第３の周波数帯のスペクトル４６０３を使用するものとしても、高いデータの受信品質を確保しながら、周波数利用効率を向上することができるという効果を得ることができる。
【０６７２】
なお、４５０２＿１の通信装置＃１、４５０２＿２の通信装置＃２、４５０２＿３の通信装置＃３、４５０２＿４の通信装置＃４は、例えば、図４の構成を具備しており、所望の信号を受信し、図４の受信部分を動作させることで、所望のデータを得ることになる。
【０６７３】
以上のように、同一のデータを複数の通信装置に送信する際、
・複数ビームおよび複数周波数帯を使用する
・複数ビームおよび特定の周波数帯を使用する
・特定ビームと複数周波数帯を使用する
のいずれかの方法を採ることで、高いデータの受信品質を得るとともに、高い周波数利用効率を得ることができるという効果が得られる。
【０６７４】
次に、４５０１の通信装置＃Ａが、例えば、図３の構成を具備するものとし、４５０２＿１の通信装置＃１、４５０２＿２の通信装置＃２、４５０２＿３の通信装置＃３、４５０２＿４の通信装置＃４は、例えば、図４の構成を具備する場合について説明する。
【０６７５】
４５０１の通信装置＃Ａが具備する信号処理部１０２は、第１のデータを含む情報１０１−１、制御信号１５９を入力とし、制御信号１５９に含まれる、「誤り訂正符号化の方法（符号化率、符号長（ブロック長））に関する情報」「変調方式に関する情報」、「送信方法（多重化方法）」、などの情報に基づき、信号処理を行うことになる。
【０６７６】
このとき、信号処理部１０２は、第１のデータを含む情報１０１−１から、４５０２＿１の通信装置＃１に送信するための信号処理後の信号、４５０２＿２の通信装置＃２に送信するための信号処理後の信号、４５０２＿３の通信装置＃３に送信するための信号処理後の信号、４５０２＿４の通信装置＃４に送信するための信号処理後の信号を生成する。例として、４５０２＿１の通信装置＃１に送信するための信号処理後の信号を１０３−１とし、４５０２＿２の通信装置＃２に送信するための信号処理後の信号を１０３−２とし、４５０２＿３の通信装置＃３に送信するための信号処理後の信号を１０３−３とし、４５０２＿４の通信装置＃４に送信するための信号処理後の信号を１０３−４とする。
【０６７７】
そして、無線部１０４−１は、４５０２＿１の通信装置＃１に送信するための信号処理後の信号１０３−１を入力とし、送信信号１０５−１を出力する。同様に、無線部１０４−２は、４５０２＿２の通信装置＃２に送信するための信号処理後の信号１０３−２を入力とし、送信信号１０５−２を出力する。そして、無線部１０４−３は、４５０２＿３の通信装置＃３に送信するための信号処理後の信号１０３−３を入力とし、送信信号１０５−３を出力する。また、無線部１０４−４は、４５０２＿４の通信装置＃４に送信するための信号処理後の信号１０３−４を入力とし、送信信号１０５−４を出力する。
【０６７８】
重み付け合成部３０１は、少なくとも送信信号１０５−１、送信信号１０５−２、送信信号１０５−３、送信信号１０５−４を入力とし、重み付け合成の演算を行い、重み付け合成後の信号３０２−１、３０２−２、・・・、３０２−Ｋを出力し、重み付け合成後の信号３０２−１、３０２−２、・・・、３０２−Ｋは、アンテナ３０３−１、３０３−２、・・・、３０３−Ｋからそれぞれ電波として出力される。したがって、送信信号１０５−１は、アンテナ３０３−１、３０３−２、・・・、３０３−Ｋの１つ以上のアンテナを用いて送信されることになる。同様に、送信信号１０５−２は、アンテナ３０３−１、３０３−２、・・・、３０３−Ｋの１つ以上のアンテナを用いて送信され、送信信号１０５−３は、アンテナ３０３−１、３０３−２、・・・、３０３−Ｋの１つ以上のアンテナを用いて送信され、送信信号１０５−４は、アンテナ３０３−１、３０３−２、・・・、３０３−Ｋの１つ以上のアンテナを用いて送信されることになる。
【０６７９】
なお、アンテナ３０３−１、３０３−２、・・・、３０３−Ｋそれぞれは、図２の構成であってもよい。
【０６８０】
このとき、送信信号１０５−１、１０５−２、１０５−３、１０５−４の周波数の設定方法について、図４６を用いて説明する。
【０６８１】
図４６において、横軸を周波数とし、縦軸をパワーとする。送信信号１０５−１、１０５−２、１０５−３、１０５−４は、第１の周波数帯（第１のチャネル）にスペクトル４６０１をもつスペクトル、第２の周波数帯（第２のチャネル）にスペクトル４６０２をもつスペクトル、第３の周波数帯（第３のチャネル）にスペクトル４６０３をもつスペクトルのいずれかの信号となる。
【０６８２】
具体的な例について、図４７、図４８、図４９、図５０を用いて説明する。
【０６８３】
図４７は、図４５の４５０１の通信装置＃Ａ、４５０２＿１の通信装置＃１、４５０２＿２の通信装置＃２、４５０２＿３の通信装置＃３、４５０２＿４の通信装置＃４の位置関係を示している。したがって、図４７では、図４５で付加した番号を記載している。
【０６８４】
図４７の場合、４５０１の通信装置＃Ａは、４５０２＿１の通信装置＃１に送信する送信信号１０５−１が使用するスペクトルとして、図４６の第１の周波数帯のスペクトル４６０１を使用し、４５０２＿２の通信装置＃２に送信する送信信号１０５−２が使用するスペクトルとして、図４６の第１の周波数帯のスペクトル４６０１を使用し、４５０２＿３の通信装置＃３に送信する送信信号１０５−３が使用するスペクトルとして、図４６の第１の周波数帯のスペクトル４６０１を使用し、４５０２＿４の通信装置＃４に送信する送信信号１０５−４が使用するスペクトルとして、図４６の第１の周波数帯のスペクトル４６０１を使用することができる。このように、「４５０２＿１の通信装置＃１に送信する送信信号が使用する周波数帯」、「４５０２＿２の通信装置＃２に送信する送信信号が使用する周波数帯」、「４５０２＿３の通信装置＃３に送信する送信信号が使用する周波数帯」、「４５０２＿４の通信装置＃４に送信する送信信号が使用する周波数帯」を同じに設定できることになる。このようにすることで、周波数利用効率を向上することができるという効果を得ることができる。
【０６８５】
ここで、「４５０２＿１の通信装置＃１に送信する送信信号１０５−１」、「４５０２＿２の通信装置＃２に送信する送信信号１０５−２」、「４５０２＿３の通信装置＃３に送信する送信信号１０５−３」、「４５０２＿４の通信装置＃４に送信する送信信号１０５−４」の時間的な存在について説明する。
【０６８６】
図５１は、４５０１の通信装置Ａが送信する変調信号のフレーム構成の一例を示しており、横軸時間におけるシンボルの配置の例を示している。図５１において、５１０１−１は、４５０２＿１の通信装置＃１宛のデータシンボル群、または、４５０２＿１の通信装置＃１宛のデータシンボル群の一部を示しており、５１０１−２は、４５０２＿２の通信装置＃２宛のデータシンボル群、または、４５０２＿２の通信装置＃２宛のデータシンボル群の一部を示しており、５１０１−３は、４５０２＿３の通信装置＃３宛のデータシンボル群、または、４５０２＿３の通信装置＃３宛のデータシンボル群の一部を示しており、５１０１−４は、４５０２＿４の通信装置＃４宛のデータシンボル群、または、４５０２＿４の通信装置＃４宛のデータシンボル群の一部を示している。
【０６８７】
「４５０２＿１の通信装置＃１宛のデータシンボル群、または、４５０２＿１の通信装置＃１宛のデータシンボル群の一部」５１０１＿１、「４５０２＿２の通信装置＃２宛のデータシンボル群、または、４５０２＿２の通信装置＃２宛のデータシンボル群の一部」５１０１−２、「４５０２＿３の通信装置＃３宛のデータシンボル群、または、４５０２＿３の通信装置＃３宛のデータシンボル群の一部」５１０１＿３、「通信装置＃４宛のデータシンボル群、または、４５０２＿４の通信装置＃４宛のデータシンボル群の一部」５１０１＿４はいずれも時間区間１に存在することになる。
【０６８８】
図４８は、図４５の４５０１の通信装置＃Ａ、４５０２＿１の通信装置＃１、４５０２＿２の通信装置＃２、４５０２＿３の通信装置＃３、４５０２＿４の通信装置＃４の図４７とは異なる位置関係を示している。したがって、図４８では、図４５で付加した番号を記載している。
【０６８９】
図４８の場合、４５０１の通信装置＃Ａは、４５０２＿１の通信装置＃１に送信する送信信号１０５−１が使用するスペクトルとして、図４６の第１の周波数帯のスペクトル４６０１を使用し、４５０２＿２の通信装置＃２に送信する送信信号１０５−２が使用するスペクトルとして、図４６の第１の周波数帯のスペクトル４６０１を使用し、４５０２＿３の通信装置＃３に送信する送信信号１０５−３が使用するスペクトルとして、図４６の第１の周波数帯のスペクトル４６０１を使用し、４５０２＿４の通信装置＃４に送信する送信信号１０５−４が使用するスペクトルとして、図４６の第２の周波数帯のスペクトル４６０２を使用するものとする。このとき、４５０２＿３の通信装置＃３に送信する送信信号１０５−３が使用する周波数帯と４５０２＿４の通信装置＃４に送信する送信信号１０５−４が使用する周波数帯が異なるのは、４５０１の送信装置＃Ａが、「４５０２＿３の通信装置＃３に送信する送信信号１０５−３が使用する周波数帯と４５０２＿４の通信装置＃４に送信する送信信号１０５−４が使用する周波数帯」を同じようにすると、４５０２＿３の通信装置＃３、４５０２＿４の通信装置＃４はビームの分離が困難のため、干渉が大きく、これにより、データの受信品質が低下するからである。
【０６９０】
上述のようにすることで高いデータの受信品質を確保しながら、周波数利用効率を向上することができるという効果を得ることができる。
【０６９１】
ここで、「４５０２＿１の通信装置＃１に送信する送信信号１０５−１」、「４５０２＿２の通信装置＃２に送信する送信信号１０５−２」、「４５０２＿３の通信装置＃３に送信する送信信号１０５−３」、「４５０２＿４の通信装置＃４に送信する送信信号１０５−４」の時間的な存在について説明する。
【０６９２】
図５１は、４５０１の通信装置Ａが送信する変調信号のフレーム構成の一例を示しており、横軸時間におけるシンボルの配置の例を示している。図５１において、５１０１−１は、４５０２＿１の通信装置＃１宛のデータシンボル群、または、４５０２＿１の通信装置＃１宛のデータシンボル群の一部を示しており、５１０１−２は、４５０２＿２の通信装置＃２宛のデータシンボル群、または、４５０２＿２の通信装置＃２宛のデータシンボル群の一部を示しており、５１０１−３は、４５０２＿３の通信装置＃３宛のデータシンボル群、または、４５０２＿３の通信装置＃３宛のデータシンボル群の一部を示しており、５１０１−４は、４５０２＿４の通信装置＃４宛のデータシンボル群、または、４５０２＿４の通信装置＃４宛のデータシンボル群の一部を示している。
【０６９３】
「４５０２＿１の通信装置＃１宛のデータシンボル群、または、４５０２＿１の通信装置＃１宛のデータシンボル群の一部」５１０１＿１、「４５０２＿２の通信装置＃２宛のデータシンボル群、または、４５０２＿２の通信装置＃２宛のデータシンボル群の一部」５１０１−２、「４５０２＿３の通信装置＃３宛のデータシンボル群、または、４５０２＿３の通信装置＃３宛のデータシンボル群の一部」５１０１＿３、「通信装置＃４宛のデータシンボル群、または、４５０２＿４の通信装置＃４宛のデータシンボル群の一部」５１０１＿４はいずれも時間区間１に存在することになる。
【０６９４】
なお、図４７のときにおいても、４５０１の通信装置＃Ａは、４５０２＿１の通信装置＃１に送信する送信信号１０５−１が使用するスペクトルとして、図４６の第１の周波数帯のスペクトル４６０１を使用し、４５０２＿２の通信装置＃２に送信する送信信号１０５−２が使用するスペクトルとして、図４６の第１の周波数帯のスペクトル４６０１を使用し、４５０２＿３の通信装置＃３に送信する送信信号１０５−３が使用するスペクトルとして、図４６の第１の周波数帯のスペクトル４６０１を使用し、４５０２＿４の通信装置＃４に送信する送信信号１０５−４が使用するスペクトルとして、図４６の第２の周波数帯のスペクトル４６０２を使用することができる。
【０６９５】
図４９は、図４５の４５０１の通信装置＃Ａ、４５０２＿１の通信装置＃１、４５０２＿２の通信装置＃２、４５０２＿３の通信装置＃３、４５０２＿４の通信装置＃４の図４７、図４８とは異なる位置関係を示している。したがって、図４９では、図４５で付加した番号を記載している。
【０６９６】
図４９の場合、４５０１の通信装置＃Ａは、４５０２＿１の通信装置＃１に送信する送信信号１０５−１が使用するスペクトルとして、図４６の第１の周波数帯のスペクトル４６０１を使用し、４５０２＿２の通信装置＃２に送信する送信信号１０５−２が使用するスペクトルとして、図４６の第２の周波数帯のスペクトル４６０２を使用し、４５０２＿３の通信装置＃３に送信する送信信号１０５−３が使用するスペクトルとして、図４６の第２の周波数帯のスペクトル４６０２を使用し、４５０２＿４の通信装置＃４に送信する送信信号１０５−４が使用するスペクトルとして、図４６の第３の周波数帯のスペクトル４６０３を使用するものとする。このとき、４５０２＿１の通信装置＃１に送信する送信信号１０５−１が使用する周波数帯、４５０２＿３の通信装置＃３に送信する送信信号１０５−３が使用する周波数帯、４５０２＿４の通信装置＃４に送信する送信信号１０５−４が使用する周波数帯が異なるのは、４５０１の送信装置＃Ａが、「４５０２＿１の通信装置＃１に送信する送信信号１０５−１が使用する周波数帯、４５０２＿３の通信装置＃３に送信する送信信号１０５−３が使用する周波数帯と４５０２＿４の通信装置＃４に送信する送信信号１０５−４が使用する周波数帯」を同じようにすると、４５０２＿１の通信装置＃１、４５０２＿３の通信装置＃３、４５０２＿４の通信装置＃４はビームの分離が困難のため、干渉が大きく、これにより、データの受信品質が低下するからである。
【０６９７】
上述のようにすることで高いデータの受信品質を確保しながら、周波数利用効率を向上することができるという効果を得ることができる。
【０６９８】
ここで、「４５０２＿１の通信装置＃１に送信する送信信号１０５−１」、「４５０２＿２の通信装置＃２に送信する送信信号１０５−２」、「４５０２＿３の通信装置＃３に送信する送信信号１０５−３」、「４５０２＿４の通信装置＃４に送信する送信信号１０５−４」の時間的な存在について説明する。
【０６９９】
図５１は、４５０１の通信装置Ａが送信する変調信号のフレーム構成の一例を示しており、横軸時間におけるシンボルの配置の例を示している。図５１において、５１０１−１は、４５０２＿１の通信装置＃１宛のデータシンボル群、または、４５０２＿１の通信装置＃１宛のデータシンボル群の一部を示しており、５１０１−２は、４５０２＿２の通信装置＃２宛のデータシンボル群、または、４５０２＿２の通信装置＃２宛のデータシンボル群の一部を示しており、５１０１−３は、４５０２＿３の通信装置＃３宛のデータシンボル群、または、４５０２＿３の通信装置＃３宛のデータシンボル群の一部を示しており、５１０１−４は、４５０２＿４の通信装置＃４宛のデータシンボル群、または、４５０２＿４の通信装置＃４宛のデータシンボル群の一部を示している。
【０７００】
「４５０２＿１の通信装置＃１宛のデータシンボル群、または、４５０２＿１の通信装置＃１宛のデータシンボル群の一部」５１０１＿１、「４５０２＿２の通信装置＃２宛のデータシンボル群、または、４５０２＿２の通信装置＃２宛のデータシンボル群の一部」５１０１−２、「４５０２＿３の通信装置＃３宛のデータシンボル群、または、４５０２＿３の通信装置＃３宛のデータシンボル群の一部」５１０１＿３、「通信装置＃４宛のデータシンボル群、または、４５０２＿４の通信装置＃４宛のデータシンボル群の一部」５１０１＿４はいずれも時間区間１に存在することになる。
【０７０１】
なお、図４７のときにおいても、４５０１の通信装置＃Ａは、４５０２＿１の通信装置＃１に送信する送信信号１０５−１が使用するスペクトルとして、図４６の第１の周波数帯のスペクトル４６０１を使用し、４５０２＿２の通信装置＃２に送信する送信信号１０５−２が使用するスペクトルとして、図４６の第２の周波数帯のスペクトル４６０２を使用し、４５０２＿３の通信装置＃３に送信する送信信号１０５−３が使用するスペクトルとして、図４６の第２の周波数帯のスペクトル４６０２を使用し、４５０２＿４の通信装置＃４に送信する送信信号１０５−４が使用するスペクトルとして、図４６の第３の周波数帯のスペクトル４６０３を使用することができる。
【０７０２】
図５０は、図４５の４５０１の通信装置＃Ａ、４５０２＿１の通信装置＃１、４５０２＿２の通信装置＃２、４５０２＿３の通信装置＃３、４５０２＿４の通信装置＃４の図４７、図４８、図４９とは異なる位置関係を示している。したがって、図５０では、図４５で付加した番号を記載している。
【０７０３】
図５０の場合、４５０１の通信装置＃Ａは、４５０２＿１の通信装置＃１に送信する送信信号１０５−１が使用するスペクトルとして、図４６の第１の周波数帯のスペクトル４６０１を使用し、４５０２＿２の通信装置＃２に送信する送信信号１０５−２が使用するスペクトルとして、図４６の第２の周波数帯のスペクトル４６０２を使用し、４５０２＿３の通信装置＃３に送信する送信信号１０５−３が使用するスペクトルとして、図４６の第２の周波数帯のスペクトル４６０２を使用し、４５０２＿４の通信装置＃４に送信する送信信号１０５−４が使用するスペクトルとして、図４６の第１の周波数帯のスペクトル４６０１を使用するものとする。
【０７０４】
このとき、４５０２＿１の通信装置＃１に送信する送信信号１０５−１が使用する周波数帯と４５０２＿２の通信装置＃２に送信する送信信号１０５−２が使用する周波数帯、が異なるのは、４５０１の送信装置＃Ａが、「４５０２＿１の通信装置＃１に送信する送信信号１０５−１が使用する周波数帯と４５０２＿２の通信装置＃２に送信する送信信号１０５−２が使用する周波数帯」を同じようにすると、４５０２＿１の通信装置＃１、４５０２＿２の通信装置＃２はビームの分離が困難のため、干渉が大きく、これにより、データの受信品質が低下するからである。
【０７０５】
同様に、４５０２＿３の通信装置＃３に送信する送信信号１０５−３が使用する周波数帯と４５０２＿４の通信装置＃４に送信する送信信号１０５−４が使用する周波数帯、が異なるのは、４５０１の送信装置＃Ａが、「４５０２＿３の通信装置＃３に送信する送信信号１０５−３が使用する周波数帯と４５０２＿４の通信装置＃４に送信する送信信号１０５−４が使用する周波数帯」を同じようにすると、４５０２＿３の通信装置＃３、４５０２＿４の通信装置＃４はビームの分離が困難のため、干渉が大きく、これにより、データの受信品質が低下するからである。
【０７０６】
上述のようにすることで高いデータの受信品質を確保しながら、周波数利用効率を向上することができるという効果を得ることができる。
【０７０７】
ここで、「４５０２＿１の通信装置＃１に送信する送信信号１０５−１」、「４５０２＿２の通信装置＃２に送信する送信信号１０５−２」、「４５０２＿３の通信装置＃３に送信する送信信号１０５−３」、「４５０２＿４の通信装置＃４に送信する送信信号１０５−４」の時間的な存在について説明する。
【０７０８】
図５１は、４５０１の通信装置Ａが送信する変調信号のフレーム構成の一例を示しており、横軸時間におけるシンボルの配置の例を示している。図５１において、５１０１−１は、４５０２＿１の通信装置＃１宛のデータシンボル群、または、４５０２＿１の通信装置＃１宛のデータシンボル群の一部を示しており、５１０１−２は、４５０２＿２の通信装置＃２宛のデータシンボル群、または、４５０２＿２の通信装置＃２宛のデータシンボル群の一部を示しており、５１０１−３は、４５０２＿３の通信装置＃３宛のデータシンボル群、または、４５０２＿３の通信装置＃３宛のデータシンボル群の一部を示しており、５１０１−４は、４５０２＿４の通信装置＃４宛のデータシンボル群、または、４５０２＿４の通信装置＃４宛のデータシンボル群の一部を示している。
【０７０９】
「４５０２＿１の通信装置＃１宛のデータシンボル群、または、４５０２＿１の通信装置＃１宛のデータシンボル群の一部」５１０１＿１、「４５０２＿２の通信装置＃２宛のデータシンボル群、または、４５０２＿２の通信装置＃２宛のデータシンボル群の一部」５１０１−２、「４５０２＿３の通信装置＃３宛のデータシンボル群、または、４５０２＿３の通信装置＃３宛のデータシンボル群の一部」５１０１＿３、「通信装置＃４宛のデータシンボル群、または、４５０２＿４の通信装置＃４宛のデータシンボル群の一部」５１０１＿４はいずれも時間区間１に存在することになる。
【０７１０】
なお、図４７のときにおいても、４５０１の通信装置＃Ａは、４５０２＿１の通信装置＃１に送信する送信信号１０５−１が使用するスペクトルとして、図４６の第１の周波数帯のスペクトル４６０１を使用し、４５０２＿２の通信装置＃２に送信する送信信号１０５−２が使用するスペクトルとして、図４６の第２の周波数帯のスペクトル４６０２を使用し、４５０２＿３の通信装置＃３に送信する送信信号１０５−３が使用するスペクトルとして、図４６の第２の周波数帯のスペクトル４６０２を使用し、４５０２＿４の通信装置＃４に送信する送信信号１０５−４が使用するスペクトルとして、図４６の第１の周波数帯のスペクトル４６０１を使用することができる。
【０７１１】
また、図５０の場合、４５０１の通信装置＃Ａは、４５０２＿１の通信装置＃１に送信する送信信号１０５−１が使用するスペクトルとして、図４６の第１の周波数帯のスペクトル４６０１を使用し、４５０２＿２の通信装置＃２に送信する送信信号１０５−２が使用するスペクトルとして、図４６の第２の周波数帯のスペクトル４６０２を使用し、４５０２＿３の通信装置＃３に送信する送信信号１０５−３が使用するスペクトルとして、図４６の第２の周波数帯のスペクトル４６０２を使用し、４５０２＿４の通信装置＃４に送信する送信信号１０５−４が使用するスペクトルとして、図４６の第３の周波数帯のスペクトル４６０３を使用するものとしても、高いデータの受信品質を確保しながら、周波数利用効率を向上することができるという効果を得ることができる。
【０７１２】
さらに、図５０の場合、４５０１の通信装置＃Ａは、４５０２＿１の通信装置＃１に送信する送信信号１０５−１が使用するスペクトルとして、図４６の第１の周波数帯のスペクトル４６０１を使用し、４５０２＿２の通信装置＃２に送信する送信信号１０５−２が使用するスペクトルとして、図４６の第２の周波数帯のスペクトル４６０２を使用し、４５０２＿３の通信装置＃３に送信する送信信号１０５−３が使用するスペクトルとして、図４６の第１の周波数帯のスペクトル４６０１を使用し、４５０２＿４の通信装置＃４に送信する送信信号１０５−４が使用するスペクトルとして、図４６の第３の周波数帯のスペクトル４６０３を使用するものとしても、高いデータの受信品質を確保しながら、周波数利用効率を向上することができるという効果を得ることができる。
【０７１３】
なお、４５０２＿１の通信装置＃１、４５０２＿２の通信装置＃２、４５０２＿３の通信装置＃３、４５０２＿４の通信装置＃４は、例えば、図４の構成を具備しており、所望の信号を受信し、図４の受信部分を動作させることで、所望のデータを得ることになる。
【０７１４】
次に、４５０１の通信装置＃Ａが、例えば、図４４の構成を具備するものとし、４５０２＿１の通信装置＃１、４５０２＿２の通信装置＃２、４５０２＿３の通信装置＃３、４５０２＿４の通信装置＃４は、例えば、図４の構成を具備する場合について説明する。
【０７１５】
４５０１の通信装置＃Ａが具備する信号処理部１０２は、第１のデータを含む情報１０１−１、制御信号１５９を入力とし、制御信号１５９に含まれる、「誤り訂正符号化の方法（符号化率、符号長（ブロック長））に関する情報」「変調方式に関する情報」、「送信方法（多重化方法）」、などの情報に基づき、信号処理を行うことになる。
【０７１６】
このとき、信号処理部１０２は、第１のデータを含む情報１０１−１から、４５０２＿１の通信装置＃１に送信するための信号処理後の信号、４５０２＿２の通信装置＃２に送信するための信号処理後の信号、４５０２＿３の通信装置＃３に送信するための信号処理後の信号、４５０２＿４の通信装置＃４に送信するための信号処理後の信号を生成する。例として、４５０２＿１の通信装置＃１に送信するための信号処理後の信号を１０３−１とし、４５０２＿２の通信装置＃２に送信するための信号処理後の信号を１０３−２とし、４５０２＿３の通信装置＃３に送信するための信号処理後の信号を１０３−３とし、４５０２＿４の通信装置＃４に送信するための信号処理後の信号を１０３−４とする。
【０７１７】
重み付け合成部３０１は、少なくとも信号処理後の信号を１０３−１、信号処理後の信号１０３−２、信号処理後の信号１０３−３、信号処理後の信号１０３−４を入力とし、重み付け合成の演算を行い、重み付け合成後の信号４４０２−１、４４０２−２、・・・、４４０２−Ｋを出力する。したがって、信号処理後の信号１０３−１は、アンテナ３０３−１、３０３−２、・・・、３０３−Ｋの１つ以上のアンテナを用いて送信されることになる。同様に、信号処理後の信号１０３−２は、アンテナ３０３−１、３０３−２、・・・、３０３−Ｋの１つ以上のアンテナを用いて送信され、信号処理後の信号１０３−３は、アンテナ３０３−１、３０３−２、・・・、３０３−Ｋの１つ以上のアンテナを用いて送信され、信号処理後の信号１０３−４は、アンテナ３０３−１、３０３−２、・・・、３０３−Ｋの１つ以上のアンテナを用いて送信されることになる。
【０７１８】
なお、アンテナ３０３−１、３０３−２、・・・、３０３−Ｋそれぞれは、図２の構成であってもよい。
【０７１９】
このとき、信号処理後の信号１０３−１、１０３−２、１０３−３、１０３−４の周波数の設定方法について、図４６を用いて説明する。
【０７２０】
図４６において、横軸を周波数とし、縦軸をパワーとする。信号処理後の信号１０３−１、１０３−２、１０３−３、１０３−４は、周波数変換後、第１の周波数帯（第１のチャネル）にスペクトル４６０１をもつスペクトル、第２の周波数帯（第２のチャネル）にスペクトル４６０２をもつスペクトル、第３の周波数帯（第３のチャネル）にスペクトル４６０３をもつスペクトルのいずれかの信号となる。
【０７２１】
なお、例えば、図１、図３の送信装置により、第１の周波数帯４６０１の変調信号、第２の周波数帯４６０２の変調信号、第３の周波数帯４６０３の変調信号を生成することになる場合、図１のアンテナ部、図３、図４４の重み付け合成部において、第１の周波数帯４６０１の変調信号の指向性と第２の周波数帯４６０２の変調信号の指向性が異なるように、設定してもよい。同様に、図１のアンテナ部、図３、図４４の重み付け合成部において、第１の周波数帯４６０１の変調信号の指向性と第３の周波数帯４６０３の変調信号の指向性が異なるように、設定してもよい。また、図１のアンテナ部、図３、図４４の重み付け合成部において、第２の周波数帯４６０２の変調信号の指向性と第３の周波数帯４６０３の変調信号の指向性が異なるように、設定してもよい。
【０７２２】
具体的な例について、図４７、図４８、図４９、図５０を用いて説明する。
【０７２３】
図４７は、図４５の４５０１の通信装置＃Ａ、４５０２＿１の通信装置＃１、４５０２＿２の通信装置＃２、４５０２＿３の通信装置＃３、４５０２＿４の通信装置＃４の位置関係を示している。したがって、図４７では、図４５で付加した番号を記載している。
【０７２４】
図４７の場合、４５０１の通信装置＃Ａは、４５０２＿１の通信装置＃１に送信する信号処理後の信号１０３−１が周波数変換後に使用するスペクトルとして、図４６の第１の周波数帯のスペクトル４６０１を使用し、４５０２＿２の通信装置＃２に送信する信号処理後の信号１０３−２が周波数変換後に使用するスペクトルとして、図４６の第１の周波数帯のスペクトル４６０１を使用し、４５０２＿３の通信装置＃３に送信する信号処理後の信号１０３−３が周波数変換後に使用するスペクトルとして、図４６の第１の周波数帯のスペクトル４６０１を使用し、４５０２＿４の通信装置＃４に送信する信号処理後の信号１０３−４が周波数変換後に使用するスペクトルとして、図４６の第１の周波数帯のスペクトル４６０１を使用することができる。このように、「４５０２＿１の通信装置＃１に送信する送信信号が使用する周波数帯」、「４５０２＿２の通信装置＃２に送信する送信信号が使用する周波数帯」、「４５０２＿３の通信装置＃３に送信する送信信号が使用する周波数帯」、「４５０２＿４の通信装置＃４に送信する送信信号が使用する周波数帯」を同じに設定できることになる。このようにすることで、周波数利用効率を向上することができるという効果を得ることができる。
【０７２５】
ここで、「４５０２＿１の通信装置＃１に送信する信号処理後の信号１０３−１」、「４５０２＿２の通信装置＃２に送信する信号処理後の信号１０３−２」、「４５０２＿３の通信装置＃３に送信する信号処理後の信号１０３−３」、「４５０２＿４の通信装置＃４に送信する信号処理後の信号１０３−４」の時間的な存在について説明する。
【０７２６】
図５１は、４５０１の通信装置Ａが送信する変調信号のフレーム構成の一例を示しており、横軸時間におけるシンボルの配置の例を示している。図５１において、５１０１−１は、４５０２＿１の通信装置＃１宛のデータシンボル群、または、４５０２＿１の通信装置＃１宛のデータシンボル群の一部を示しており、５１０１−２は、４５０２＿２の通信装置＃２宛のデータシンボル群、または、４５０２＿２の通信装置＃２宛のデータシンボル群の一部を示しており、５１０１−３は、４５０２＿３の通信装置＃３宛のデータシンボル群、または、４５０２＿３の通信装置＃３宛のデータシンボル群の一部を示しており、５１０１−４は、４５０２＿４の通信装置＃４宛のデータシンボル群、または、４５０２＿４の通信装置＃４宛のデータシンボル群の一部を示している。
【０７２７】
「４５０２＿１の通信装置＃１宛のデータシンボル群、または、４５０２＿１の通信装置＃１宛のデータシンボル群の一部」５１０１＿１、「４５０２＿２の通信装置＃２宛のデータシンボル群、または、４５０２＿２の通信装置＃２宛のデータシンボル群の一部」５１０１−２、「４５０２＿３の通信装置＃３宛のデータシンボル群、または、４５０２＿３の通信装置＃３宛のデータシンボル群の一部」５１０１＿３、「通信装置＃４宛のデータシンボル群、または、４５０２＿４の通信装置＃４宛のデータシンボル群の一部」５１０１＿４はいずれも時間区間１に存在することになる。
【０７２８】
図４８は、図４５の４５０１の通信装置＃Ａ、４５０２＿１の通信装置＃１、４５０２＿２の通信装置＃２、４５０２＿３の通信装置＃３、４５０２＿４の通信装置＃４の図４７とは異なる位置関係を示している。したがって、図４８では、図４５で付加した番号を記載している。
【０７２９】
図４８の場合、４５０１の通信装置＃Ａは、４５０２＿１の通信装置＃１に送信する信号処理後の信号１０３−１が周波数変換後に使用するスペクトルとして、図４６の第１の周波数帯のスペクトル４６０１を使用し、４５０２＿２の通信装置＃２に送信する信号処理後の信号１０３−２が周波数変換後に使用するスペクトルとして、図４６の第１の周波数帯のスペクトル４６０１を使用し、４５０２＿３の通信装置＃３に送信する信号処理後の信号１０３−３が周波数変換後に使用するスペクトルとして、図４６の第１の周波数帯のスペクトル４６０１を使用し、４５０２＿４の通信装置＃４に送信する信号処理後の信号１０３−４が周波数変換後に使用するスペクトルとして、図４６の第２の周波数帯のスペクトル４６０２を使用するものとする。このとき、４５０２＿３の通信装置＃３に送信する信号処理後の信号１０３−３が周波数変換後に使用する周波数帯と４５０２＿４の通信装置＃４に送信する信号処理後の信号１０３−４が周波数変換後に使用する周波数帯が異なるのは、４５０１の送信装置＃Ａが、「４５０２＿３の通信装置＃３に送信する信号処理後の信号１０３−３が周波数変換後に使用する周波数帯と４５０２＿４の通信装置＃４に送信する信号処理後の信号１０３−４が周波数変換後に使用する周波数帯」を同じようにすると、４５０２＿３の通信装置＃３、４５０２＿４の通信装置＃４はビームの分離が困難のため、干渉が大きく、これにより、データの受信品質が低下するからである。
【０７３０】
上述のようにすることで高いデータの受信品質を確保しながら、周波数利用効率を向上することができるという効果を得ることができる。
【０７３１】
ここで、「４５０２＿１の通信装置＃１に送信する信号処理後の信号１０３−１」、「４５０２＿２の通信装置＃２に送信する信号処理後の信号１０３−２」、「４５０２＿３の通信装置＃３に送信する信号処理後の信号１０３−３」、「４５０２＿４の通信装置＃４に送信する信号処理後の信号１０３−４」の時間的な存在について説明する。
【０７３２】
図５１は、４５０１の通信装置Ａが送信する変調信号のフレーム構成の一例を示しており、横軸時間におけるシンボルの配置の例を示している。図５１において、５１０１−１は、４５０２＿１の通信装置＃１宛のデータシンボル群、または、４５０２＿１の通信装置＃１宛のデータシンボル群の一部を示しており、５１０１−２は、４５０２＿２の通信装置＃２宛のデータシンボル群、または、４５０２＿２の通信装置＃２宛のデータシンボル群の一部を示しており、５１０１−３は、４５０２＿３の通信装置＃３宛のデータシンボル群、または、４５０２＿３の通信装置＃３宛のデータシンボル群の一部を示しており、５１０１−４は、４５０２＿４の通信装置＃４宛のデータシンボル群、または、４５０２＿４の通信装置＃４宛のデータシンボル群の一部を示している。
【０７３３】
「４５０２＿１の通信装置＃１宛のデータシンボル群、または、４５０２＿１の通信装置＃１宛のデータシンボル群の一部」５１０１＿１、「４５０２＿２の通信装置＃２宛のデータシンボル群、または、４５０２＿２の通信装置＃２宛のデータシンボル群の一部」５１０１−２、「４５０２＿３の通信装置＃３宛のデータシンボル群、または、４５０２＿３の通信装置＃３宛のデータシンボル群の一部」５１０１＿３、「通信装置＃４宛のデータシンボル群、または、４５０２＿４の通信装置＃４宛のデータシンボル群の一部」５１０１＿４はいずれも時間区間１に存在することになる。
【０７３４】
なお、図４７のときにおいても、４５０１の通信装置＃Ａは、４５０２＿１の通信装置＃１に送信する信号処理後の信号１０３−１が周波数変換後に使用するスペクトルとして、図４６の第１の周波数帯のスペクトル４６０１を使用し、４５０２＿２の通信装置＃２に送信する信号処理後の信号１０３−２が周波数変換後に使用するスペクトルとして、図４６の第１の周波数帯のスペクトル４６０１を使用し、４５０２＿３の通信装置＃３に送信する信号処理後の信号１０３−３が周波数変換後に使用するスペクトルとして、図４６の第１の周波数帯のスペクトル４６０１を使用し、４５０２＿４の通信装置＃４に送信する信号処理後の信号１０３−４が周波数変換後に使用するスペクトルとして、図４６の第２の周波数帯のスペクトル４６０２を使用することができる。
【０７３５】
図４９は、図４５の４５０１の通信装置＃Ａ、４５０２＿１の通信装置＃１、４５０２＿２の通信装置＃２、４５０２＿３の通信装置＃３、４５０２＿４の通信装置＃４の図４７、図４８とは異なる位置関係を示している。したがって、図４９では、図４５で付加した番号を記載している。
【０７３６】
図４９の場合、４５０１の通信装置＃Ａは、４５０２＿１の通信装置＃１に送信する信号処理後の信号１０３−１が周波数変換後にスペクトルとして、図４６の第１の周波数帯のスペクトル４６０１を使用し、４５０２＿２の通信装置＃２に送信する信号処理後の信号１０３−２が周波数変換後に使用するスペクトルとして、図４６の第２の周波数帯のスペクトル４６０２を使用し、４５０２＿３の通信装置＃３に送信する信号処理後の信号１０３−３が周波数変換後に使用するスペクトルとして、図４６の第２の周波数帯のスペクトル４６０２を使用し、４５０２＿４の通信装置＃４に送信する信号処理後の信号１０３−４が周波数変換後に使用するスペクトルとして、図４６の第３の周波数帯のスペクトル４６０３を使用するものとする。このとき、４５０２＿１の通信装置＃１に送信する信号処理後の信号１０３−１が使用する周波数帯、４５０２＿３の通信装置＃３に送信する送信信号１０５−３が周波数変換後に使用する周波数帯、４５０２＿４の通信装置＃４に送信する信号処理後の信号１０３−４が周波数変換後に使用する周波数帯が異なるのは、４５０１の送信装置＃Ａが、「４５０２＿１の通信装置＃１に送信する信号処理後の信号１０３−１が周波数変換後に使用する周波数帯、４５０２＿３の通信装置＃３に送信する信号処理後の信号１０３−３が周波数変換後に使用する周波数帯と４５０２＿４の通信装置＃４に送信する信号処理後の信号１０３−４が周波数変換後に使用する周波数帯」を同じようにすると、４５０２＿１の通信装置＃１、４５０２＿３の通信装置＃３、４５０２＿４の通信装置＃４はビームの分離が困難のため、干渉が大きく、これにより、データの受信品質が低下するからである。
【０７３７】
上述のようにすることで高いデータの受信品質を確保しながら、周波数利用効率を向上することができるという効果を得ることができる。
【０７３８】
ここで、「４５０２＿１の通信装置＃１に送信する信号処理後の信号１０３−１」、「４５０２＿２の通信装置＃２に送信する信号処理後の信号１０３−２」、「４５０２＿３の通信装置＃３に送信する信号処理後の信号１０３−３」、「４５０２＿４の通信装置＃４に送信する信号処理後の信号１０３−４」の時間的な存在について説明する。
【０７３９】
図５１は、４５０１の通信装置Ａが送信する変調信号のフレーム構成の一例を示しており、横軸時間におけるシンボルの配置の例を示している。図５１において、５１０１−１は、４５０２＿１の通信装置＃１宛のデータシンボル群、または、４５０２＿１の通信装置＃１宛のデータシンボル群の一部を示しており、５１０１−２は、４５０２＿２の通信装置＃２宛のデータシンボル群、または、４５０２＿２の通信装置＃２宛のデータシンボル群の一部を示しており、５１０１−３は、４５０２＿３の通信装置＃３宛のデータシンボル群、または、４５０２＿３の通信装置＃３宛のデータシンボル群の一部を示しており、５１０１−４は、４５０２＿４の通信装置＃４宛のデータシンボル群、または、４５０２＿４の通信装置＃４宛のデータシンボル群の一部を示している。
【０７４０】
「４５０２＿１の通信装置＃１宛のデータシンボル群、または、４５０２＿１の通信装置＃１宛のデータシンボル群の一部」５１０１＿１、「４５０２＿２の通信装置＃２宛のデータシンボル群、または、４５０２＿２の通信装置＃２宛のデータシンボル群の一部」５１０１−２、「４５０２＿３の通信装置＃３宛のデータシンボル群、または、４５０２＿３の通信装置＃３宛のデータシンボル群の一部」５１０１＿３、「通信装置＃４宛のデータシンボル群、または、４５０２＿４の通信装置＃４宛のデータシンボル群の一部」５１０１＿４はいずれも時間区間１に存在することになる。
【０７４１】
なお、図４７のときにおいても、４５０１の通信装置＃Ａは、４５０２＿１の通信装置＃１に送信する信号処理後の信号１０３−１が周波数変換後に使用するスペクトルとして、図４６の第１の周波数帯のスペクトル４６０１を使用し、４５０２＿２の通信装置＃２に送信する信号処理後の信号１０３−２が周波数変換後に使用するスペクトルとして、図４６の第２の周波数帯のスペクトル４６０２を使用し、４５０２＿３の通信装置＃３に送信する信号処理後の信号１０３−３が周波数変換後に使用するスペクトルとして、図４６の第２の周波数帯のスペクトル４６０２を使用し、４５０２＿４の通信装置＃４に送信する信号処理後の信号１０３−４が周波数変換後に使用するスペクトルとして、図４６の第３の周波数帯のスペクトル４６０３を使用することができる。
【０７４２】
図５０は、図４５の４５０１の通信装置＃Ａ、４５０２＿１の通信装置＃１、４５０２＿２の通信装置＃２、４５０２＿３の通信装置＃３、４５０２＿４の通信装置＃４の図４７、図４８、図４９とは異なる位置関係を示している。したがって、図５０では、図４５で付加した番号を記載している。
【０７４３】
図５０の場合、４５０１の通信装置＃Ａは、４５０２＿１の通信装置＃１に送信する信号処理後の信号１０３−１が周波数変換後に使用するスペクトルとして、図４６の第１の周波数帯のスペクトル４６０１を使用し、４５０２＿２の通信装置＃２に送信する信号処理後の信号１０３−２が周波数変換後に使用するスペクトルとして、図４６の第２の周波数帯のスペクトル４６０２を使用し、４５０２＿３の通信装置＃３に送信する信号処理後の信号１０３−３が周波数変換後に使用するスペクトルとして、図４６の第２の周波数帯のスペクトル４６０２を使用し、４５０２＿４の通信装置＃４に送信する信号処理後の信号１０３−４が周波数変換後に使用するスペクトルとして、図４６の第１の周波数帯のスペクトル４６０１を使用するものとする。
【０７４４】
このとき、４５０２＿１の通信装置＃１に送信する信号処理後の信号１０３−１が周波数変換後に使用する周波数帯と４５０２＿２の通信装置＃２に送信する信号処理後の信号１０３−２が周波数変換後に使用する周波数帯、が異なるのは、４５０１の送信装置＃Ａが、「４５０２＿１の通信装置＃１に送信する信号処理後の信号１０３−１が周波数変換後に使用する周波数帯と４５０２＿２の通信装置＃２に送信する信号処理後の信号１０３−２が周波数変換後に使用する周波数帯」を同じようにすると、４５０２＿１の通信装置＃１、４５０２＿２の通信装置＃２はビームの分離が困難のため、干渉が大きく、これにより、データの受信品質が低下するからである。
【０７４５】
同様に、４５０２＿３の通信装置＃３に送信する信号処理後の信号１０３−３が周波数変換後に使用する周波数帯と４５０２＿４の通信装置＃４に送信する信号処理後の信号１０３−４が周波数変換後に使用する周波数帯、が異なるのは、４５０１の送信装置＃Ａが、「４５０２＿３の通信装置＃３に送信する信号処理後の信号１０３−３が周波数変換後に使用する周波数帯と４５０２＿４の通信装置＃４に送信する信号処理後の信号１０３−４が周波数変換後に使用する周波数帯」を同じようにすると、４５０２＿３の通信装置＃３、４５０２＿４の通信装置＃４はビームの分離が困難のため、干渉が大きく、これにより、データの受信品質が低下するからである。
【０７４６】
上述のようにすることで高いデータの受信品質を確保しながら、周波数利用効率を向上することができるという効果を得ることができる。
【０７４７】
ここで、「４５０２＿１の通信装置＃１に送信する信号処理後の信号１０３−１」、「４５０２＿２の通信装置＃２に送信する信号処理後の信号１０３−２」、「４５０２＿３の通信装置＃３に送信する信号処理後の信号１０３−３」、「４５０２＿４の通信装置＃４に送信する信号処理後の信号１０３−４」の時間的な存在について説明する。
【０７４８】
図５１は、４５０１の通信装置Ａが送信する変調信号のフレーム構成の一例を示しており、横軸時間におけるシンボルの配置の例を示している。図５１において、５１０１−１は、４５０２＿１の通信装置＃１宛のデータシンボル群、または、４５０２＿１の通信装置＃１宛のデータシンボル群の一部を示しており、５１０１−２は、４５０２＿２の通信装置＃２宛のデータシンボル群、または、４５０２＿２の通信装置＃２宛のデータシンボル群の一部を示しており、５１０１−３は、４５０２＿３の通信装置＃３宛のデータシンボル群、または、４５０２＿３の通信装置＃３宛のデータシンボル群の一部を示しており、５１０１−４は、４５０２＿４の通信装置＃４宛のデータシンボル群、または、４５０２＿４の通信装置＃４宛のデータシンボル群の一部を示している。
【０７４９】
「４５０２＿１の通信装置＃１宛のデータシンボル群、または、４５０２＿１の通信装置＃１宛のデータシンボル群の一部」５１０１＿１、「４５０２＿２の通信装置＃２宛のデータシンボル群、または、４５０２＿２の通信装置＃２宛のデータシンボル群の一部」５１０１−２、「４５０２＿３の通信装置＃３宛のデータシンボル群、または、４５０２＿３の通信装置＃３宛のデータシンボル群の一部」５１０１＿３、「通信装置＃４宛のデータシンボル群、または、４５０２＿４の通信装置＃４宛のデータシンボル群の一部」５１０１＿４はいずれも時間区間１に存在することになる。
【０７５０】
なお、図４７のときにおいても、４５０１の通信装置＃Ａは、４５０２＿１の通信装置＃１に送信する信号処理後の信号１０３−１が周波数変換後に使用するスペクトルとして、図４６の第１の周波数帯のスペクトル４６０１を使用し、４５０２＿２の通信装置＃２に送信する信号処理後の信号１０３−２が周波数変換後に使用するスペクトルとして、図４６の第２の周波数帯のスペクトル４６０２を使用し、４５０２＿３の通信装置＃３に送信する信号処理後の信号１０３−３が周波数変換後に使用するスペクトルとして、図４６の第２の周波数帯のスペクトル４６０２を使用し、４５０２＿４の通信装置＃４に送信する信号処理後の信号１０３−４が周波数変換後に使用するスペクトルとして、図４６の第１の周波数帯のスペクトル４６０１を使用することができる。
【０７５１】
また、図５０の場合、４５０１の通信装置＃Ａは、４５０２＿１の通信装置＃１に送信する信号処理後の信号１０３−１が周波数変換後に使用するスペクトルとして、図４６の第１の周波数帯のスペクトル４６０１を使用し、４５０２＿２の通信装置＃２に送信する信号処理後の信号１０３−２が周波数変換後に使用するスペクトルとして、図４６の第２の周波数帯のスペクトル４６０２を使用し、４５０２＿３の通信装置＃３に送信する信号処理後の信号１０３−３が周波数変換後に使用するスペクトルとして、図４６の第２の周波数帯のスペクトル４６０２を使用し、４５０２＿４の通信装置＃４に送信する信号処理後の信号１０３−４が周波数変換後に使用するスペクトルとして、図４６の第３の周波数帯のスペクトル４６０３を使用するものとしても、高いデータの受信品質を確保しながら、周波数利用効率を向上することができるという効果を得ることができる。
【０７５２】
さらに、図５０の場合、４５０１の通信装置＃Ａは、４５０２＿１の通信装置＃１に送信する信号処理後の信号１０３−１が周波数変換後に使用するスペクトルとして、図４６の第１の周波数帯のスペクトル４６０１を使用し、４５０２＿２の通信装置＃２に送信する信号処理後の信号１０３−２が周波数変換後に使用するスペクトルとして、図４６の第２の周波数帯のスペクトル４６０２を使用し、４５０２＿３の通信装置＃３に送信する信号処理後の信号１０３−３が周波数変換後に使用するスペクトルとして、図４６の第１の周波数帯のスペクトル４６０１を使用し、４５０２＿４の通信装置＃４に送信する信号処理後の信号１０３−４が周波数変換後に使用するスペクトルとして、図４６の第３の周波数帯のスペクトル４６０３を使用するものとしても、高いデータの受信品質を確保しながら、周波数利用効率を向上することができるという効果を得ることができる。
【０７５３】
なお、４５０２＿１の通信装置＃１、４５０２＿２の通信装置＃２、４５０２＿３の通信装置＃３、４５０２＿４の通信装置＃４は、例えば、図４の構成を具備しており、所望の信号を受信し、図４の受信部分を動作させることで、所望のデータを得ることになる。
【０７５４】
本実施の形態において、図５１における「通信装置＃１宛のデータシンボル群、または、通信装置＃１宛のデータシンボル群の一部５１０１−１」を生成するための変調方式および誤り訂正符号化方式、「通信装置＃２宛のデータシンボル群、または、通信装置＃２宛のデータシンボル群の一部５１０１−２」を生成するための変調方式および誤り訂正符号化方式、「通信装置＃３宛のデータシンボル群、または、通信装置＃３宛のデータシンボル群の一部５１０１−３」を生成するための変調方式および誤り訂正符号化方式、「通信装置＃４宛のデータシンボル群、または、通信装置＃４宛のデータシンボル群の一部５１０１−４」を生成するための変調方式および誤り訂正符号化方式を、同一の変調方式、同一の誤り訂正符号化方式にした場合、かつ、各チャネルの周波数帯域を同一とした場合、これらのデータシンボル群を送信する時間を短くすることができるという効果を得ることができる。また、同期して、これらのデータシンボル群を送信することができるという効果を得ることができる（データシンボル群の送信開始時間と送信終了時間をそろえることができる）。ただし、変調方式、または、誤り訂正符号化方式を異なるようにすることも可能である。
【０７５５】
また、本実施の形態では、４５０１の通信装置＃Ａは、４５０２＿１の通信装置＃１、４５０２＿２の通信装置＃２、４５０２＿３の通信装置＃３、４５０２＿４の通信装置＃４に第１のデータを含む変調信号を送信する場合について説明したが、４５０１の通信装置＃Ａは一つの通信装置に対し、第１のデータを含む変調信号を送信するとしてもよい。
【０７５６】
そして、例えば、図５２のように時間分割を用いることも可能である。なお、図５２において、図５１と同様のものに対しては同一番号を付しており、横軸は時間である。図５２に示すように、通信装置＃１宛のデータシンボル群、または、通信装置＃１宛のデータシンボル群の一部５１０１−１、通信装置＃２宛のデータシンボル群、または、通信装置＃２宛のデータシンボル群の一部５１０１−２、通信装置＃３宛のデータシンボル群、または、通信装置＃３宛のデータシンボル群の一部５１０１−３を、区間１を用いて、４５０１の通信装置＃Ａが送信し、通信装置＃４宛のデータシンボル群、または、通信装置＃４宛のデータシンボル群の一部５１０１−４を、区間２を用いて、４５０１の通信装置＃Ａが送信するものとする。
【０７５７】
例えば、４５０１の通信装置＃Ａ、４５０２＿１の通信装置＃１、４５０２＿２の通信装置＃２、４５０２＿３の通信装置＃３、４５０２＿４の通信装置＃４が図４９のような位置関係にあるとき、４５０１の通信装置＃Ａは、４５０２＿４の通信装置＃４にデータシンボルを送信する際、図５２のように区間２を用いて送信し、４５０２＿１の通信装置＃１、４５０２＿２の通信装置＃２、４５０２＿３の通信装置＃３にデータシンボルを送信する際、図５２のように区間１を用いて送信する。なお、４５０２＿１の通信装置＃１のデータシンボル群またはデータシンボル群の一部、４５０２＿２の通信装置＃２のデータシンボル群またはデータシンボル群の一部、４５０２＿３の通信装置＃３のデータシンボル群またはデータシンボル群の一部を送信する際の周波数帯の使用方法については、図４９の説明を行っているときと同様であればよい。
【０７５８】
このように、時間分割を行ってデータシンボルを送信するようにしても、上述の説明のような効果を得ることができる。
【０７５９】
なお、本実施の形態において、サーバー（４５０６＿４）と名づけ、本実施の形態の説明を行っているが、サーバーを通信装置に置き換えて本実施の形態を実施しても、同様に実施することができる。
【０７６０】
また、本実施の形態で説明した「４５０１の通信装置＃Ａと４５０２＿１の通信装置＃１の無線通信」、「４５０１の通信装置＃Ａと４５０２＿２の通信装置＃２の無線通信」、「４５０１の通信装置＃Ａと４５０２＿３の通信装置＃３の無線通信」、「４５０１の通信装置＃Ａと４５０２＿４の通信装置＃４の無線通信」は、他の実施の形態で説明したようなＭＩＭＯ伝送、つまり、送信用のアンテナが複数あり、また、受信アンテナが複数あり（１つでもよい）、送信装置が、複数の変調信号を、複数のアンテナから、同一周波数、同一時間に送信する方法であってもよい。また、変調信号を１つ送信する方法であってもよい。なお、このときの送信装置、受信装置の構成例については、他の実施の形態で説明したとおりである。
【０７６１】
（実施の形態９）
本実施の形態では、実施の形態８で説明した図４５の４５０１の通信装置＃Ａと４５０２＿４の通信装置＃４の通信の具体例を説明する。
【０７６２】
図４５に示しているとおり、４５０２＿４の通信装置＃４はネットワークに接続するための有線による通信を行うことができるものとする。
【０７６３】
例えば、「４５０１の通信装置＃Ａが４５０２＿４の通信装置＃４に無線通信でデータを伝送するときの最大のデータ伝送速度」が、「４５０２＿４の通信装置＃４が有している有線通信での最大のデータ伝送速度」よりはやいものとする（ただし、この条件を満たさなくても、本実施の形態の一部を実施することは可能である。）。
【０７６４】
このときの４５０２＿４の通信装置＃４の構成例を図５３に示す。図５３において、受信装置５３０３は、アンテナ５３０１で受信した受信信号５３０２を入力とし、復調、誤り訂正復号などの処理を行い、受信データ５３０４を出力する。例えば、図４５のとき、４５０１の通信装置＃Ａが送信したデータを含む変調信号を受信し、復調などの処理を行い、受信データ５３０４を得ることになる。
【０７６５】
なお、図５３では、アンテナ５３０１の１つのアンテナを具備する例を示しているが、受信用のアンテナを複数具備しており、複数の変調信号を受信し、復調するような装置であってもよい。
【０７６６】
記憶部５３０５は、受信データ５３０４を入力とし、受信データを一時的に記憶することになる。これは、「４５０１の通信装置＃Ａが４５０２＿４の通信装置＃４に無線通信でデータを伝送するときの最大のデータ伝送速度」が、「４５０２＿４の通信装置＃４が有している有線通信での最大のデータ伝送速度」よりはやいからで、あり、記憶部５３０５を具備していないと、受信データ５３０４の一部を失ってしまう可能性があるからである。
【０７６７】
インターフェース部５３０８は、記憶部から出力されるデータ５３０７を入力とし、インターフェース５３０８を介し、有線通信用のデータ５３０９となる。
【０７６８】
有線通信用のデータ５３１０は、インターフェース部５３０８を介し、データ５３１１を生成し、送信装置５３１２は、データ５３１１を入力とし、誤り訂正符号化、マッピング、周波数変換等の処理を行い、送信信号５３１３を生成し、出力する。そして、送信信号５３１３は、アンテナ５１３１４から電波として、出力され、通信相手にデータを送信することになる。
【０７６９】
次に、図５４について説明を行う。４５０２＿４の通信装置＃４は、図４５を用いて、実施の形態８で説明したように、通信装置＃Ａ４５０１からデータを得る。それに加え、４５０２＿４の通信装置＃４は、基地局やアクセスポイントのように、通信装置＃Ａ４５０１以外の端末と通信を行い、ネットワークを介して、例えば、サーバーに情報を提供する、または、サーバーから情報を得、通信装置＃Ａ４５０１以外の端末に情報を提供する機能を有しているものとする。図５４は、４５０２＿４の通信装置＃４が、通信装置＃Ａ４５０１以外の端末、つまり５４０１の通信装置＃Ｂ、５４０２の通信装置＃Ｃと通信を行っている様子を示している。
【０７７０】
図５４のように、例えば、５４０１の通信装置＃Ｂが変調信号を送信し、４５０２＿４の通信装置＃４がこの変調信号を受信する。そして、４５０２＿４の通信装置＃４は、この変調信号の復調を行い、受信データ４５０３＿４を得、出力する。また、受信データ４５０３＿４は、ネットワーク４５０４＿４を介し、例えば、サーバー４５０６＿４に送られる。
【０７７１】
また、図５４のように、サーバー４５０６＿４が出力したデータ５４５１は、ネットワーク４５０４＿４を介し、４５０２＿４の通信装置＃４に入力され、４５０２＿４の通信装置＃４は、誤り訂正符号化、変調などの処理が行われ、変調信号を生成し、５４０１の通信装置＃Ｂに送信する。
【０７７２】
同様に、例えば、５４０２の通信装置＃Ｃが変調信号を送信し、４５０２＿４の通信装置＃４がこの変調信号を受信する。そして、４５０２＿４の通信装置＃４は、この変調信号の復調を行い、受信データ４５０３＿４を得、出力する。また、受信データ４５０３＿４は、ネットワーク４５０４＿４を介し、例えば、サーバー４５０６＿４に送られる。
【０７７３】
また、図５４のように、サーバー４５０６＿４が出力したデータ５４５１は、ネットワーク４５０４＿４を介し、４５０２＿４の通信装置＃４に入力され、４５０２＿４の通信装置＃４は、誤り訂正符号化、変調などの処理が行われ、変調信号を生成し、５４０２の通信装置＃Ｃに送信する。
【０７７４】
図５５は、４５０２＿４の通信装置＃４と、４５０１の通信装置＃Ａおよび５４０１の通信装置＃Ｂの通信の様子の例を示している。
【０７７５】
まず、［５５−１］のように、４５０１の通信装置＃Ａは、４５０２＿４の通信装置＃４に対し、データを含む変調信号の送信を開始する。
【０７７６】
［５５−２］のように、４５０２＿４の通信装置＃４は、４５０１の通信装置＃Ａが送信した変調信号の受信を開始する。そして、４５０２＿４の通信装置＃４が具備する記憶部５３０５は、受信によって得られたデータの記憶を開始する。
【０７７７】
［５５−３］のように、４５０２＿４の通信装置＃４は、４５０１の通信装置＃Ａとの通信を完了し、データの記憶を完了する。
【０７７８】
［５５−４］のように、４５０２＿４の通信装置＃４は、記憶部５３０５が保持している４５０１の通信装置＃Ａから得られたデータをサーバー４５０６＿４へ転送を開始する。
【０７７９】
なお、データの転送は、［５５−３］のデータの記憶の完了前に開始してもよい。
【０７８０】
［５５−５］のように、サーバー４５０６＿４は、４５０２＿４の通信装置＃４が転送した（４５０１の通信装置＃Ａから得られた）データの受信を開始する。
【０７８１】
［５５−６］のように、サーバー４５０６＿４は、４５０２＿４の通信装置＃４が転送した（４５０１の通信装置＃Ａから得られた）データの受信を完了する。
【０７８２】
［５５−７］のように、サーバー４５０６＿４は、４５０２＿４の通信装置＃４が転送した（４５０１の通信装置＃Ａから得られた）データの受信を完了したことを４５０２＿４の通信装置＃４に通知する。
【０７８３】
［５５−８］４５０２＿４の通信装置＃４は、サーバー４５０６＿４から、「データの受信を完了した」という通知を受ける。
【０７８４】
［５５−９］４５０２＿４の通信装置＃４は、記憶部５３０５が保持している４５０１の通信装置＃Ａから得られたデータを削除する。
【０７８５】
なお、この削除を行ったことを通信装置＃Ａに通知してもよい。
【０７８６】
［５５−１０］５４０１の通信装置＃Ｂは、４５０１の通信装置＃Ａとの通信を開始する。
【０７８７】
図５５において、「４５０２＿４の通信装置＃４は、記憶部５３０５が保持している４５０１の通信装置＃Ａから得られたデータを削除する機能」が重要となる。これにより、４５０１の通信装置＃Ａのデータを他の通信装置に盗まれる可能性を低くすることができるという効果を得ることができる。
【０７８８】
図５６は、４５０２＿４通信装置＃４と、４５０１の通信装置＃Ａおよび５４０１の通信装置＃Ｂの通信の様子の図５５とは異なる例を示している。
【０７８９】
まず、［５６−１］のように、４５０１の通信装置＃Ａは、４５０２＿４の通信装置＃４に対し、データを含む変調信号の送信を開始する。
【０７９０】
［５６−２］のように、４５０２＿４の通信装置＃４は、４５０１の通信装置＃Ａが送信した変調信号の受信を開始する。そして、４５０２＿４の通信装置＃４が具備する記憶部５３０５は、受信によって得られたデータの記憶を開始する。
【０７９１】
［５６−３］のように、４５０２＿４の通信装置は、４５０１の通信装置＃Ａとの通信を完了し、データの記憶を完了する。そして、記憶したデータを複数のファイルに分割するものとする。このとき、Ｎ個のファイルを作成するものとする。なお、Ｎは１以上の整数、または、２以上の整数とする（以下では、第１のファイル、第２のファイル、・・・、第Ｎのファイルと名づけるものとする。）。
【０７９２】
［５６−４］のように、４５０２＿４の通信装置＃４は、記憶部５３０５が保持している４５０１の通信装置＃Ａから得られたデータのうちの第１のファイルのデータを４５０６＿４へ転送を開始する。
【０７９３】
なお、データの転送は、［５６−３］のデータの記憶の完了前に開始してもよい。
【０７９４】
［５６−５］のように、サーバー４５０６＿４は、４５０２＿４の通信装置＃４が転送した（４５０１の通信装置＃Ａから得られた）データのうちの第１のファイルのデータの受信を開始する。
【０７９５】
［５６−６］のように、サーバー４５０６＿４は、通信装置４５０２＿４の通信装置＃４が転送した第１ファイルのデータの受信を完了する。
【０７９６】
［５６−７］のように、サーバー４５０６＿４は、４５０２＿４の通信装置＃４が転送した第１ファイルのデータの受信を完了したことを４５０２＿４の通信装置＃４に通知する。
【０７９７】
［５６−８］４５０２＿４の通信装置＃４は、サーバー４５０６＿４から、「第１ファイルのデータの受信を完了した」という通知を受ける。
【０７９８】
［５６−９］５４０１の通信装置＃Ｂは、４５０１の通信装置＃Ａとの通信を開始する。
【０７９９】
［５６−１０］サーバー４５０６＿４は、４５０２＿４の通信装置＃４を介し、５４０１の通信装置＃Ｂが送信したデータを受信する。
【０８００】
［５６−１１］これに対し、例えば、サーバー４５０６＿４は、データを送信する。
【０８０１】
［５６−１２］のように、５４０１の通信装置＃Ｂは、４５０２＿４の通信装置＃４を介し、サーバー４５０６＿４が送信したデータを受信する。
【０８０２】
［５６−１３］のように、４５０２＿４の通信装置＃４は、記憶部５３０５が保持している４５０１の通信装置＃Ａから得られたデータのうちの第２のファイルのデータを４５０６＿４へ転送を開始する。
【０８０３】
［５６−１４］のように、サーバー４５０６＿４は、４５０２＿４の通信装置＃４が転送した（４５０１の通信装置＃Ａから得られた）データのうちの第２のファイルのデータの受信を開始する。
【０８０４】
［５６−１５］のように、サーバー４５０６＿４は、通信装置４５０２＿４の通信装置＃４が転送した第２ファイルのデータの受信を完了する。
【０８０５】
図５６において、「４５０２＿４の通信装置＃４は、記憶部５３０５が保持している４５０１の通信装置＃Ａから得られたデータを削除する機能」が重要となる。これにより、４５０１の通信装置＃Ａのデータを他の通信装置に盗まれる可能性を低くする（安全性の確保）ことができるという効果を得ることができる。
【０８０６】
これに対し、以下の２つの方法がある。
【０８０７】
第１の方法：
図５６の［５６−８］において、サーバーが送信した「第１ファイルのデータの受信完了」の通知を受けた４５０２＿４の通信装置＃４は、第１のファイルのデータをこの時点で削除する（したがって、４５０２＿４の通信装置＃４は、サーバーが送信した「第Ｘのファイルのデータの受信完了」の通知を受け、第Ｘのファイルのデータを削除することになる。このとき、Ｘは１以上Ｎ以下の整数となる。）。
【０８０８】
第１の方法の変形例として、４５０２＿４の通信装置＃４は、サーバーに、第Ｘのファイルのデータの送信の完了とともに、第Ｘのファイルのデータを削除するとしてもよい。
【０８０９】
第２の方法：
４５０２＿４の通信装置＃４が、第１から第Ｎのファイルのデータの送信を完了し、サーバーから、すべてのファイルのデータの受信が完了したという通知を、４５０２＿４の通信装置＃４が受け、その後、第１から第Ｎのファイルのデータを削除する。
【０８１０】
第２の方法の変形例として、４５０２＿４の通信装置＃４は、サーバーに、第１から第Ｎのファイルのデータの送信の完了とともに、第１から第Ｎのファイルのデータを削除するとしてもよい。
【０８１１】
以上のように、「第１の通信装置が第２の通信装置に無線通信でデータを伝送するときの最大のデータ伝送速度」が、「第２の通信装置が有している有線通信での最大のデータ伝送速度」よりはやい際、第１の通信装置が送信したデータを受信した第２の通信装置は、このデータを記憶部に記憶し、記憶したデータを、第２の通信装置は他の通信装置に送信した後、第２の通信装置は記憶したデータを削除することで、データの安全性を確保できるという効果を得ることができる。
【０８１２】
「「第１の通信装置が第２の通信装置に無線通信でデータを伝送するときの最大のデータ伝送速度」が、「第２の通信装置が有している有線通信での最大のデータ伝送速度」よりはやい」について、説明する。
【０８１３】
例えば、第１の通信装置が、第２の通信装置に無線通信でデータを伝送するときの周波数帯域をＡ［Ｈｚ］とする。このとき、例えば、誤り訂正符号を用いず、１ストリーム送信、ＢＰＳＫを用いたときの伝送速度は、約Ａ［ｂｐｓ（bit per second）］となり、誤り訂正符号を用いず、１ストリーム送信、ＱＰＳＫを用いたときの伝送速度は、約２×Ａ［ｂｐｓ（bit per second）］となり、誤り訂正符号を用いず、１ストリーム送信、１６ＱＡＭを用いたときの伝送速度は、約４×Ａ［ｂｐｓ（bit per second）］となり、誤り訂正符号を用いず、１ストリーム送信、６４ＱＡＭを用いたときの伝送速度は、約６×Ａ［ｂｐｓ（bit per second）］となる。さらに、２ストリーム送信（例えば、ＭＩＭＯ伝送）、ＢＰＳＫを用いたときの伝送速度は、約２×Ａ［ｂｐｓ（bit per second）］となり、２ストリーム送信、ＱＰＳＫを用いたときの伝送速度は、約４×Ａ［ｂｐｓ（bit per second）］となり、誤り訂正符号を用いず、２ストリーム送信、１６ＱＡＭを用いたときの伝送速度は、約８×Ａ［ｂｐｓ（bit per second）］となり、誤り訂正符号を用いず、２ストリーム送信、６４ＱＡＭを用いたときの伝送速度は、約１２×Ａ［ｂｐｓ（bit per second）］となる。
【０８１４】
「第２の通信装置が有している有線通信での最大のデータ伝送速度」をＢ［ｂｐｓ］とする。
【０８１５】
このとき、Ａ≧Ｂとすると、設定可能な通信パラメータの多くケースで、「「第１の通信装置が第２の通信装置に無線通信でデータを伝送するときの最大のデータ伝送速度」が、「第２の通信装置が有している有線通信での最大のデータ伝送速度」よりはやい」を満たすことになる（ただし、この条件を満たさなくても、本実施の形態の一部を実施することは可能である。）。
【０８１６】
したがって、Ａ≧Ｂを満たし、第１の通信装置が送信したデータを受信した第２の通信装置は、このデータを記憶部に記憶し、記憶したデータを、第２の通信装置は他の通信装置に送信した後、第２の通信装置は記憶したデータを削除することでも、データの安全性を確保できるという効果を得ることができる。
【０８１７】
なお、本実施の形態において、サーバー（４５０６＿４）と名づけ、本実施の形態の説明を行っているが、サーバーを通信装置に置き換えて本実施の形態を実施しても、同様に実施することができる。
【０８１８】
また、ネットワーク４５０４＿４が無線通信に基づくネットワークであってもよい。このとき、「「第１の通信装置が第２の通信装置に第１の無線通信でデータを伝送するときの最大のデータ伝送速度」が、「第２の通信装置が有している第１の無線通信とは異なる第２の無線通信での最大のデータ伝送速度」よりはやい」ことが重要となる。さらに、「第２の通信装置が有している第２の無線通信での最大のデータ伝送速度」をＢ［ｂｐｓ］とすると、Ａ≧Ｂを満たすことが重要となる（ただし、この条件を満たさなくても、本実施の形態の一部を実施することは可能である。）。
【０８１９】
また、本実施の形態で説明した「４５０１の通信装置＃Ａと４５０２＿１の通信装置＃１の無線通信」、「４５０１の通信装置＃Ａと４５０２＿２の通信装置＃２の無線通信」、「４５０１の通信装置＃Ａと４５０２＿３の通信装置＃３の無線通信」、「４５０１の通信装置＃Ａと４５０２＿４の通信装置＃４の無線通信」、「５４０１の通信装置＃Ｂと４５０２＿４の通信装置＃４の無線通信」、「５４０２の通信装置＃Ｃと４５０２＿４の通信装置＃４の無線通信」は、他の実施の形態で説明したようなＭＩＭＯ伝送、つまり、送信用のアンテナが複数あり、また、受信アンテナが複数あり（１つでもよい）、送信装置が、複数の変調信号を、複数のアンテナから、同一周波数、同一時間に送信する方法であってもよい。また、変調信号を１つ送信する方法であってもよい。なお、このときの送信装置、受信装置の構成例については、他の実施の形態で説明したとおりである。
【０８２０】
（実施の形態１０）
本実施の形態では、実施の形態９の実施例について説明を行う。
【０８２１】
図５７において、５７００は通信装置であり、５７５０は送電装置、５７９０は装置である。そして、図５８において、５８００は図５７の５７９０の装置であり、５８２０はサーバーである。
【０８２２】
このとき、図５７の通信装置５７００と送電装置５７５０は、例えば、無線による通信を行っているものとする。
【０８２３】
また、図５７の送電装置５７５０は、送電を行っており、通信装置５７００は受電を行い、電池の充電を行うものとする。
【０８２４】
そして、図５７の送電装置５７５０は装置５７９０と通信を行っているものとする（例えば、有線による通信とする。ただし、無線通信であってもよい。）。
【０８２５】
また、図５８に示すように、装置５８００（つまり、図５７の装置５７９０）は、ネットワーク５８１７を介し、サーバー５８２０と通信を行うものとする。
【０８２６】
このとき、「通信装置５７００が送電装置５７５０に無線通信でデータを伝送するときの最大のデータ伝送速度」が、「装置５８００（つまり、図５７の装置５７９０）が有している有線通信（または、無線通信）での最大のデータ伝送速度」よりはやいものとする（ただし、この条件を満たさなくても、本実施の形態の一部を実施することは可能である。）。
【０８２７】
別の表現をすると、通信装置５７００が送電装置５７５０に無線通信でデータを伝送するときの周波数帯域をＡ［Ｈｚ］、装置５８００（つまり、図５７の装置５７９０）が有している有線通信（または、無線通信）の最大伝送速度をＢ［ｂｐｓ］とすると、Ａ≧Ｂを満たすものとする（ただし、この条件を満たさなくても、本実施の形態の一部を実施することは可能である。）。
【０８２８】
次に、図５７の具体的な動作例を説明する。送電装置５７５０の送電部５７５３は、インターフェース５７５１からの給電５７５２、および／または、外部電源からの給電５７６５を入力とし、送電信号５７５４を出力し、送電信号５７５４は、送電アンテナ５７５５から無線で送信される。
【０８２９】
通信装置５７００の制御部５７０３は、受電アンテナ５７０１で受信した受信信号５７０２を入力とする。
【０８３０】
上述の説明において、送電アンテナ５７５５と記載したが、送電コイルであってもよい。また、受電アンテナ５７０１と記載したが、受電コイルであってもよい。
【０８３１】
そして、制御部５７５３は、給電信号５７０４、および、制御信号５７０５を出力する。電池５７０６は、給電信号５７０４を入力とすることで、充電が行われることになる。
【０８３２】
制御部５７５３は、電圧、電流などに基づいて、受電中であるかどうかを知り、受電中であるかどうかに関する情報を含む制御信号５７０５を出力する。なお、受電に関連する部分が、通信機能を有し、通信により、受電中であるかどうかを制御部５７５３は知り、受電中であるかどうかに関する情報を含む制御信号５７０５を出力するとしてもよい。また、制御信号５７０５は、これらの情報以外の制御情報を含んでいてもよい。
【０８３３】
データ蓄積部５７１１は、データ５７１０を入力とし、データを蓄積する。なお、データ５７１０は、通信装置５７００が生成したデータであってもよい。
【０８３４】
そして、データ蓄積部５７１１は、制御信号５７０５を入力とし、制御信号５７０５に基づいて、データ蓄積部５７１１で蓄積しているデータ５７１２を出力する。
【０８３５】
通信制御部５７０８は、制御情報５７０７を入力とし、通信制御信号５７０９を出力する。
【０８３６】
送受信部５７１３は、データ５７１２、制御信号５７０５、通信制御信号５７０９を入力とし、制御信号５７０５、通信制御信号５７０９に基づいて、送信方法などを決定し、データ５７１２を含んだ変調信号を生成し、送信信号５７１４を出力し、通信用アンテナ５７１５から、例えば、電波として出力する。
【０８３７】
また、送受信部５７１３は、通信用アンテナ５７１５で受信した受信信号５７１６を入力とし、復調、誤り訂正復号などの処理を行い、受信データ５７１７を出力する。
【０８３８】
送電装置５７５０の制御部５７５７は、給電５７５２、および、装置５７９０からの情報５７５６を入力とし、通信制御信号５７５８を出力する。
【０８３９】
通信用アンテナ５７５９は、通信相手（通信装置５７００）が送信した送信信号を受信する。送受信部５７６１は、通信用アンテナ５７５９が受信した受信信号５７６０、および、通信制御信号５７５８を入力とし、復調、誤り訂正復号などの処理を行い、受信データ５７６２を出力する。
【０８４０】
また、送受信部５７６１は、データ５７６３、通信制御信号５７５８を入力とし、通信制御信号５７５８に基づいて、変調方式、送信方法などを決定し、変調信号を生成し、送信信号５７６４を出力する。そして、送信信号５７６４は、通信用アンテナ５７５９から、電波として出力される。
【０８４１】
信号５７９１は、送電装置５７５０に入力、および、出力される。また、信号５７９１は、装置５７９０に入力、および、出力される。
【０８４２】
そして、信号５７９１は、給電５７５２、情報５７５６、受信５７６２、データ５７６３を含んでいることになる。インターフェース５７５１は、「信号５７９１」と「給電５７５２、情報５７５６、受信５７６２、データ５７６３」のためのインターフェースとなる。
【０８４３】
図５８は、図５７の装置５７９０の構成（装置５８００）および、装置５８００と接続されるネットワーク５８１７、サーバー５８２０を示している。
【０８４４】
変換部５８０２は、例えば、外部電源からＡＣ（Alternating Current）給電５８０１を入力とし、ＡＣ−ＤＣ（Direct Current）変換が行われ、ＤＣ給電５８０３を出力する。ＤＣ給電５８０３は、インターフェース５８０４を介し、５８０５となる。
【０８４５】
記憶部（例えば、ストレージ）５８１３は、装置５８００が記憶部を有していることを通知するための通知信号５８１４を出力する。そして、モデム部５８１１は、通知信号５８１４を入力とし、図５７の送電装置５７５０に記憶部を具備していることを通知するために、「記憶部を具備している」ことを示す情報を含むデータ（または、変調信号）５８１０を出力する。そして、データ（または、変調信号）５８１０は、インターフェース５８０４を介し、５８０９となる。
【０８４６】
モデム部５８１１は、図５７の送電装置５７５０から得たデータ５８０６を、インターフェース５８０４を介して、５８０７として入力とする。そして、モデム部５８１１は、データを記憶部５８１３に記憶するかどうかの判断を行う。記憶部５８１３に記憶すると判断した場合、制御信号５８１２は、「記憶部にデータを記憶する」という通知情報を含むことになる。また、モデム部５８１１は、得たデータ５８０７を５８１６として出力する。
【０８４７】
そして、記憶部５８１３は、データ５８１６を記憶することになる。
【０８４８】
また、モデム部５８１１は、ネットワーク５８１８を介し、サーバー５８２１にデータを送信する場合がある。例えば、記憶部５８１３に記憶しているデータをサーバー５８２１に送信する場合がある。モデム部５８１１は、記憶部５８１３に対し、記憶部５８１３が具備しているデータをサーバー５８２１に送信する通知の情報を含む制御信号５８１２を出力する。
【０８４９】
すると、記憶部５８１３は、制御信号５８１２に含まれている「記憶部５８１３が具備しているデータをサーバー５８２１に送信する通知の情報」を受け、記憶しているデータ５８１５を出力する。
【０８５０】
そして、モデム部５８１１は、記憶しているデータ５８１５を入力とし、このデータに相当するデータ（または、このデータを含む変調信号）５８１６を出力する。データ（または、変調信号）５８１６（５８２０）は、ネットワーク５８１８を介して、サーバー５８２１に届けられる。そして、サーバー５８２１は、必要であれば、他の装置にデータを送信する（５８２２）。
【０８５１】
サーバー５８２１は、他の装置からのデータ５８２３を入力とし、ネットワークを介し、モデム部５８１１に届けられることになる。そして、必要であれば、モデム部５８１１は、サーバー５８２１から得たデータ（または、このデータを含んだ変調信号）を図５７の送電装置５７５０に送信することになる。
【０８５２】
なお、「通信装置５７００が送電装置５７５０に無線通信でデータを伝送するときの最大のデータ伝送速度」は、図５８の５８１６、５８１９の最大のデータの伝送速度よりはやいものとする（ただし、この条件を満たさなくても、本実施の形態の一部を実施することは可能である。）。
【０８５３】
別の表現をすると、通信装置５７００が送電装置５７５０に無線通信でデータを伝送するときの周波数帯域をＡ［Ｈｚ］、図５８の５８１６、５８１９の最大伝送速度をＢ［ｂｐｓ］とすると、Ａ≧Ｂを満たすものとする（ただし、この条件を満たさなくても、本実施の形態の一部を実施することは可能である。）。
【０８５４】
また、図５８データ伝送５８０６、５８０９は、十分なデータの伝送速度を確保できるものとする。
【０８５５】
次に、「図５７の通信装置５７００、図５７の送電装置５７５０、図５７の装置５７９０（図５８の装置５８００に相当する）、図５８のサーバー５８２１」の具体的な通信例を、図５９、図６０を用いて説明する。
【０８５６】
図５９に示すように、
［５９−１］まず、図５７の装置５７９０、つまり、図５８の装置５８００は、記憶部５８１３を具備していることを、図５７の送電装置５７５０に通知する。
【０８５７】
［５９−２］送電装置５７５０は、この通知を受け、「図５７の装置５７９０、つまり、図５８の装置５８００が記憶部５８１３を具備している」ことを認識する。
【０８５８】
［５９−３］図５７の通信装置５７００は、図５７の送電装置５７５０に対し、給電の要求を行う。
【０８５９】
［５９−４］これを受け、図５７の送電装置５７５０は、図５７の通信装置５７００に対し、送電を開始する。
【０８６０】
［５９−５］したがって、図５７の通信装置５７００は、受電を開始することになる、つまり、図５７の通信装置５７００が具備する電池の充電が開始されることになる。
【０８６１】
［５９−６］そして、図５７の通信装置５７００は、受電の開始に伴い、図５７の送電装置５７５０に対し、データ転送の要望を通知する。
【０８６２】
図５７の通信装置が、受電に伴い、データ転送の要求を送電装置５７５０に対し行うことにより、高いデータの伝送速度を得ることができるという効果を得ることができる。受電ができることから、データ伝送における通信距離は非常に短くなるため通信環境は良好となる可能性が高くなり、高いデータ伝送を行うことができる変調方式、誤り訂正符号化方式を変調方式を送信する際に、図５７の通信装置が選択することができるようになるからである。
【０８６３】
［５９−７］図５７の送電装置５７５０は、図５７の通信装置５７００からのデータ転送の要望の通知を受け、「送電装置５７５０が記憶部５８１３を具備する装置５８００と接続している」ことを、送電装置５７５０は、図５７の通信装置に通知する。
【０８６４】
［５９−８］図５７の通信装置５７００は、この通知を受け、伝送方法（送信方法）を決定する。このとき、「「通信装置５７００が送電装置５７５０に無線通信でデータを伝送するときの最大のデータ伝送速度」が、図５８１６、５８１９の最大のデータの伝送速度よりはやい」を満たす伝送方式を、通信装置５７００は選択することになる。別の表現を行うと、通信装置５７００が送電装置５７５０に無線通信でデータを伝送するときの周波数帯域をＡ［Ｈｚ］、図５８の５８１６、５８１９の最大伝送速度をＢ［ｂｐｓ］とすると、Ａ≧Ｂを満たす伝送方式を、通信装置５７００は選択することになる。
【０８６５】
実施の形態９で説明したように、このような選択を行っても、データの一部を通信中に失う可能性を低くすることができる。
【０８６６】
［５９−９］そして、図５７の通信装置５７００は、（無線による）データ伝送を開始する。
【０８６７】
［５９−１０］［５９−９］において、図５７の通信装置５７００が送信したデータを、送電装置５７５０は受信し、送電装置５７５０は、図５７の装置５７９０、つまり、図５８の装置５８００にデータを送信することになる。そして、図５７の装置５７９０、つまり、図５８の装置５８００は、データを受信することになり、この受信したデータを図５８の記憶部５８１３に記憶する。
【０８６８】
［５９−１１］そして、図５７の通信装置５７００は、（無線による）データ伝送を完了する。
【０８６９】
［５９−１２］［５９−１１］のデータ伝送の完了に伴い、図５７の装置５７９０、つまり、図５８の装置５８００は、受信したデータの記憶部５８１３への記憶を完了する。
【０８７０】
図５９の［５９−１２］の記憶の完了に伴い、図６０の動作に移行することができる。図６０は、図５７の装置５７９０、つまり、図５８の装置５８００と図５８のサーバー５８２１の通信の様子の例を示している。
【０８７１】
［６０−１］図５７の装置５７９０、つまり、図５８の装置５８００は、記憶部５８１３が記憶しているデータを、ネットワーク５８１８を介して、サーバー５８２１に対して送信を開始する。
【０８７２】
［６０−２］図５８のサーバー５８２１は、このデータの受信を開始する。
【０８７３】
［６０−３］例えば、図５８のサーバー５８２１は、受信したデータを他のシステムに対して送信する。
【０８７４】
［６０−４］図５７の装置５７９０、つまり、図５８の装置５８００は、記憶部５８１３が記憶しているデータの送信を完了する。
【０８７５】
［６０−５］図５８のサーバー５８２１は、このデータの受信を完了する。
【０８７６】
［６０−６］例えば、図５８のサーバー５８２１は、受信したデータを他のシステムへの送信を完了する。
【０８７７】
以上のように、図５７の通信装置５７００は、通信相手である図５７の５７５０の送電装置が、記憶部をもつ装置と接続されていることを認識し、これに基づき、通信方法を選択することで、他のシステムにデータを伝送することによるデータの損失の可能性を低くすることができるという効果を得ることができる。
【０８７８】
なお、上述の説明において、「図５７の通信装置５７００と送電装置５７５０」の無線通信は、他の実施の形態で説明したようなＭＩＭＯ伝送、つまり、送信用のアンテナが複数あり、また、受信アンテナが複数あり（１つでもよい）、送信装置が、複数の変調信号を、複数のアンテナから、同一周波数、同一時間に送信する方法であってもよい。また、変調信号を１つ送信する方法であってもよい。なお、このときの送信装置、受信装置の構成例については、他の実施の形態で説明したとおりである。
【０８７９】
また、図５７の通信装置５７００は、携帯電話端末に搭載されてもよいし、車などの乗り物に搭載されるというような例が考えられる。そして、装置５７９０は、基地局、アクセスポイント、コンピュータ、サーバーなどに搭載されるというような例が考えられる。
【０８８０】
図５７に示した送電装置５７５０における通信用アンテナ配置に関する課題について図６１を用いて説明する。
【０８８１】
図６１において、６１００は、図５７の送電装置の外形を示している。そして、６１０１は送電コイル５７５５を示している。なお、図５７では「送電コイル」を「送電アンテナ」と記載している。
【０８８２】
このとき、図５７の通信装置５７００において、受電アンテナ５７０１は、受電コイルが搭載されていることになる。
【０８８３】
６１５０、６１５１、６１５２は図５７の通信装置５７００の外形を示している。図６１に示すように、図５７の通信装置５７００を使用するユーザは、通信装置５７００において受電を行う場合、通信装置５７００を６１５０のように配置するケース、６１５１のように配置するケース、６１５２のように配置するケースなど、さまざまなケースが考えられる。
【０８８４】
このようなケースにおいて通信装置５７００と送電装置５７５０が無線通信を行う際、データ伝送速度の速い通信方法を選択し、かつ、高いデータの受信品質を得たいという要求、つまり、このような課題がある。
【０８８５】
また、送電装置５７５０と通信を行う通信装置５７００について考えた場合、ユーザによって、保有している通信装置が異なるため、例えば、通信用アンテナ５７１５の例えば配置は、通信装置ごとに異なる可能性があり、このような条件下においても、通信装置５７００と送電装置５７５０が無線通信を行う際、データ伝送速度の速い通信方法を選択し、かつ、高いデータの受信品質を得たいという要求、つまり、このような課題がある。
【０８８６】
本実施の形態は、この課題を克服するための図５７における送電装置５７５０の構成について説明する。
【０８８７】
図６２に、図５７の送電装置５７５０における通信用アンテナ５７５９、送電コイル５７５５の好適な配置例を示している。なお、図６２において、図６１と同様に動作するものについては、同一番号を付しており、説明を省略する。
【０８８８】
図６２において、６２０１＿１、６２０１＿２、６２０１＿３、６２０１＿４、６２０１＿５、６２０１＿６、６２０１＿７、６２０１＿８は、送電装置５７５０の通信用のアンテナである。
【０８８９】
図６２に示すように、送電装置５７５０は、通信装置５７００が具備している受電コイル５７０１に対し、送電する必要があるため、例えば、図６２のように中心付近に送電コイル６１０１（図５７の送電コイル５７５５に相当する）を配置するものとする。
【０８９０】
このとき、送電コイル５７５５が円状に配置される（閉ループが構成される）。その様子が、図６２の６１０１の黒い部分になる。したがって、この円状の内側と外側に、空間が生まれることになる。
【０８９１】
このとき、円状のコイルの内側、および、円状のコイルの外側に送電装置５７５０の通信用のアンテナを配置する。図６２の例では、円状のコイルの内側に通信用アンテナ６２０１＿５、６２０１＿６、６２０１＿７、６２０１＿８を配置し、円状のコイルの外側に通信用アンテナ６２０１＿１、６２０１＿２、６２０１＿３、６２０１＿４を配置する。
【０８９２】
このように送電装置５７５０の通信用のアンテナを配置すると、平面６１００に対し、通信用アンテナを密に配置することになるので、通信装置５７００が、平面６１００に対し、どのように配置されても、通信装置５７００および送電装置５７５０において、変調信号の受信電界強度を確保することができる可能性が高くなる。これにより、データ伝送速度の速い通信方法の選択、および、高いデータの受信品質の確保が可能となるという効果を得ることができる。また、このように送電装置５７５０の通信用のアンテナを配置すると、通信装置５７００が通信アンテナをどのように配置され、具備されているときも、平面６１００に対し、通信用アンテナを密に配置することになるので、通信装置５７００および送電装置５７５０において、変調信号の受信電界強度を確保することができる可能性が高くなる。
【０８９３】
なお、送電装置５７５０の通信用アンテナを配置は、図６１のような配置に限ったものではなく、例えば、図６２、図６３、図６４のように、送電装置５７５０の通信用アンテナを配置してもよい。なお、図６２、図６３、図６４において、図６１と同様に動作するものについては、同一番号を付しており、説明を省略する。このとき、特長的な点は、通信用アンテナ６２０１＿５、６２０１＿６、６２０１＿７、６２０１＿８において、四角形を生成している点である。
【０８９４】
また、円状のコイルの内側に４つの通信用アンテナ、円状のコイルの外側に４つの通信用アンテナという構成以外の構成であってもよい。
【０８９５】
例えば、円状のコイルの内側に１、または、２以上の送電装置５７５０の通信用アンテナを配置し、円状のコイルの外側に１、または、２以上の送電装置５７５０の通信用のアンテナを配置しても、上述と同様の効果を得ることができる。
【０８９６】
また、円状のコイルの内側にＮ個（Ｎは１以上、または、２以上の整数）の送電装置５７５０の通信用アンテナを配置し、円状のコイルの外側にＭ個（Ｍは１以上、または、２以上の整数）の送電装置５７５０の通信用アンテナを配置したとき、Ｎ＝Ｍを満たしてもよいし、Ｎ≠Ｍであってもよい。また、ＭがＮより大きいとよりアンテナを密に配置することが可能となることがある。
【０８９７】
図６５、図６６は、Ｎ≠Ｍのときの通信用アンテナの配置の一例である。なお、図６５、図６６において、図６１、図６２と同様に動作するものについては、同一番号を付している。図６５、図６６において、６２０１＿１、６２０１＿２、６２０１＿３、６２０１＿４、６２０１＿５、６２０１＿６、６２０１＿７、６２０１＿８、６２０１＿９は、送電装置５７５０の通信用アンテナである。
【０８９８】
また、円状のコイルの内側に着目した場合、送電装置５７５０の通信用アンテナを、図６７、図６８のように配置した場合、通信アンテナをより密に配置することができる。なお、図６７、図６８において、図６１、図６２と同様に動作するものについては、同一番号を付している。そして、６２０１＿１、６２０１＿２、６２０１＿３、６２０１＿４、６２０１＿５、６２０１＿６、６２０１＿７、６２０１＿８、６２０１＿９、６２０１＿１０、６２０１＿１１は、送電装置５７５０の通信用のアンテナである。このとき、特長的な点は、６２０１＿５、６２０１＿６、６２０１＿７、６２０１＿８、６２０１＿９、６２０１＿１０により、六角形が生成されている点である。
【０８９９】
そして、図６２、図６３、図６４、図６５、図６６、図６７、図６８などにおいて、送電装置５７５０の送電コイル５７５５は円状でなくてもよい。例えば、送電コイル５７５５は閉ループが構成されており、閉ループの内側と外側に、空間が生まれ、閉ループの内側に送電装置５７５０の通信用アンテナを配置するとともに、閉ループの外側にも送電装置５７５０の通信用アンテナを配置するというような方法が考えられる。このとき、閉ループの内側に配置する通信用アンテナの個数、閉ループの外側に配置する通信用アンテナの個数については、「円状の内側に通信用アンテナを配置し、また、円状の外側に通信用のアンテナを配置する」ときと同様に実施する方法であってもよい。
【０９００】
これまでに、送電装置５７５０の通信用アンテナの配置方法について説明したが、通信装置５７００の通信用アンテナについても、送電装置５７５０の通信用アンテナの配置方法と同様に実施すると、同様の効果を得ることができる。
【０９０１】
例えば、図６２、図６３、図６４、図６５、図６６、図６７、図６８において、６１００が通信装置５７００の外形であり、６１０１が通信装置５７００の受電コイル５７０１であり、６２０１＿１、６２０１＿２、６２０１＿３、６２０１＿４、６２０１＿５、６２０１＿６、６２０１＿７、６２０１＿８、６２０１＿９、６２０１＿１０、６２０１＿１１が通信装置５７００の通信用アンテナと考え、上述で述べた構成要件を満たすように、実施することで、上述で述べた効果を同様に得ることができる。
【０９０２】
なお、図５７の送電装置の制御部５７５７は、インターフェース５７５１からの信号５７５２、５７５６、５７６３により、装置５７９０と接続されていないと認識した場合、送受信部５７６１、通信用アンテナ５７５９に対し、通信機能を停止するように、５７５８により指示してもよい。
【０９０３】
また、送電装置５７５０は、送電に必要な電流（または、電力）と通信に必要な電流（または、電力）を制御部５７５７で認識し、インターフェース５７５１からの給電５７５２では、電流（または、電力）が不十分であることを、通知する（例えば、ＬＥＤ（Light Emitting Diode）などの灯りを点灯させる）機能を有していてもよい。
【０９０４】
（実施の形態１１）
本実施の形態では、通信端末が接続されるネットワークにおける通信装置の改善に関する技術について説明する。本実施の形態のネットワークは、例えば、衛星通信システムを含むネットワークである。具体的には、本実施の形態では、通信端末が取得したデータを衛星通信システムを経由する通信を用いて集約する場合における、通信品質の改善に関する技術を説明する。
【０９０５】
図６９は、本実施の形態に係るネットワークの構成の一例を示す図である。
【０９０６】
図６９に示されるように、本実施の形態に係るネットワークは、６９０１の端末＃１と、６９０２の端末＃２と、６９０３の端末＃３と、６９０４の端末＃４と、６９０５の端末＃５と、６９１１のゲートウェイ＃１と、６９１２のゲートウェイ＃２と、６９１３のゲートウェイ＃３と、コントローラ６９２１と、衛星通信システム６９３１と、地球局６９４１と、プライベートネットワーク６９５１と、サーバ６９６１とを備える。
【０９０７】
以降では、各部の基本動作を含む動作を説明するとともに、第１の端末が送信したマルチキャスト用のデータ（複数の端末に対して送信するデータ）を複数の端末に対して伝送する方法について説明を行う。
【０９０８】
このネットワークでは、６９０１の端末＃１等が生成したデータを、衛星通信システム６９３１を経由する通信を用いてサーバ６９６１に集約する。なお、サーバ６９６１に集約されたデータの用途はさまざまなものがあり得る。例えば、サーバ６９６１に集約されたデータは、そのまま、インターネットを介して他のユーザ（不図示）に提供されてもよいし、所定の演算処理を施されたうえで他のユーザに提供されてもよい。所定の演算処理は、当該データを取得した端末が特定されない形式での統計処理若しくは分析処理、又は、暗号化処理等が含まれていてもよい。
【０９０９】
６９０１の端末＃１は、データを生成し、生成したデータをサーバ６９６１に向けて送信する。６９０１の端末＃１は、具体的な例として、周囲の環境の物理量を測定することでデータを生成するセンサ、例えば温度センサ、照度センサ等であってもよい。したがって、これらのセンサによって生成されたデータを、６９０１の端末＃１は送信することになる。
【０９１０】
ただし、６９０１の端末＃１は、これらのセンサを具備していなくてもよい。例えば、６９０１の端末＃１は、ユーザが情報を提供するための端末であってもよい。
【０９１１】
また、６９０１の端末＃１は、無線通信インタフェースを備えており、無線通信によって６９１１のゲートウェイ＃１に接続されている。６９０１の端末＃１が生成したデータは、無線通信インタフェースによって６９１１のゲートウェイ＃１に送信され、その後、６９１１のゲートウェイ＃１及びコントローラ６９２１等によって転送されてサーバ６９６１に到達する。
【０９１２】
６９０２の端末＃２、６９０３の端末＃３、６９０４の端末＃４、及び、６９０５の端末＃５のそれぞれは、６９０１の端末＃１と同様の端末であり、独立に動作する。（ただし、連動して動作する場合があってもよい）これらを総称して単に端末ということもある。例えば、６９０２の端末＃２は６９１１のゲートウェイ＃１に接続されており、６９０３の端末＃３は６９１２のゲートウェイ＃２に接続されており、６９０４の端末＃４及び６９０５の端末＃５は、６９１３のゲートウェイ＃３に接続されている。
【０９１３】
６９１１のゲートウェイ＃１は、無線通信により端末と通信を行う通信装置であり、６９０１の端末＃１等と無線通信する、例えば、基地局装置としての機能を有する。６９１１のゲートウェイ＃１は、無線通信により６９０１の端末＃１及び６９０２の端末＃２に接続され、また、無線通信又は有線通信の通信回線によりコントローラ６９２１に接続されている。６９１１のゲートウェイ＃１は、無線通信により６９０１の端末＃１又は６９０２の端末＃２からデータを取得すると、取得したデータを、通信回線を通じてコントローラ６９２１に送信する。
【０９１４】
６９１２のゲートウェイ＃２及び６９１３のゲートウェイ＃３のそれぞれは、６９１１のゲートウェイ＃１と同様のゲートウェイであり、独立に動作してもよいし、また、連携して動作するようにしてもよい。これらを総称して単にゲートウェイということもある。
【０９１５】
コントローラ６９２１は、例えば、ゲートウェイと端末との通信のスケジューリング、及び、ゲートウェイと端末との通信の通信方法に関する制御を行う制御装置である。コントローラ６９２１は、６９１１のゲートウェイ＃１等のゲートウェイと通信回線で接続されており、この通信回線を通じて上記制御を行う。スケジューリングとは、ゲートウェイと各端末との間の通信を行う時間帯、使用する周波数、使用する周波数帯域、ゲートウェイが通信する端末の決定、などを設定することが例としてあげられる。
【０９１６】
コントローラ６９２１は、例えば、無線通信によって衛星通信システム６９３１と接続する。コントローラ６９２１は、例えば、６９０１の端末＃１からゲートウェイを介してデータを受信したら、受信したデータを衛星通信システム６９３１に転送する。
【０９１７】
また、コントローラ６９２１は、６９０１の端末＃１から受信したデータを、他の端末にマルチキャストで伝送する場合もある。
【０９１８】
さらに、コントローラ６９２１は、例えば、衛星通信システム６９３１から得たデータを、６９１１のゲートウェイ＃１を介し、６９０１の端末＃１に送信する。なお、コントローラ６９２１については後で詳しく説明する。
【０９１９】
衛星通信システム６９３１は、一例として、地球を周回する人工衛星に搭載された通信装置を備える通信システムである。衛星通信システム６９３１は、コントローラ６９２１、及び、地球上に配置された地球局６９４１のそれぞれと無線通信により接続され、通信フレームをその宛先に基づいて転送する。なお、衛星通信システム６９３１を「他の通信装置」ということもある（なお、衛星通信システム６９３１は、静止衛星に搭載された通信装置を備える通信システムであってもよい。）。
【０９２０】
地球局６９４１は、地球上に配置され、衛星通信システム６９３１と、例えば、無線通信により接続される通信装置である。また、地球局６９４１は、プライベートネットワーク６９５１と接続している。地球局６９４１は、６９０１の端末＃１から衛星通信システム６９３１を介してデータを受信したら、受信したデータを、プライベートネットワーク６９５１を介してサーバ６９６１に送信する。
【０９２１】
プライベートネットワーク６９５１は、例えば、特定の組織等に閉じた私的なネットワークである。プライベートネットワーク６９５１は、地球局６９４１及びサーバ６９６１と接続しており、また、インターネットとも接続している。
【０９２２】
サーバ６９６１は、端末が取得したデータを集約するサーバ装置である。サーバ６９６１は、６９０１の端末＃１等が送信したデータを、ゲートウェイ、コントローラ６９２１、衛星通信システム６９３１、地球局６９４１及びプライベートネットワーク６９５１を介して受信する。なお、サーバ６９６１は、直接、インターネットと接続していてもよい。ただし、図６９では、これを図示していない。
【０９２３】
６９０１の端末＃１等と６９１１のゲートウェイ＃１等とを接続するネットワーク又は通信リンクの通信方法は、どのようなものであってよい。例えば、ＬｏＲａ、ＬｏＲａＷＡＮ、又は、ＮＢ（Narrow Band）−ＩｏＴ（Internet of Things）等のＬＰＷＡ（Ｌｏｗ  Ｐｏｗｅｒ  Ｗｉｄｅ  Ａｒｅａ）技術に属する通信方法であってもよいし、Ｗｉ−Ｆｉ（ＩＥＥＥ  ８０２．１１ａ／ｂ／ｇ／ｎ／ａｃ／ａｄ／ａｘ／ａｙ等）等の無線ＬＡＮ（Ｌｏｃａｌ  Ａｒｅａ  Ｎｅｔｗｏｒｋ）の通信方法であってもよいし、Ｂｌｕｅｔｏｏｔｈ（登録商標）等の無線ＰＡＮ（Ｐｅｒｓｏｎａｌ  Ａｒｅａ  Ｎｅｔｗｏｒｋ）の通信方法であってもよいし、携帯電話（セルラー）の通信方法であってもよい。また、通信に用いられる周波数帯域は、９２０ＭＨｚ帯、又は、２．４ＧＨｚ帯等、どのような周波数帯であってよい。
【０９２４】
なお、６９０１の端末＃１及び６９１１のゲートウェイ＃１等は、単一のアンテナを備え通信を行うものであってもよいし、２以上のアンテナを備えＭＩＭＯ（Ｍｕｌｔｉｐｌｅ−Ｉｎｐｕｔ  Ｍｕｌｔｉｐｌｅ−Ｏｕｔｐｕｔ）等の複数ストリームを同一時間、同一周波数を用いて伝送する方法、ダイバーシチ送信、ダイバーシチ受信に基づく通信を行うものであってもよい。２以上のアンテナを備える場合の例として、実施の形態１〜１０に記載された通信方法が適用され得る。なお、「各アンテナは複数のアンテナにより構成する」、というような構成であってもよい。
【０９２５】
次に、コントローラ６９２１について、より詳しく説明する。
【０９２６】
図７０は、コントローラ６９２１の機能ブロックを示す図である。
【０９２７】
図７０に示されるように、コントローラ６９２１は、通信ＩＦ（ＩＦ：interface）７００１、７００２、７００３及び７０１１と、転送部７０２１と、判定部７０２２と、記憶部７０２３とを備える。
【０９２８】
通信ＩＦ７００１は、６９１１のゲートウェイ＃１との通信を可能とするための通信インタフェースである。６９０１の端末＃１が送信したデータを含む変調信号を受信した６９１１のゲートウェイ＃１は、受信データに基づいて、変調信号を生成し送信する。通信ＩＦ７００１は、６９１１のゲートウェイ＃１が送信した変調信号を受信する。そして、通信ＩＦ７００１は、受信した変調信号に含まれるデータを転送部７０２１に提供する。
【０９２９】
また、通信ＩＦ７００１は、衛星通信システム６９３１から得たデータを含む変調信号を６９１１のゲートウェイ＃１に送信する。
【０９３０】
通信ＩＦ７００１は、通信コネクタ等を含む有線通信インタフェース、および、、アンテナ及び無線回路等を含む無線通信インタフェースを含んでいる構成であってもよい。
【０９３１】
通信ＩＦ７００２及び７００３は、それぞれ、通信ＩＦ７００１と同様の通信インタフェースであり、それぞれ、６９１２のゲートウェイ＃２、及び、６９１３のゲートウェイ＃３と接続しており、これにより、６９０２の端末＃２、６９０３の端末＃３、６９０４の端末＃４、６９０５の端末＃５と接続することになる。
【０９３２】
通信ＩＦ７０１１は、無線通信により、衛星通信システム６９３１との通信を可能とするための通信インタフェースであり、アンテナ及び無線通信回路などを含む。通信ＩＦ７０１１は、衛星通信システム６９３１との間で、データを含む変調信号を送受信する。
【０９３３】
転送部７０２１は、端末が送信したデータを通信ＩＦで得、そのデータを他の通信装置に伝送する処理部である。転送部７０２１は、プロセッサがメモリを用いて所定のプログラムを実行することで実現されてもよいし、専用ハードウェアにより実現されてもよい。
【０９３４】
具体的には、転送部７０２１は、通信ＩＦ７０１１、７０１２又は７０１３により、６９０１の端末＃１等が送信したデータを受信する。そして、受信したデータを、当該データに含まれる宛先情報に基づいて衛星通信システム６９３１に転送する。
【０９３５】
衛星通信システム６９３１への送信には、例えば、間欠モード又は中継モードの送信モードが用いられ得る。間欠モードとは、受信したデータを記憶部７０２３に格納し、所定の条件が成立したときに記憶部７０２３に格納されている複数のデータを読み出し、読み出した複数のデータをまとめて他の通信装置に送信する送信モードである。ここで、所定の条件とは、例えば「所定の時間が経過したこと」とすることができ、以降ではこの場合を一例として説明するが、他にも「所定のイベントが発生したこと」などとすることもできる。
【０９３６】
また、中継モードとは、例えば、受信したデータを記憶部７０２３に格納することなく他の通信装置に送信する送信モードである。
【０９３７】
間欠モード又は中継モードのどちらの送信モードが用いられるかは、さまざまな方法により定められ得る。例えば、転送部７０２１は、すべてのデータに対して間欠モードで送信してもよいし、すべてのデータに対して中継モードで送信してもよい。
【０９３８】
また、例えば、転送部７０２１は、間欠モード及び中継モードを切り替えてもよい。具体的には、転送部７０２１は、間欠モード及び中継モードの一方から他方に、所定時間ごとに切り替えられてもよいし、所定のイベントが発生するごとに切り替えられてもよい。また、ある端末から受信したデータには間欠モードを用い、別のある端末から受信したデータには中継モードを用いるというように併用してもよい。端末から受信するデータの中に、当該データを送信する送信モードを示す情報が含まれている場合には、その情報に従った送信モードで送信してもよい。
【０９３９】
また、転送部７０２１は、転送部７０２１が取得したデータに含まれる送信モードの情報に基づいて、当該データがマルチキャスト送信されるべきであるか否かを判定部７０２２が判定した場合、その判定結果に基づいて、当該データを端末にマルチキャストで送信する。ここで、当該データがマルチキャスト送信されるべきであることを示す情報を第一情報ともいう。すなわち、転送部７０２１は、第一情報がデータに含まれていると判定部７０２２が判定した場合には、上記データの送信元である端末（第一端末に相当）とは異なる端末（第二端末に相当）にデータをマルチキャストで送信する。
【０９４０】
また、転送部７０２１は、衛星通信システム６９３１が送信したデータを通信ＩＦ７０１１で得、そのデータを他の通信装置に伝送する処理部でもある。
【０９４１】
判定部７０２２は、転送部７０２１が受信したデータに含まれる送信モードの情報に基づいて、当該データがマルチキャスト送信されるべきであるか否かを判定する処理部である。判定部７０２２は、プロセッサがメモリを用いて所定のプログラムを実行することで実現されてもよいし、専用ハードウェアにより実現されてもよい。
【０９４２】
判定部７０２２は、具体的には、データに含まれる送信モードの情報に基づいて、データを間欠モードで送信するか、又は、中継モードで送信するかを判定する。判定部７０２２がこの判定を行った場合、転送部７０２１は、判定部７０２２の判定結果に従ってデータを間欠モードまたは中継モードで送信する。
【０９４３】
また、判定部７０２２は、転送部７０２１が受信したデータがマルチキャスト送信されるべきであることを示す第一情報が、データに含まれているか否かを判定する。判定部７０２２がこの判定を行った場合、転送部７０２１は、判定部７０２２の判定結果に従ってデータをマルチキャストで送信する。
【０９４４】
記憶部７０２３は、データを一時的に記憶する記憶装置であり、メインメモリのような揮発性記憶装置、又は、ハードディスクのような不揮発性記憶装置により実現される。記憶部７０２３は、転送部７０２１が受信したデータが記憶し、その後、記憶されたデータは転送部７０２１により読み出される。
【０９４５】
なお、転送部７０２１は、受信したデータを複数の端末に送信する、つまり、マルチキャストで送信されるときに、そのデータを衛星通信システム６９３１に転送するか否かを制御してもよい。この場合、端末が送信するデータに、当該データが衛星通信システム６９３１に転送されるべきであることを示す情報（第二情報ともいう）を含める。そして、判定部７０２２は、転送部７０２１が受信したデータに第二情報がデータに含まれているか否かを判定してもよい。そして、転送部７０２１は、第二情報がデータに含まれていないと判定部７０２２が判定した場合には、データを衛星通信システム６９３１に転送することを行わないものとする。
【０９４６】
以降において、間欠モードと中継モードとについて説明する。
【０９４７】
図７１は、コントローラ６９２１（より詳細には転送部７０２１）による、間欠モードでのデータの送信を示す図である。なお、図７１において、６９０１の端末＃１及び６９０２の端末＃２のみを記載し、また、ゲートウェイの記載は省略している。  間欠モードでは、コントローラ６９２１は、衛星通信システム６９３１に対し、所定の時間７１１１ごとにデータシンボルを含む変調信号を送信する。送信される変調信号は、図７１における変調信号７１０１及び７１０２である。
【０９４８】
ここで、変調信号７１０１及び７１０２それぞれは、６９０１の端末＃１が送信したデータシンボル群であるデータ＃１と、６９０２の端末＃２が送信したデータシンボル群であるデータ＃２とをまとめて、制御情報を付したものである。制御情報は、このデータのデータ種別、宛先及び送信元などを示す情報である。記憶部７０２３は、上記の複数の端末がゲートウェイに送信したデータシンボル群を一時的に蓄積するために用いられる。
【０９４９】
このようにすることで、コントローラ６９２１は、データ伝送速度を向上させることができるという効果を得ることができる。従来技術によれば、コントローラは、端末が送信したデータシンボルに含まれるデータを得て、端末ごとのデータシンボルに含まれるデータに対して個別に制御情報を付して、変調信号を生成し、衛星通信システムに送信する。従来技術による場合と比較して、コントローラ６９２１は、データシンボル以外のシンボルの送信量（例えば、上記の制御情報）を減らすことができるので、データ伝送速度を向上させることができることになる。なお、各端末のデータのサイズが小さいと、制御情報の削減につながる可能性が高く、この効果が大きくなる可能性が高い。
【０９５０】
なお、図７１では、コントローラ６９２１は、２つの端末のデータをまとめて送信する場合を例に説明しているがこの例に限ったものではなく、コントローラ６９２１は、３つ以上の端末のデータをまとめて送信するとしてもよい。また、例えば、コントローラ６９２１は、端末＃１からのデータ、端末＃２からのデータ、端末＃３からのデータ、端末＃４からのデータ、端末＃５からのデータを得、端末＃１からのデータと端末＃２からのデータをまとめ、これに制御情報を付加して、第１の変調信号生成し、コントローラ６９２１は、第１の変調信号を送信する。また、コントローラ６９２１は、端末＃３からのデータ、端末＃４からのデータ、端末＃５からのデータをまとめ、これに制御情報を付加して、第２の変調信号を生成し、コントローラ６９２１は、第２の変調信号を送信するとしてもよい。つまり、端末からのデータのまとめかたについては、図７１の方法に限ったものではない。
【０９５１】
図７２は、コントローラ６９２１（転送部７０２１）による、中継モードでのデータの送信を示す図である。なお、図７２において、図７１と同様、端末＃１及び端末＃２のみを記載し、また、ゲートウェイの記載は省略している。
【０９５２】
中継モードでは、コントローラ６９２１は、端末がゲートウェイに送信したデータシンボルに含まれるデータを得て、端末ごとのデータシンボルに含まれるデータに対して個別に変調信号を生成し、制御情報を付して衛星通信システム６９３１に送信する。送信される変調信号は、図７２における変調信号７２０１、７２０２、７２０３及び７２０４である。
【０９５３】
言い換えれば、コントローラ６９２１は、受信したデータを記憶部７０２３に格納することなく、衛星通信システム６９３１に送信する。これにより、伝送遅延を少なくすることができるという効果を得ることができる。
【０９５４】
また、コントローラは、上記の間欠モードと中継モードとを併用することもできる。
【０９５５】
具体的には、コントローラ６９２１は、複数の端末のうちの第１の端末から受信したデータを中継モードで転送し、この第一端末とは異なる他の複数の端末から受信したデータを間欠モードで転送することもできる。
【０９５６】
例えば、コントローラ６９２１は、６９０１の端末＃１が６９１１のゲートウェイ＃１に送信した変調信号に含まれる第１のデータシンボルに含まれるデータと、６９０２の端末＃２が６９１２のゲートウェイ＃２に送信した変調信号に含まれる第２のデータシンボルに含まれるデータと、６９０３の端末＃３が６９１２のゲートウェイ＃２に送信した変調信号に含まれる第３のデータシンボルに含まれるデータとを束ねて間欠モードで送信する。一方、コントローラ６９２１は、６９０４の端末＃４がゲートウェイ＃３に送信した変調信号に含まれる第４のデータシンボルに含まれるデータを得て、このデータを含む変調信号を生成し、中継モードで衛星通信システム６９３１に送信する。なお、この変調信号は、他の端末（端末＃１等）がゲートウェイに送信した変調信号に含まれるデータシンボルのデータを含まないことになる。
【０９５７】
なお、上述の説明において、「中継モード」、「間欠モード」と名づけ、説明しているが、呼び名については、これに限ったものではない。
【０９５８】
図６９に示されるネットワークの変形例について、図７３を参照しながら説明する。
【０９５９】
図７３に示されるネットワークでは、衛星通信システム６９３１及び６９３２の２つの衛星通信システムが存在している。このように、衛星通信システムの個数は、１つに限定されず複数あってもよい。
【０９６０】
また、衛星通信システム６９３１に２つの地球局６９４１及び６９４２が接続されている。このように、１つの衛星通信システムに接続される地球局の個数は、１つに限定されず複数あってもよい。
【０９６１】
また、衛星通信システム６９３２に２つのコントローラ６９２５及び６９２６が接続されている。このように、１つの衛星通信システムに接続されるコントローラの個数は、１つに限定されず複数あってもよい。
【０９６２】
なお、図６９では、プライベートネットワーク６９５１及びサーバ６９６１が、インターネットよりも端末＃１等に近い側の位置に配置されているが、インターネットを介して接続される位置に配置されていてもよい（不図示）。その場合、プライベートネットワーク６９５１及びサーバ６９６１の接続位置が、インターネットに接続される限りどこでもよい、つまり、接続位置の制約がなくなる利点がある。なお、この場合、インターネット上の通信は、必要に応じて暗号化されることを要する。第三者に閲覧されることを防止し、なりすましによる不正アクセスを回避するためである。
【０９６３】
次に、コントローラ６９２１によるデータのマルチキャスト送信について説明する。この送信モードをマルチキャスト（同報モード）ともいう。
【０９６４】
上記のとおり、コントローラ６９２１（より詳細には転送部７０２１）は、端末が送信したデータを受信し、このデータを、例えば、複数、または、一つ以上の端末に対し、マルチキャスト送信する機能を有する。
【０９６５】
例えば、６９０５の端末＃５がコントローラ６９２１にデータを送信した場合、そのデータは、転送部７０２１により受信される。そして、判定部７０２２は、受信したデータに含まれる送信モードを示す情報に基づいて、当該データがマルチキャスト送信されるべきであるか否かを判定する。受信したデータがマルチキャスト送信されるべきであると判定部７０２２が判定した場合、その判定結果に基づいて、転送部７０２１は、通信ＩＦ７００１、７００２及び７００３により、このデータを端末＃１〜＃４に対し、マルチキャストで送信する。
【０９６６】
コントローラ６９２１によるマルチキャスト転送について、図７４〜７８を参照しながら説明する。
【０９６７】
図７４は、コントローラ６９２１によるマルチキャスト転送の一例を示す。
【０９６８】
図７４では、コントローラ６９２１は、端末＃５が送信したデータを含む変調信号を、ゲートウェイを介して受信した場合、コントローラ６９２１は、端末＃５が送信したデータを含む変調信号を生成し、端末＃１から＃４にマルチキャストによる送信を行う。
【０９６９】
なお、コントローラ６９２１は、上記データを送信した端末＃５に対し、上記データを含む変調信号を送信してもよいし、送信しなくてもよい。
【０９７０】
なお、図７４では、コントローラ６９２１が衛星通信システム６９３１に対して端末＃５が送信したデータを含む変調信号を送信しないことを一つの特徴としている。言い換えれば、コントローラ６９２１が、端末＃５が送信したデータを含む変調信号を衛星通信システム６９３１に送信し、その後に衛星通信システム６９３１が端末＃５が送信したデータを含む変調信号を、コントローラ６９２１及びゲートウェイを介して各端末に伝送しているわけではない。このようにすることで、端末＃５が送信したデータを他の端末に対し、低遅延で伝送することができるという効果を得ることができる。
【０９７１】
このとき、端末＃５が送信したデータをマルチキャスト送信する範囲を決定する方法の一例について説明する。
【０９７２】
例として、端末＃５が送信するデータに、「マルチキャスト伝送する端末の対象に関する情報」が含まれているものとする。
【０９７３】
例えば、図７４の場合、コントローラ６２９１は、端末＃５が送信するデータに含まれる「マルチキャスト伝送する端末の対象に関する情報」を得、この情報に基づき、コントローラ６２９１は、ゲートウェイのみを介して通信可能な端末に対し、端末＃５が送信したデータを含む変調信号を送信するもの、と決定する。
【０９７４】
したがって、コントローラ６９２１は、端末＃５が送信したデータを含む変調信号を生成し、ゲートウェイを介し、端末＃１から＃４にマルチキャストによる送信を行うことになる。
【０９７５】
なお、マルチキャストの対象となる端末の決定方法はこれに限ったものではない。別の例として、コントローラ６９２１自身が、マルチキャストの対象となる端末の情報を予め保有しているとしてもよい。
【０９７６】
図７５は、コントローラ６９２１によるマルチキャスト転送の別の一例を示す。
【０９７７】
図７５において図７４と異なる点は、コントローラ６９２１（第１のコントローラともいう）が、衛星通信システム６９３１に対し、端末＃５が送信したマルチキャスト用のデータを含む変調信号を送信する点である。衛星通信システム６９３１は、端末＃５が送信したデータを含む変調信号を６９１３のゲートウェイ＃３およびコントローラ６９２１を介し、得ることになる。そして、衛星通信システム６９３１は、端末＃５が送信したマルチキャスト用のデータを含む変調信号をコントローラ６９２１に送信する。コントローラ６９２１は、衛星通信システム６９３１が送信したマルチキャスト用のデータを、ゲートウェイを介して端末＃１〜＃４に対してマルチキャストで送信する。
【０９７８】
なお、コントローラ６９２１は、上記マルチキャスト用のデータを送信した端末＃５に対し、上記マルチキャスト用のデータを含む変調信号を送信してもよいし、送信しなくてもよい。
【０９７９】
このとき、端末＃５が送信したデータをマルチキャスト送信する範囲を決定する方法の一例について説明する。
【０９８０】
例として、端末＃５が送信するデータに、「マルチキャスト伝送する端末の対象に関する情報」が含まれているものとする。
【０９８１】
例えば、図７４の場合、コントローラ６２９１は、端末＃５が送信するデータに含まれる「マルチキャスト伝送する端末の対象に関する情報」を得、この情報に基づき、衛星通信システム６９３１は、コントローラ６９２１とゲートウェイのみを介して通信可能な端末に対し、端末＃５が送信したデータを含む変調信号を送信するもの、と決定する。
【０９８２】
したがって、衛星通信システム６９３１は、端末＃５が送信したデータを含む変調信号を生成し、コントローラ６９２１とゲートウェイを介し、端末＃１から＃４にマルチキャストによる送信を行うことになる。
【０９８３】
なお、マルチキャストの対象となる端末の決定方法はこれに限ったものではない。別の例として、衛星通信システム６９３１自身が、マルチキャストの対象となる端末の情報を予め保有しているとしてもよい。
【０９８４】
図７６は、コントローラ６９２１によるマルチキャスト転送の別の一例を示す。
【０９８５】
図７６において図７５と異なる点は、衛星通信システム６９３１が、コントローラ６９２５（第２のコントローラともいう）に接続されている点である。衛星通信システム６９３１は、コントローラ６９２１から送信された、端末＃５が送信したマルチキャスト用のデータを含む変調信号をコントローラ６９２５に送信する。
【０９８６】
コントローラ６９２５は、衛星通信システム６９３１が送信したデータをゲートウェイを介して、各端末に対して送信する。
【０９８７】
例えば、端末＃５が送信したデータは、他の１以上の端末に対し、マルチキャストするためのデータであるものとする。
【０９８８】
コントローラ６９２１は、端末＃５が送信したデータを受信することになる。そして、このデータを端末＃１、端末＃２、端末＃３、端末＃４に送信することになる。
【０９８９】
このとき、コントローラ６９２１が衛星通信システム６９３１にデータを伝送することなく、コントローラ６９２１が、端末＃１、端末＃２、端末＃３、端末＃４及び端末＃５に、データを含む変調信号をマルチキャスト送信してもよい。
【０９９０】
また、コントローラ６９２１が衛星通信システム６９３１にデータを伝送するとともに、コントローラ６９２１が、端末＃１、端末＃２、端末＃３、端末＃４及び端末＃５に、データを含む変調信号をマルチキャスト送信してもよい。
【０９９１】
なお、マルチキャスト送信時、コントローラ６９２１は、端末＃５に対してデータを含む変調信号を送信してもよいし、送信しなくてもよい。
【０９９２】
加えて、コントローラ６９２１は、「変調信号を受信することにより得た端末＃５が送信したデータ」を含む変調信号を生成し、衛星通信システム６８３１に対し、送信する。
【０９９３】
そして、衛星通信システム６８３１は、「変調信号を受信することにより得た端末＃５が送信したデータ」を含む変調信号を生成し、コントローラ６９２５に対し、送信する。
【０９９４】
コントローラ６９２５は、「変調信号を受信することにより得た端末＃５が送信したデータ」を含む変調信号を生成し、一つ以上のゲートウェイに対し、送信する。
【０９９５】
そして、ゲートウェイが、端末＃５が送信したデータ」を含む変調信号を生成し、端末に送信することで、マルチキャスト伝送を実現することになる。
【０９９６】
このとき、端末＃５が送信したデータをマルチキャスト送信する範囲を決定する方法の一例について説明する。
【０９９７】
例として、端末＃５が送信するデータに、「マルチキャスト伝送する端末の対象に関する情報」が含まれているものとする。
【０９９８】
例えば、図７４の場合、コントローラ６２９１は、端末＃５が送信するデータに含まれる「マルチキャスト伝送する端末の対象に関する情報」を得、この情報に基づき、衛星通信システム６９３１は、コントローラ６９２１、６９２５とゲートウェイのみを介して通信可能な端末に対し、端末＃５が送信したデータを含む変調信号を送信するもの、と決定する。
【０９９９】
したがって、衛星通信システム６９３１は、端末＃５が送信したデータを含む変調信号を生成し、コントローラ６９２１とゲートウェイを介し、端末＃１から＃４にマルチキャストによる送信を行い、また、コントローラ６９２５に対し、端末＃５が送信したデータを含む変調信号を送信することになる。そして、コントローラ６９２５がゲートウェイに対し、端末＃５が送信したデータを含む変調信号を送信することで、他の端末にも、端末＃５が送信したデータが届くことになる。
【１０００】
なお、マルチキャストの対象となる端末の決定方法はこれに限ったものではない。別の例として、衛星通信システム６９３１自身、コントローラ自身が、マルチキャストの対象となる端末の情報を予め保有しているとしてもよい。
【１００１】
このようにすることで、「端末＃５が送信したデータ」をより多くの端末に対し、マルチキャスト伝送することができるという効果を得ることができる。
【１００２】
図７７は、コントローラ６９２１によるマルチキャスト転送の別の一例を示す。
【１００３】
図７７において図７６と異なる点は、衛星通信システム６９３１が地球局６９４１に接続されており、地球局６９４１が他の衛星通信システム６９３２に接続されており、衛星通信システム６９３２がコントローラ６９２６に接続されている点である。
【１００４】
コントローラ６９２１が端末＃５が送信したマルチキャスト用のデータを含む変調信号を衛星通信システム６９３１に送信すると、そのデータは、地球局６９４１、衛星通信システム６９３２を経由してコントローラ６９２６に受信される。
【１００５】
コントローラ６９２６は、受信したデータをゲートウェイを介して、各端末に対して送信する。
【１００６】
例えば、端末＃５が送信したデータは、他の１以上の端末に対し、マルチキャストするためのデータであるものとする。
【１００７】
このとき、コントローラ６９２１が衛星通信システム６９３１にデータを伝送することなく、コントローラ６９２１が、端末＃１、端末＃２、端末＃３、端末＃４及び端末＃５に、データを含む変調信号をマルチキャスト送信してもよい。
【１００８】
また、コントローラ６９２１が衛星通信システム６９３１にデータを伝送するとともに、コントローラ６９２１が、端末＃１、端末＃２、端末＃３、端末＃４及び端末＃５に、データを含む変調信号をマルチキャスト送信してもよい。
【１００９】
なお、マルチキャスト送信時、コントローラ６９２１は、端末＃５に対してデータを含む変調信号を送信してもよいし、送信しなくてもよい。
【１０１０】
加えて、コントローラ６９２１は、「変調信号を受信することにより得た端末＃５が送信したデータ」を含む変調信号を生成し、衛星システム６８３１に対し、送信する。
【１０１１】
そして、衛星通信システム６８３１は、「変調信号を受信することにより得た端末＃５が送信したデータ」を含む変調信号を生成し、地球局６９４１に対し、送信する。
【１０１２】
なお、図７７では図示していないが、衛星通信システム６８３１は、「変調信号を受信することにより得た端末＃５が送信したデータ」を含む変調信号を生成し、一つ以上のコントローラに対し、送信してもよい。
【１０１３】
地球局６９４１は、「変調信号を受信することにより得た端末＃５が送信したデータ」を含む変調信号を生成し、衛星通信システム６９３２に対し、送信する。
【１０１４】
なお、地球局６９４１は、衛星通信システム６９３２以外の衛星通信システムに対し、「変調信号を受信することにより得た端末＃５が送信したデータ」を含む変調信号を生成し、送信してもよい。そして、衛星通信システム６９３２以外の衛星通信システムは、コントローラ、ゲートウェイを介し、一つ以上の端末に対し、「端末＃５が送信したデータ」を伝送することになる。
【１０１５】
また、地球局６９４１は、他の地球局に対し、「変調信号を受信することにより得た端末＃５が送信したデータ」を含む変調信号を生成し、送信してもよい。そして、他の地球局は、衛星通信システム、コントローラ、ゲートウェイを介し、一つ以上の端末に対し、「端末＃５が送信したデータ」を伝送することになる。
【１０１６】
衛星通信システム６９３２は、「変調信号を受信することにより得た端末＃５が送信したデータ」を含む変調信号を生成し、コントローラ６９２６を含む一つ以上のコントローラに対し、送信する。
【１０１７】
そして、コントローラ６９２６は、「変調信号を受信することにより得た端末＃５が送信したデータ」を含む変調信号を生成し、一つ以上の端末に対し、送信することになる。
【１０１８】
このようにすることで、「端末＃５が送信したデータ」をより多くの端末に対し、マルチキャスト伝送することができるという効果を得ることができる。
【１０１９】
図７８は、コントローラ６９２１によるマルチキャスト転送の別の一例を示す。
【１０２０】
図７８において図７６と異なる点は、衛星通信システム６９３１が他の衛星通信システム６９３３に接続されており、衛星通信システム６９３３がコントローラ６９２７に接続されている点である。
【１０２１】
コントローラ６９２１が端末＃５が送信したマルチキャスト用のデータを含む変調信号を衛星通信システム６９３１に送信すると、そのデータは、衛星通信システム６９３３を経由してコントローラ６９２７に受信される。
【１０２２】
コントローラ６９２７は、受信したデータをゲートウェイを介して、各端末に対して送信する。
【１０２３】
例えば、端末＃５が送信したデータは、他の１以上の端末に対し、マルチキャストするためのデータであるものとする。
【１０２４】
このとき、コントローラ６９２１が、衛星通信システム６９３１にデータを伝送せずに、コントローラ６９２１が、端末＃１、端末＃２、端末＃３、端末＃４及び端末＃５に、データを含む変調信号をマルチキャスト送信してもよい。
【１０２５】
また、コントローラ６９２１が、衛星通信システム６９３１にデータを伝送し、コントローラ６９２１が、端末＃１、端末＃２、端末＃３、端末＃４及び端末＃５に、データを含む変調信号をマルチキャスト送信してもよい。
【１０２６】
なお、マルチキャスト送信時、コントローラ６９２１は、端末＃５に対し、データを含む変調信号を送信してもよいし、送信しなくてもよい。
【１０２７】
加えて、コントローラ６９２１は、「変調信号を受信することにより得た端末＃５が送信したデータ」を含む変調信号を生成し、衛星システム６８３１に対し、送信する。
【１０２８】
そして、衛星通信システム６８３１は、「変調信号を受信することにより得た端末＃５が送信したデータ」を含む変調信号を生成し、衛星通信システム６９３３に対し、送信する。
【１０２９】
なお、図示していないが、衛星通信システム６８３１は、「変調信号を受信することにより得た端末＃５が送信したデータ」を含む変調信号を生成し、一つ以上のコントローラに対し、送信してもよい。そして、コントローラは、ゲートウェイを介し、一つ以上の端末に対し、「端末＃５が送信したデータ」を伝送することになる。
【１０３０】
また、図示していないが、衛星通信システム６８３１は、「変調信号を受信することにより得た端末＃５が送信したデータ」を含む変調信号を生成し、衛星通信システム６９３３以外の衛星通信システムに対し、送信してもよい。そして、衛星通信システム６９３３以外の衛星通信システムは、コントローラ、ゲートウェイを介し、一つ以上の端末に対し、「端末＃５が送信したデータ」を伝送することになる。
【１０３１】
図示していないが、衛星通信システム６８３１は、「変調信号を受信することにより得た端末＃５が送信したデータ」を含む変調信号を生成し、地球局に対し、送信してもよい。そして、地球局は、衛星通信システム、コントローラ、ゲートウェイを介し、一つ以上の端末に対し、「端末＃５が送信したデータ」を伝送することになる。
【１０３２】
衛星通信システム６９３３は、「変調信号を受信することにより得た端末＃５が送信したデータ」を含む変調信号を生成し、コントローラ６９２７を含む一つ以上のコントローラに対し、送信する。
【１０３３】
そして、コントローラ６９２７は、「変調信号を受信することにより得た端末＃５が送信したデータ」を含む変調信号を生成し、一つ以上の端末に対し、送信することになる。
【１０３４】
このようにすることで、「端末＃５が送信したデータ」をより多くの端末に対し、マルチキャスト伝送することができるという効果を得ることができる。
【１０３５】
なお、上記では、例えば、コントローラ６９２１が独立した装置として記載したが、他の装置又はシステムの一部として構成されてもよい。例えば、コントローラ６９２１は、衛星通信システム６９３１等に搭載されてもよいし、地球局６９４１等に搭載されてもよいし、サーバ６９６１に搭載されてもよい。また、インターネットに接続されたサーバに搭載されてもよい。
【１０３６】
また、例えば、端末＃５が送信したデータをマルチキャスト伝送する場合、端末＃５が送信したデータの内容に応じて、衛星通信システム、コントローラ、ゲートウェイが、「端末＃５が送信したデータ」をマルチキャスト伝送するかどうかを判断してもよい。
【１０３７】
一例を説明する。端末＃５が送信したデータの内容が、緊急気象情報であるものとする。そして、衛星通信システム、コントローラ、ゲートウェイが、「端末＃５が送信したデータの内容が、緊急気象情報である」ことを認識し、「端末＃５が送信したデータ」をマルチキャストをするかどうかを判断することになる。
【１０３８】
以上のように構成されたコントローラ６９２１を含むコントローラの処理について説明する。
【１０３９】
図７９は、コントローラ６９２１の処理を示すフロー図である。
【１０４０】
ステップＳ７９０１（判定ステップ）において、転送部７０２１で受信したデータがマルチキャスト送信されるべきであることを示す第一情報が、データに含まれているか否かを判定する。
【１０４１】
ステップＳ７９０２（送信ステップ）において、第一情報がデータに含まれていると判定ステップで判定された場合には、第一端末とは異なる第二端末にデータをマルチキャストで送信する。なお、データのマルチキャスト伝送は、複数の端末に対して行われてもよい。
【１０４２】
この一連の処理により、コントローラ６９２１は、端末が取得したデータを、衛星通信システム６９３１を経由する通信を用いて集約する場合における、通信品質を改善することができる。
【１０４３】
以上のように本実施の形態の通信装置（コントローラ）は、端末が取得したデータのうち他の１以上の端末に送信すべきデータを、他の通信装置を介さずに他の１以上の端末に送信することができる。仮にこのデータを他の通信装置に一旦送信し、他の通信装置から再び送信されてくるデータを他の１以上の端末に送信するとすれば、通信遅延が発生し得る。上記のように他の通信装置を介さずに送信することで、通信遅延が発生することを未然に回避できる。このように、通信装置は、通信品質を改善することができる。
【１０４４】
また、通信装置は、上記の他の１以上の端末にデータを送信するときに、他の通信装置にデータを転送することを禁止する。これにより、他の通信装置へのデータ送信に要する時間及び消費電力を削減することができる。よって、通信装置は、データ送信に要する時間及び消費電力を削減しながら、通信品質を改善することができる。
【１０４５】
また、通信装置は、間欠モードにより、端末から受信したデータを複数まとめて他の通信装置に送信する。データを複数まとめて制御情報を付すことにより、データ１つ１つに個別に制御情報を付すのに比べて、制御情報の量を削減することができる。制御情報の量が削減されることで、データの送信に要する時間及び消費電力が削減される。よって、通信装置は、他の通信装置へのデータ送信に要する時間及び消費電力を削減しながら、通信品質を改善することができる。
【１０４６】
また、通信装置は、中継モードにより、端末から受信したデータを遅延させることなく他の通信装置に送信する。通信装置は、間欠モードと中継モードとを切り替えることで、遅延が許容されるデータは間欠モードで送信し、遅延が許容されないデータは中継モードで送信するなど、適切な使い分けを行うことができる。よって、通信装置は、他の通信装置へのデータ送信に要する時間及び消費電力を削減しながら、必要に応じて遅延を低減させることによって通信品質を改善することができる。
【１０４７】
また、通信装置は、間欠モードと中継モードとを、端末ごとに切り替えることで、遅延が許容されるデータは間欠モードで送信し、遅延が許容されないデータは中継モードで送信するなど、適切な使い分けを行うことができる。よって、通信装置は、他の通信装置へのデータ送信に要する時間及び消費電力を削減しながら、必要に応じて遅延を低減させることによって通信品質を改善することができる。
【１０４８】
また、通信装置は、端末が取得したデータを衛星通信システムに送信する際の通信の通信品質を改善することができる。
【１０４９】
なお、本実施の形態において、コントローラが、ゲートウェイの機能を有していてもよい。つまり、コントローラは、衛星通信システムが送信した変調信号を受信し、この変調信号を復調、復号し、データを得る。そして、コントローラは、このデータから変調信号を生成し、（ゲートウェイを介さずに）、端末に対し、この変調信号を送信してもよい。
【１０５０】
また、端末、ゲートウェイ、コントローラ、衛星通信システム、地球局を含む通信形態について、図６９、図７３、図７４、図７５、図７６、図７７、図７８を用いて説明したが、これらの図を組み合わせて、通信を実施することは、当然可能である。
【１０５１】
なお、本実施の形態では、端末数、ゲートウェイの数、コントローラの数、衛星通信システムの数など、限定的な個数で説明しているが、これに限ったものではない。また、マルチキャストするためのデータを、「端末＃５が送信したデータ」として説明したが、これに限ったものではなく、「端末＃５以外の端末が送信したデータ」をマルチキャスト伝送するためのデータとしてもよい。また、サーバ、コントローラ、衛星通信システムなどが、マルチキャスト伝送するためのデータを生成し、このデータをマルチキャスト伝送してもよい。
【１０５２】
また、本実施の形態において、ゲートウェイ、コントローラと名づけて説明しているが、本実施の形態におけるゲートウェイを別の呼び方をしてもよく、同様に、本実施の形態におけるコントローラを別の呼び方をしてもよい。
【１０５３】
（実施の形態１２）
本実施の形態では、実施の形態１１における補足説明を行う。  
【１０５４】
実施の形態１１において、例えば、図６９、図７４、図７５、図７６、図７７、図７８のように６９０５の端末＃５が、マルチキャスト用のデータを含む変調信号をゲートウェイに対し送信し、その後、他の端末などにこのマルチキャスト用のデータを含む変調信号を伝送する方法について説明したが、図８０のように、これとあわせて、６９０５の端末＃５が、他の端末に直接、このマルチキャスト用のデータを含む変調信号を送信してもよい。つまり、図８０のように、６９０５の端末＃５は、このマルチキャスト用のデータを含む変調信号を、６９０６の端末＃６、６９０７の端末＃７、６９０８の端末＃８に対して送信してもよい。
【１０５５】
次に、端末がマルチキャスト用のデータを含む変調信号を送信する際の、変調信号のフレーム構成の一例について説明する。
【１０５６】
例えば、図６９、図７４、図７５、図７６、図７７、図７８で示したようにマルチキャスト用のデータを含む変調信号を端末が送信するときのフレーム構成を図８１に示す。
【１０５７】
図８１は、例えば、端末が送信するマルチキャスト用のデータを含む変調信号のフレーム構成の一例を示しており、横軸は時間であるものとする。なお、伝送方式は、ＯＦＤＭなどのマルチキャリアを用いた送信方法、シングルキャリアを用いた送信方法いずれであってもよい。なお、マルチキャリアを用いた送信方法の場合、周波数軸方向にシンボルが存在してもよい。
【１０５８】
図８１において、８１０１は「プリアンブルまたはリファレンスシンボル」であり、「プリアンブルまたはリファレンスシンボル８１０１」は、端末が送信する相手、例えば、図６９の場合、ゲートウェイが変調信号の検出、周波数同期、時間同期、周波数オフセット推定、位相雑音推定などを行うためのシンボルである。
【１０５９】
８１０２は宛先情報シンボルであり、例えば、図６９における６９０１の端末＃１の場合、宛先情報シンボルは、６９１１のゲートウェイ＃１であることを示している。なお、宛先情報シンボルは、宛先通信装置の固有のＩＤ（ＩＤ：identification）の情報を含んでいてもよいし、宛先通信装置のＭＡＣアドレスの情報を含んでいてもよい。
【１０６０】
８１０３は通信方式情報シンボルであり、図８１のデータシンボル８１０６を生成するのに用いた誤り訂正符号化方式（例えば、誤り訂正符号の種類、ブロック長（符号長）、符号化率）、変調方式、送信ストリーム数の情報などを、通信方式情報シンボル８１０３は含んでいるものとする。なお、通信方式情報シンボル８１０３は、ＭＣＳ（Modulation and Coding Scheme）の情報を含んでいてもよい。
【１０６１】
８１０４は伝送方法情報シンボルであり、図８１のデータシンボル８１０６に含まれている情報が、「マルチキャスト用の情報であるか」、または、「ユニキャスト用の情報であるか」の情報を、伝送方法情報シンボル８１０４は含んでいるものとする。なお、伝送方法情報シンボル８１０４が、「ユニキャスト用の情報である」ことを示している際、あわせて、データシンボル８１０６の伝送先の情報、例えば、伝送先通信装置固有のＩＤ、または、伝送先通信装置のＭＡＣアドレスの情報を、伝送方法情報シンボル８１０４が含んでいてもよい。
【１０６２】
８１０５はマルチキャスト範囲指定シンボルである。伝送方法情報シンボル８１０４が、「マルチキャスト用の情報である」ことを示している場合、マルチキャスト範囲指定シンボル８１０５により、データシンボル８１０６の宛先の対象を指定することになる。以下では、この点について、例を説明する。
【１０６３】
第１の例：
図６９の６９０１の端末＃１が、マルチキャスト用の情報を６９１１のゲートウェイ＃１と通信を行うことが可能な端末に対して送信するものとする。この場合、図８１のマルチキャスト範囲指定シンボル８１０５は、６９０１の端末＃１が通信を行っているゲートウェイ（図６９の場合、６９１１のゲートウェイ＃１）と通信を行うことが可能な端末がマルチキャストの対象であることを示す情報を含んでいることになる。
【１０６４】
なお、図６９の例では、マルチキャストの対象となる端末は、６９０２の端末＃２となる。例えば、６９１１のゲートウェイ＃１は、マルチキャスト範囲指定シンボル８１０５を得ることで、情報のマルチキャスト伝送を行うことになる。
【１０６５】
第２の例：
図６９の６９０１の端末＃１が、マルチキャスト用の情報をコントローラ６９２１と通信を行うことが可能な端末に対して送信するものとする。この場合、図８１のマルチキャスト範囲指定シンボル８１０５は、６９０１の端末＃１が、６９１１のゲートウェイ＃１を介して通信を行っているコントローラ６９２１と通信を行うことが可能な端末がマルチキャストの対象であることを示す情報を含んでいることになる。
【１０６６】
なお、図６９の例では、マルチキャストの対象となる端末は、６９０２の端末＃２、６９０３の端末＃３、６９０４の端末＃４、６９０５の端末＃５となる。例えば、コントローラ６９２１は、マルチキャスト範囲指定シンボル８１０５に含まれている情報を得ることで、情報のマルチキャスト伝送を行うことになる。
【１０６７】
第３の例：
図７７、図７８の端末＃１が、マルチキャスト用の情報を衛星通信システム６９３１、６９３２と通信を行うことは可能な端末に対して送信するものとする。この場合。図８１のマルチキャスト範囲指定シンボル８１０５は、衛星通信システム６９３１、６９３２と通信を行うことは可能な端末がマルチキャストの対象であることを示す情報を含んでいることになる。
【１０６８】
なお、図７７、図７８の例では、マルチキャストの対象となる端末は、「６９０２の端末＃２、６９０３の端末＃３、６９０４の端末＃４、６９０５の端末＃５」、および、「衛星通信システム６９３１が通信を行っているコントローラと通信を行うことが可能な端末」、および、「衛星通信システム６９３２が通信を行っているコントローラと通信を行うことが可能な端末」となる。
【１０６９】
上述では、３つの例を説明したが、マルチキャスト範囲指定方法は、これらの例に限ったものではなく、端末が、ゲートウェイ、コントローラ、衛星通信システムを指定し、指定されたゲートウェイ、コントローラ、衛星通信システムと通信可能な端末がマルチキャストの対象であるとしても同様に実施することは可能である。
【１０７０】
図８１で示したシンボルの呼び方は、上述の説明に限ったものではない。また、伝送方法情報シンボル８１０４は、マルチキャスト範囲指定シンボル８１０５に含まれていてもよいし、マルチキャスト範囲指定シンボル８１０５は、伝送方法情報シンボル８１０４に含まれていてもよい。
【１０７１】
（補足説明）
本明細書において、衛星通信システムと名づけて説明を行っているが、呼び方はこれに限ったものではなく、衛星に搭載した通信装置、高高度長時間滞空（HALE: High-altitude long-endurance）無人航空機に搭載した通信装置、高高度擬似衛星（HAPS: High-altitude platform station）に搭載した通信装置、無人航空機（UAV: Unmanned Aerial Vehicle）に搭載した通信装置などでも同様に実施することは可能である。
【１０７２】
本明細書において、コントローラと名づけて説明を行っているが、呼び方はこれに限ったものではなく、中継器、アクセスポイント、基地局などと呼んでもよい。また、衛星通信システムが送信した変調信号を受信し、衛星通信システムに対し、変調信号を送信する通信システムであれば、コントローラと同様の実施が可能である。
【１０７３】
さらに、本明細書において、ゲートウェイと名づけて説明を行っているが、呼び方はこれに限ったものではなく、中継器、アクセスポイント、基地局、単に通信装置と呼んでもよい。
【１０７４】
本明細書において、地球局と名づけて説明を行っているが、呼び方はこれに限ったものではなく、基地局、親局などと呼んでもよい。衛星通信システムに対し、変調信号を送信する通信システムであれば、地球局と同様の実施が可能である。
【１０７５】
加えて、衛星通信システムは端末と直接通信を行ってもよく、また、衛星通信システムは、コントローラ、ゲートウェイと通信を行うとともに、端末と通信を行うというようなシステム構成であってもよい。
【１０７６】
本明細書において、コントローラ、ゲートウェイは、中継器、基地局、アクセスポイントであってもよいし、また、コントローラ、ゲートウェイを通信装置と呼んでもよく、さらに、コントローラ、ゲートウェイは、航空機、車、鉄道、バス、船などの動く物体に搭載されていてもよい。
【１０７７】
なお、実施の形態１１、実施の形態１２において、衛星、コントローラ、ゲートウェイ、端末がマルチキャスト伝送を行う場合、図７、図１２、図１７、図１８、図１９、図２０、図２２、図２６、図２９で示したようにマルチキャスト用のデータを含む変調信号を、衛星、コントローラ、ゲートウェイ、端末は、送信してもよい。また、衛星、コントローラ、ゲートウェイ、端末がマルチキャスト伝送を行う場合、図３１、図３２、図３５を用いて他の実施の形態で説明したように、周波数分割、または、時間分割を利用して、マルチキャスト用のデータを含む変調信号を、衛星、コントローラ、ゲートウェイ、端末は、送信してもよい。
【１０７８】
そして、衛星、コントローラ、ゲートウェイ、端末は、「一つの変調信号を複数のアンテナから送信する送信方法」、「複数の変調信号を複数のアンテナを用いて送信する送信方法（例えば、ＭＩＭＯ（Multiple-Input Multiple-Output）、ＭＩＳＯ（Multiple-Input Single-Output）などの伝送方法）」のいずれを用いて、変調信号を送信してもよい。したがって、フレーム構成において、図面として、一つのフレーム構成しか記載されていなくても、複数の変調信号のフレーム構成とみなすことが可能である。
【１０７９】
以下、本開示の送信装置、受信装置、送信方法、及び、受信方法について補足説明をする。
【１０８０】
本開示の一態様の送信装置は、複数の送信アンテナを備える送信装置であって、第１ストリームのデータを変調して第１ベースバンド信号を生成し、第２ストリームのデータを変調して第２ベースバンド信号を生成する信号処理部と、第１ベースバンド信号からそれぞれ指向性の異なる複数の第１送信信号を生成し、第２ベースバンド信号からそれぞれ指向性の異なる複数の第２送信信号を生成し、複数の第１送信信号及び複数の前記第２送信信号を同一時間に送信する送信部と、を備え、送信部は、さらに、端末から第１ストリームの送信の要求を受けた場合には、複数の第１送信信号とは異なり、かつ、それぞれ指向性の異なる複数の第３送信信号を、第１ベースバンド信号から生成して送信する。
【１０８１】
複数の第１送信信号及び複数の第２送信信号のそれぞれは、当該送信信号が第１ストリームおよび第２ストリームのうちのいずれのストリームのデータを伝送する信号であるかを通知するための制御信号を含んでいてもよい。
【１０８２】
複数の第１送信信号及び複数の第２送信信号のそれぞれは、受信装置が指向性制御を行うためのトレーニング信号を含んでいてもよい。
【１０８３】
本開示の一態様の受信装置は、複数の受信アンテナを備える受信装置であって、送信装置が同一時間に送信する第１ストリームのデータを伝送するそれぞれ指向性の異なる複数の第１信号及び第２ストリームのデータを伝送するそれぞれ指向性の異なる複数の第２信号のうち、少なくとも１つの第１信号及び少なくとも１つの第２信号を選択し、選択した複数の信号を受信するための指向性制御を行って信号を受信する受信部と、受信した信号を復調して前記第１ストリームのデータ及び前記第２ストリームのデータを出力する信号処理部と、受信部によって前記少なくとも１つの第１信号が受信されていない場合に、送信装置に対して第１ストリームの送信の要求を行う送信部とを備える。
【１０８４】
受信部は、複数の受信信号のそれぞれに含まれる前記第１ストリームおよび前記第２ストリームのうちのいずれのストリームのデータを伝送する信号であるかを通知するための制御信号に基づいて、前記少なくとも１つの第１信号及び前記少なくとも１つの第２信号を選択してもよい。
【１０８５】
受信部は、複数の受信信号のそれぞれに含まれるトレーニング信号を用いて指向性制御を行ってもよい。
【１０８６】
本開示の一態様の送信方法は、複数の送信アンテナを備える送信装置で実行される送信方法であって、第１ストリームのデータを変調して第１ベースバンド信号を生成し、第２ストリームのデータを変調して第２ベースバンド信号を生成する処理と、第１ベースバンド信号からそれぞれ指向性の異なる複数の第１送信信号を生成し、第２ベースバンド信号からそれぞれ指向性の異なる複数の第２送信信号を生成し、複数の第１送信信号及び複数の前記第２送信信号を同一時間に送信する処理とを含み、送信処理では、さらに、端末から第１ストリームの送信の要求を受けた場合には、複数の第１送信信号とは異なり、かつ、それぞれ指向性の異なる複数の第３送信信号を、第１ベースバンド信号から生成して送信する。
【１０８７】
本開示の一態様の受信方法は、複数の受信アンテナを備える受信装置で実行される受信方法であって、送信装置が同一時間に送信する第１ストリームのデータを伝送するそれぞれ指向性の異なる複数の第１信号及び第２ストリームのデータを伝送するそれぞれ指向性の異なる複数の第２信号のうち、少なくとも１つの第１信号及び少なくとも１つの第２信号を選択し、選択した複数の信号を受信するための指向性制御を行って信号を受信する処理と、受信した信号を復調して前記第１ストリームのデータ及び前記第２ストリームのデータを出力する処理と、受信処理において少なくとも１つの第１信号が受信されていない場合に、送信装置に対して第１ストリームの送信の要求を行う送信処理とを含む。
【１０８８】
本開示によれば、疑似オムニパターンのアンテナを用いる場合と比較して、複数ストリームのマルチキャスト／ブロードキャスト通信における通信距離を拡大できる可能性がある。
【産業上の利用可能性】
【１０８９】
本開示は、複数のアンテナを用いる通信において有用である。
【符号の説明】
【１０９０】
７００    基地局
７０１    アンテナ
７０２，７０３    送信ビーム
７０４    端末
７０５，７０６    受信指向性
６９２１、６９２５、６９２６、６９２７    コントローラ
６９３１、６９３２、６９３３    衛星通信システム
６９４１、６９４２    地球局
６９５１    プライベートネットワーク
６９６１    サーバ
７００１、７００２、７００３、７０１１    通信ＩＦ
７０２１    転送部
７０２２    判定部
７０２３    記憶部
７１０１、７１０２、７２０１、７２０２、７２０３、７２０４    変調信号
【図１】
2019151164.tif 000010
【図２】
2019151164.tif 000011
【図３】
2019151164.tif 000012
【図４】
2019151164.tif 000013
【図５】
2019151164.tif 000014
【図６】
2019151164.tif 000015
【図７】
2019151164.tif 000016
【図８】
2019151164.tif 000017
【図９】
2019151164.tif 000018
【図１０】
2019151164.tif 000019
【図１１】
2019151164.tif 000020
【図１２】
2019151164.tif 000021
【図１３】
2019151164.tif 000022
【図１４】
2019151164.tif 000023
【図１５】
2019151164.tif 000024
【図１６】
2019151164.tif 000025
【図１７】
2019151164.tif 000026
【図１８】
2019151164.tif 000027
【図１９】
2019151164.tif 000028
【図２０】
2019151164.tif 000029
【図２１】
2019151164.tif 000030
【図２２】
2019151164.tif 000031
【図２３】
2019151164.tif 000032
【図２４】
2019151164.tif 000033
【図２５】
2019151164.tif 000034
【図２６】
2019151164.tif 000035
【図２７】
2019151164.tif 000036
【図２８】
2019151164.tif 000037
【図２９】
2019151164.tif 000038
【図３０】
2019151164.tif 000039
【図３１】
2019151164.tif 000040
【図３２】
2019151164.tif 000041
【図３３】
2019151164.tif 000042
【図３４】
2019151164.tif 000043
【図３５】
2019151164.tif 000044
【図３６】
2019151164.tif 000045
【図３７】
2019151164.tif 000046
【図３８】
2019151164.tif 000047
【図３９】
2019151164.tif 000048
【図４０】
2019151164.tif 000049
【図４１】
2019151164.tif 000050
【図４２】
2019151164.tif 000051
【図４３】
2019151164.tif 000052
【図４４】
2019151164.tif 000053
【図４５】
2019151164.tif 000054
【図４６】
2019151164.tif 000055
【図４７】
2019151164.tif 000056
【図４８】
2019151164.tif 000057
【図４９】
2019151164.tif 000058
【図５０】
2019151164.tif 000059
【図５１】
2019151164.tif 000060
【図５２】
2019151164.tif 000061
【図５３】
2019151164.tif 000062
【図５４】
2019151164.tif 000063
【図５５】
2019151164.tif 000064
【図５６】
2019151164.tif 000065
【図５７】
2019151164.tif 000066
【図５８】
2019151164.tif 000067
【図５９】
2019151164.tif 000068
【図６０】
2019151164.tif 000069
【図６１】
2019151164.tif 000070
【図６２】
2019151164.tif 000071
【図６３】
2019151164.tif 000072
【図６４】
2019151164.tif 000073
【図６５】
2019151164.tif 000074
【図６６】
2019151164.tif 000075
【図６７】
2019151164.tif 000076
【図６８】
2019151164.tif 000077
【図６９】
2019151164.tif 000078
【図７０】
2019151164.tif 000079
【図７１】
2019151164.tif 000080
【図７２】
2019151164.tif 000081
【図７３】
2019151164.tif 000082
【図７４】
2019151164.tif 000083
【図７５】
2019151164.tif 000084
【図７６】
2019151164.tif 000085
【図７７】
2019151164.tif 000086
【図７８】
2019151164.tif 000087
【図７９】
2019151164.tif 000088
【図８０】
2019151164.tif 000089
【図８１】
2019151164.tif 000090
【国際調査報告】
2019151164.tif 000091
2019151164.tif 000092
2019151164.tif 000093
2019151164.tif 000094